(57)【要約】  本発明は、ブロードキャストチャネルのカバレッジを拡張するためのデータ伝送方法、基地局およびユーザ機器を開示する。本発明は、Ｎ個のブロードキャストチャネルで搬送される複数のデータブロックを基地局が取得する段階であって、Ｎ個のブロードキャストチャネルのうちｉ番目のブロードキャストチャネルはＮ個のアンテナポートのうちｉ番目のアンテナポートに対応するか、または、Ｎ個のブロードキャストチャネルのうちｉ番目のブロードキャストチャネルはＮ個のアンテナポートグループのうちｉ番目のアンテナポートグループに対応し、Ｎは正の整数であり、ｉは０より大きくＮ以下の正の整数である、段階と、Ｎ個のブロードキャストチャネルで搬送されるデータブロックを基地局がスクランブルしてＮ個のブロードキャストチャネルで搬送されるスクランブル化コードブロックを取得する段階と、Ｎ個のブロードキャストチャネルで搬送される対応するスクランブル化コードブロックを、Ｎ個のアンテナポートをそれぞれ用いて複数の異なる時間リソースユニットで基地局が伝送する段階か、または、Ｎ個のブロードキャストチャネルで搬送される対応するスクランブル化コードブロックを、Ｎ個のアンテナポートグループをそれぞれ用いて複数の異なる時間リソースユニットで基地局が伝送する段階とを備えるデータ伝送方法を提供する。
2019504541.tif 000002
【特許請求の範囲】
【請求項１】
Ｎ個のブロードキャストチャネルで搬送される複数のデータブロックを基地局が取得する段階であって、前記Ｎ個のブロードキャストチャネルのうちｉ番目のブロードキャストチャネルはＮ個のアンテナポートのうちｉ番目のアンテナポートに対応するか、または、前記Ｎ個のブロードキャストチャネルのうちｉ番目のブロードキャストチャネルはＮ個のアンテナポートグループのうちｉ番目のアンテナポートグループに対応し、Ｎは正の整数であり、ｉは０より大きくＮ以下の正の整数である、段階と、
前記Ｎ個のブロードキャストチャネルで搬送される前記データブロックを前記基地局がスクランブルして前記Ｎ個のブロードキャストチャネルで搬送されるスクランブル化コードブロックを取得する段階と、
前記Ｎ個のブロードキャストチャネルで搬送される対応するスクランブル化コードブロックを、前記Ｎ個のアンテナポートをそれぞれ用いて複数の異なる時間リソースユニットで前記基地局が伝送する段階か、または、前記Ｎ個のブロードキャストチャネルで搬送される対応するスクランブル化コードブロックを、前記Ｎ個のアンテナポートグループをそれぞれ用いて複数の異なる時間リソースユニットで前記基地局が伝送する段階と
を備えるデータを伝送する方法。
【請求項２】
前記Ｎ個のブロードキャストチャネルで搬送される前記データブロックを前記基地局がスクランブルして前記Ｎ個のブロードキャストチャネルで搬送されるスクランブル化コードブロックを取得する段階は、
前記Ｎ個のブロードキャストチャネルのそれぞれで搬送されるデータブロックを第１のスクランブルコードを用いて前記基地局がスクランブルして、前記Ｎ個のブロードキャストチャネルで搬送されるＮ個の第１のスクランブル化コードブロックを取得する段階、および／または、
前記Ｎ個のブロードキャストチャネルのそれぞれで搬送されるデータブロックを第２のスクランブルコードを用いて前記基地局がスクランブルして、前記Ｎ個のブロードキャストチャネルで搬送されるＮ個の第２のスクランブル化コードブロックを取得する段階
を有し、
前記第１のスクランブルコードおよび前記第２のスクランブルコードは異なるスクランブルコードである
請求項１に記載の方法。
【請求項３】
前記Ｎ個のブロードキャストチャネルのうち前記ｉ番目のブロードキャストチャネルは前記ｉ番目のブロードキャストチャネルに対応するユーザ機器ＵＥのアンテナポートまたはアンテナポートグループの指定情報を搬送し、または、
前記Ｎ個のブロードキャストチャネルのうち前記ｉ番目のブロードキャストチャネルで搬送されるパイロット信号は前記ｉ番目のブロードキャストチャネルに対応するＵＥのアンテナポートまたはアンテナポートグループの指定情報に対応し、または
前記Ｎ個のブロードキャストチャネルのうち前記ｉ番目のブロードキャストチャネルに対え応するＵＥのアンテナポートにおける同期シーケンスの値は、前記ｉ番目のブロードキャストチャネルに対応する前記ＵＥの前記アンテナポートの指定情報に対応するか、もしくは、前記Ｎ個のブロードキャストチャネルのうち前記ｉ番目のブロードキャストチャネルに対応するＵＥのアンテナポートグループにおける同期シーケンスの値は、前記ｉ番目のブロードキャストチャネルに対応する前記ＵＥの前記アンテナポートグループの指定情報に対応し、または、
前記Ｎ個のブロードキャストチャネルのうち前記ｉ番目のブロードキャストチャネルで搬送されるデータブロックがスクランブルされる場合に用いられるスクランブルコードは、前記ｉ番目のブロードキャストチャネルに対応するＵＥのアンテナポートまたはアンテナポートグループの指定情報に対応する
請求項１に記載の方法。
【請求項４】
前記Ｎ個のブロードキャストチャネルで搬送される前記データブロックを前記基地局がスクランブルして、前記Ｎ個のブロードキャストチャネルで搬送されるスクランブル化コードブロックを取得する段階の後、前記方法はさらに、
前記Ｎ個のブロードキャストチャネルのうち前記ｉ番目のブロードキャストチャネルにおけるシステム情報を前記基地局が用いて、前記ｉ番目のブロードキャストチャネルに対応する前記ＵＥのシステムフレーム番号ＳＦＮの第１の部分情報を指定する段階、および／または、
前記ｉ番目のブロードキャストチャネルに対応する前記ＵＥに伝送されるスクランブル化コードブロックの数を用いて前記ＳＦＮの第２の部分情報を前記基地局が指定する段階、および／または、
前記ｉ番目のブロードキャストチャネルに対応する前記ＵＥの前記アンテナポートまたは前記アンテナポートグループの位置情報を用いて、前記ＳＦＮの第３の部分情報を前記基地局が指定する段階
を備え、
前記ＳＦＮは前記第１の部分情報および前記第２の部分情報から成るか、または、前記ＳＦＮは前記第１の部分情報および前記第３の部分情報から成るか、または、前記ＳＦＮは前記第１の部分情報、前記第２の部分情報および前記第３の部分情報から成る
請求項１から３のいずれか一項に記載の方法。
【請求項５】
Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ユーザ機器ＵＥが前記ＵＥに対応する時間リソースユニットで、受信する段階、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて前記基地局が伝送するスクランブル化コードブロックを、前記ＵＥに対応する時間リソースユニットで、受信する段階と、
前記ｉ番目のブロードキャストチャネルで搬送される前記スクランブル化コードブロックであって、前記ｉ番目のアンテナポートまたは前記ｉ番目のアンテナポートグループを用いて受信する前記スクランブル化コードブロックを前記ＵＥがデスクランブルする段階と
を備え、
Ｎは正の整数であり、ｉは０よりも大きくＮ以下の正の整数であり、前記ＵＥは前記ｉ番目のアンテナポートまたは前記ｉ番目のアンテナポートグループに対応する
データを伝送する方法。
【請求項６】
前記ｉ番目のブロードキャストチャネルで搬送される前記スクランブル化コードブロックであって、前記ｉ番目のアンテナポートまたは前記ｉ番目のアンテナポートグループを用いて受信する前記スクランブル化コードブロックを前記ＵＥがデスクランブルする段階は、
前記ｉ番目のブロードキャストチャネルで搬送される前記ｉ番目の第１のスクランブル化コードブロックを前記ＵＥがデスクランブルする段階、または、
前記ｉ番目のブロードキャストチャネルで搬送される前記ｉ番目の第２のスクランブル化コードブロックを前記ＵＥがデスクランブルする段階、または、
前記ｉ番目のブロードキャストチャネルで搬送される前記ｉ番目の第１のスクランブル化コードブロックおよび前記ｉ番目の第２のスクランブル化コードブロックを前記ＵＥが組み合わせた後で、組み合わせられた前記ｉ番目の第１のスクランブル化コードブロックおよび前記ｉ番目の第２のスクランブル化コードブロックをデスクランブルする段階
を有する
請求項５に記載の方法。
【請求項７】
Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ユーザ機器ＵＥが前記ＵＥに対応する時間リソースユニットで、受信する段階、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて前記基地局が伝送するスクランブル化コードブロックを、前記ＵＥに対応する時間リソースユニットで、受信する段階の前に、前記方法はさらに、
前記ｉ番目のブロードキャストチャネルで搬送される指定情報に基づき前記ＵＥの前記アンテナポートまたは前記アンテナポートグループの位置情報を前記ＵＥが取得する段階、または、
前記ｉ番目のブロードキャストチャネルで搬送されるパイロット信号に基づき前記ＵＥの前記アンテナポートまたは前記アンテナポートグループの位置情報を前記ＵＥが取得する段階、または、
前記ＵＥの前記アンテナポートにおける同期シーケンスの値に基づき前記ＵＥの前記アンテナポートの位置情報を前記ＵＥが取得する段階、もしくは、前記ＵＥの前記アンテナポートグループにおける同期シーケンスの値に基づき前記ＵＥの前記アンテナポートグループの位置情報を前記ＵＥが取得する段階、または、
前記ｉ番目のブロードキャストチャネルで搬送される前記スクランブル化コードブロックがデスクランブルされる場合に用いられるスクランブルコードに基づき、前記ＵＥの前記アンテナポートまたは前記アンテナポートグループの位置情報を前記ＵＥが取得する段階
を備える
請求項５に記載の方法。
【請求項８】
Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ユーザ機器ＵＥが前記ＵＥに対応する時間リソースユニットで、受信する段階、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて前記基地局が伝送するスクランブル化コードブロックを、前記ＵＥに対応する時間リソースユニットで、受信する段階の前に、前記方法はさらに、
前記Ｎ個のブロードキャストチャネルのうち前記ｉ番目のブロードキャストチャネルにおけるシステム情報を用いることによって、システムフレーム番号ＳＦＮの第１の部分情報を前記ＵＥが取得する段階、および／または、前記ＵＥが受信するスクランブル化コードブロックの数を用いて前記ＳＦＮの第２の部分情報を前記ＵＥが取得する段階、および／または、前記ＵＥの前記アンテナポートまたは前記アンテナポートグループの前記位置情報を用いて前記ＳＦＮの第３の部分情報を前記ＵＥが取得する段階、ならびに、
前記第１の部分情報および前記第２の部分情報を用いて前記ＳＦＮを前記ＵＥが取得する段階、もしくは、前記第１の部分情報および前記第３の部分情報を用いて前記ＳＦＮを前記ＵＥが取得する段階、もしくは、前記第１の部分情報、前記第２の部分情報および前記第３の部分情報を用いて前記ＳＦＮを前記ＵＥが取得する段階
を備える
請求項５から７のいずれか一項に記載の方法。
【請求項９】
Ｎ個のブロードキャストチャネルで搬送される複数のデータブロックを取得するよう構成されている取得モジュールであって、前記Ｎ個のブロードキャストチャネルのうちｉ番目のブロードキャストチャネルはＮ個のアンテナポートのうちｉ番目のアンテナポートに対応するか、または、前記Ｎ個のブロードキャストチャネルのうちｉ番目のブロードキャストチャネルはＮ個のアンテナポートグループのうちｉ番目のアンテナポートグループに対応し、Ｎは正の整数であり、ｉは０より大きくＮ以下の正の整数である、取得モジュールと、
前記Ｎ個のブロードキャストチャネルで搬送される前記データブロックをスクランブルして前記Ｎ個のブロードキャストチャネルで搬送されるスクランブル化コードブロックを取得するよう構成されているスクランブルモジュールと、
前記Ｎ個のブロードキャストチャネルで搬送される対応するスクランブル化コードブロックを、前記Ｎ個のアンテナポートをそれぞれ用いて複数の異なる時間リソースユニットで伝送するよう構成されているか、または、前記Ｎ個のブロードキャストチャネルで搬送される対応するスクランブル化コードブロックを、前記Ｎ個のアンテナポートグループをそれぞれ用いて複数の異なる時間リソースユニットで伝送するよう構成されている送受信モジュールと
を備える基地局。
【請求項１０】
前記スクランブルモジュールは具体的に、
前記Ｎ個のブロードキャストチャネルのそれぞれで搬送されるデータブロックを第１のスクランブルコードを用いてスクランブルして、前記Ｎ個のブロードキャストチャネルで搬送されるＮ個の第１のスクランブル化コードブロックを取得するよう構成されており、および／または、前記Ｎ個のブロードキャストチャネルのそれぞれで搬送されるデータブロックを第２のスクランブルコードを用いてスクランブルして、前記Ｎ個のブロードキャストチャネルで搬送されるＮ個の第２のスクランブル化コードブロックを取得するよう構成されており、
前記第１のスクランブルコードおよび前記第２のスクランブルコードは異なるスクランブルコードである
請求項９に記載の基地局。
【請求項１１】
前記基地局はさらに、情報を構成するよう構成されている第１の構成モジュールを備え、
前記情報は、
前記Ｎ個のブロードキャストチャネルのうち前記ｉ番目のブロードキャストチャネルは前記ｉ番目のブロードキャストチャネルに対応するユーザ機器ＵＥのアンテナポートまたはアンテナポートグループの指定情報を搬送し、または、
前記Ｎ個のブロードキャストチャネルのうち前記ｉ番目のブロードキャストチャネルで搬送されるパイロット信号は前記ｉ番目のブロードキャストチャネルに対応するＵＥのアンテナポートまたはアンテナポートグループの指定情報に対応し、または
前記Ｎ個のブロードキャストチャネルのうち前記ｉ番目のブロードキャストチャネルに対応するＵＥのアンテナポートにおける同期シーケンスの値は、前記ｉ番目のブロードキャストチャネルに対応する前記ＵＥの前記アンテナポートの指定情報に対応するか、もしくは、前記Ｎ個のブロードキャストチャネルのうち前記ｉ番目のブロードキャストチャネルに対応するＵＥのアンテナポートグループにおける同期シーケンスの値は、前記ｉ番目のブロードキャストチャネルに対応する前記ＵＥの前記アンテナポートグループの指定情報に対応し、または、
前記Ｎ個のブロードキャストチャネルのうち前記ｉ番目のブロードキャストチャネルで搬送されるデータブロックがスクランブルされる場合に用いられるスクランブルコードは、前記ｉ番目のブロードキャストチャネルに対応するＵＥのアンテナポートまたはアンテナポートグループの指定情報に対応する
請求項９に記載の基地局。
【請求項１２】
前記基地局はさらに、
前記スクランブルモジュールが、前記Ｎ個のブロードキャストチャネルで搬送される前記データブロックをスクランブルして、前記Ｎ個のブロードキャストチャネルで搬送される前記スクランブル化コードブロックを取得した後、
情報を構成するよう構成されている第２の構成モジュールを備え、
前記情報は、
前記Ｎ個のブロードキャストチャネルのうち前記ｉ番目のブロードキャストチャネルにおけるシステム情報を用いて、前記ｉ番目のブロードキャストチャネルに対応する前記ＵＥのシステムフレーム番号ＳＦＮの第１の部分情報を指定し、および／または、
前記ｉ番目のブロードキャストチャネルに対応する前記ＵＥに伝送されるスクランブル化コードブロックの数を用いて前記ＳＦＮの第２の部分情報を指定し、および／または、
前記ｉ番目のブロードキャストチャネルに対応する前記ＵＥの前記アンテナポートまたは前記アンテナポートグループの位置情報を用いて、前記ＳＦＮの第３の部分情報を指定し、
前記ＳＦＮは前記第１の部分情報および前記第２の部分情報から成るか、または、前記ＳＦＮは前記第１の部分情報および前記第３の部分情報から成るか、または、前記ＳＦＮは前記第１の部分情報、前記第２の部分情報および前記第３の部分情報から成る
請求項９から１１のいずれか一項に記載の基地局。
【請求項１３】
ユーザ機器ＵＥであって、
前記ＵＥに対応する時間リソースユニットで、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを受信するよう構成されているか、または、前記ＵＥに対応する時間リソースユニットで、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて前記基地局が伝送するスクランブル化コードブロックを受信するよう構成されている送受信モジュールと、
前記ｉ番目のブロードキャストチャネルで搬送される前記スクランブル化コードブロックであって、前記ｉ番目のアンテナポートまたは前記ｉ番目のアンテナポートグループを用いて受信する前記スクランブル化コードブロックをデスクランブルするよう構成されているデスクランブルモジュールと
を備え、
Ｎは正の整数であり、ｉは０よりも大きくＮ以下の正の整数であり、前記ＵＥは前記ｉ番目のアンテナポートまたは前記ｉ番目のアンテナポートグループに対応する
ユーザ機器ＵＥ。
【請求項１４】
前記デスクランブルモジュールは具体的に、  前記ｉ番目のブロードキャストチャネルで搬送される前記ｉ番目の第１のスクランブル化コードブロックをデスクランブルするよう構成されているか、または、前記ｉ番目のブロードキャストチャネルで搬送される前記ｉ番目の第２のスクランブル化コードブロックをデスクランブルするよう構成されているか、または、前記ｉ番目のブロードキャストチャネルで搬送される前記ｉ番目の第１のスクランブル化コードブロックおよび前記ｉ番目の第２のスクランブル化コードブロックを前記ＵＥが組み合わせた後で、組み合わせられた前記ｉ番目の第１のスクランブル化コードブロックおよび前記ｉ番目の第２のスクランブル化コードブロックをデスクランブルするよう構成されている
請求項１３に記載のユーザ機器。
【請求項１５】
前記ユーザ機器はさらに、
前記送受信モジュールが、前記ＵＥに対応する前記時間リソースユニットで、前記Ｎ個のブロードキャストチャネルのうち前記ｉ番目のブロードキャストチャネルで搬送される前記スクランブル化コードブロックであって、前記Ｎ個のアンテナポートのうち前記ｉ番目のアンテナポートを用いて前記基地局が伝送する前記スクランブル化コードブロックを受信した後、または、前記ＵＥに対応する前記時間リソースユニットで、前記Ｎ個のブロードキャストチャネルのうち前記ｉ番目のブロードキャストチャネルで搬送される前記スクランブル化コードブロックであって、前記Ｎ個のアンテナポートグループのうち前記ｉ番目のアンテナポートグループを用いて前記基地局が伝送する前記スクランブル化コードブロックを受信した後、
前記ｉ番目のブロードキャストチャネルで搬送される指定情報に基づき前記ＵＥの前記アンテナポートまたは前記アンテナポートグループの位置情報を取得するよう構成されているか、または、
前記ｉ番目のブロードキャストチャネルで搬送されるパイロット信号に基づき前記ＵＥの前記アンテナポートまたは前記アンテナポートグループの位置情報を取得するよう構成されているか、または、
前記ＵＥの前記アンテナポートにおける同期シーケンスの値に基づき前記ＵＥの前記アンテナポートの位置情報を取得するよう構成されているか、もしくは、前記ＵＥの前記アンテナポートグループにおける同期シーケンスの値に基づき前記ＵＥの前記アンテナポートグループの位置情報を取得するよう構成されているか、または、
前記ｉ番目のブロードキャストチャネルで搬送される前記スクランブル化コードブロックがデスクランブルされる場合に用いられるスクランブルコードに基づき、前記ＵＥの前記アンテナポートまたは前記アンテナポートグループの位置情報を取得するよう構成されている
第１の取得モジュールを備える
請求項１３に記載のユーザ機器。
【請求項１６】
前記ユーザ機器はさらに、
前記送受信モジュールが、前記ＵＥに対応する前記時間リソースユニットで、前記Ｎ個のブロードキャストチャネルのうち前記ｉ番目のブロードキャストチャネルで搬送される前記スクランブル化コードブロックであって、前記Ｎ個のアンテナポートのうち前記ｉ番目のアンテナポートを用いて前記基地局が伝送する前記スクランブル化コードブロックを受信する前か、または、前記ＵＥに対応する前記時間リソースユニットで、前記Ｎ個のブロードキャストチャネルのうち前記ｉ番目のブロードキャストチャネルで搬送される前記スクランブル化コードブロックであって、前記Ｎ個のアンテナポートグループのうち前記ｉ番目のアンテナポートグループを用いて前記基地局が伝送する前記スクランブル化コードブロックを受信する前に、
前記Ｎ個のブロードキャストチャネルのうち前記ｉ番目のブロードキャストチャネルにおけるシステム情報を用いることによって、システムフレーム番号ＳＦＮの第１の部分情報を取得するよう構成されており、および／または、前記ＵＥが受信するスクランブル化コードブロックの数を用いて前記ＳＦＮの第２の部分情報を取得するよう構成されており、および／または、前記ＵＥの前記アンテナポートまたは前記アンテナポートグループの前記位置情報を用いて前記ＳＦＮの第３の部分情報を取得するよう構成されており、ならびに、
前記第１の部分情報および前記第２の部分情報を用いて前記ＳＦＮを取得するよう構成されているか、もしくは、前記第１の部分情報および前記第３の部分情報を用いて前記ＳＦＮを取得するよう構成されているか、もしくは、前記第１の部分情報、前記第２の部分情報および前記第３の部分情報を用いて前記ＳＦＮを取得するよう構成されている
第２の取得モジュールを備える
請求項１３から１５のいずれか一項に記載のユーザ機器。
【発明の詳細な説明】
【技術分野】
【０００１】
本願は、中国特許出願第２０１５１０８８２０８１．７号（中国特許庁への出願日は２０１５年１２月３日、発明の名称は「ＤＡＴＡ  ＴＲＡＮＳＭＩＳＳＩＯＮ  ＭＥＴＨＯＤ，ＢＡＳＥ  ＳＴＡＴＩＯＮ，ＡＮＤ  ＵＳＥＲ  ＥＱＵＩＰＭＥＮＴ（データ伝送方法、基地局およびユーザ機器）」）に基づき優先権を主張する。当該出願の内容は全て、参照により本願に組み込まれる。
【０００２】
本発明は、コンピュータ技術の分野に関し、特にデータ伝送方法、基地局およびユーザ機器に関する。
【背景技術】
【０００３】
現在のセルラー方式システムでは概して、システム情報はブロードキャストチャネルを用いて伝送される。システム情報は、ユーザアクセス情報、ならびに、セル内の別のチャネルにおける動作情報および構成情報を含む。このため、ブロードキャストチャネルで情報を正しく受信することはシステム動作を左右する重要な点である。例えば、ロングタームエボリューション（正式英語表記はＬｏｎｇ  Ｔｅｒｍ  Ｅｖｏｌｕｔｉｏｎ、ＬＴＥと省略する）システムにおいて、ブロードキャストチャネルを用いて伝送されるシステム情報は、マスター情報ブロック（正式英語表記はＭａｓｔｅｒ  Ｉｎｆｏｒｍａｔｉｏｎ  Ｂｌｏｃｋ、ＭＩＢと省略する）メッセージおよびシステム情報ブロック（正式英語表記はＳｙｓｔｅｍ  Ｉｎｆｏｒｍａｔｉｏｎ  Ｂｌｏｃｋ、ＳＩＢと省略する）メッセージという２種類に分類される。ＭＩＢメッセージに含まれるパラメータは、ユーザ機器（正式英語表記はＵｓｅｒ Ｅｑｕｉｐｍｅｎｔ、ＵＥと省略する）の初期アクセスプロセスに用いられるとしてよく、エボルブドＮｏｄｅＢ（正式英語表記はｅｖｏｌｖｅｄ  Ｎｏｄｅ  Ｂ、ｅＮｏｄｅＢと省略する）は、物理ブロードキャストチャネル（正式英語表記はＰｈｙｓｉｃａｌ  Ｂｒｏａｄｃａｓｔｉｎｇ  Ｃｈａｎｎｅｌ、ＰＢＣＨと省略する）を利用してＭＩＢメッセージをＵＥにブロードキャストする。
【０００４】
ＰＢＣＨは、現在のＬＴＥシステムでは、ワイドビームを用いて伝送される。ワイドビームは、当該ビームが非常に広い範囲をカバーすること、例えば、当該ビームがセル全体をカバーできることを意味する。ＭＩＢメッセージはＰＢＣＨで搬送される。ＭＩＢメッセージは、４０ミリ秒（正式英語表記はｍｉｌｌｉｓｅｃｏｎｄ、ｍｓと省略する）という期間において４回繰り返し伝送され、伝送されたＰＢＣＨはそれぞれ、同じコードワード情報を搬送する。具体的には、伝送されるコードワード情報はそれぞれ、別個にデスクランブルすることができる。このため、信号干渉比（正式英語表記はＳｉｇｎａｌ  ｔｏ  Ｉｎｔｅｒｆｅｒｅｎｃｅ  Ｒａｔｉｏ、ＳＩＲと省略する）が十分に高い場合、ＵＥは、この４０ｍｓ内に伝送されるＭＩＢメッセージを１つ受信するだけで、ＰＢＣＨで搬送されるコードワード情報を、デスクランブルによって取得することができるとしてよい。デスクランブルが失敗すると、コードワード情報は次の１０ｍｓで伝送されるＰＢＣＨで搬送される内容と組み合わせられるとしてよい。そして、ＰＢＣＨで搬送されるコードワード情報がデスクランブルで取得できるまで、合同デスクランブルを実行する。
【０００５】
モバイル通信技術の発展に伴い、今後のシステムではマッシブマルチプルインプットマルチプルアウトプット（正式英語表記はｍａｓｓｉｖｅ  Ｍｕｌｔｉｐｌｅ  Ｉｎｐｕｔ  Ｍｕｌｔｉｐｌｅ  Ｏｕｔｐｕｔ、ｍａｓｓｉｖｅ  ＭＩＭＯと省略する）技術が利用されるであろう。この技術によれば、スペクトル効率を大幅に改善することができ、ビームフォーミング（正式英語表記はｂｅａｍｆｏｒｍｉｎｇ）技術は主に現在のデータチャネルで用いられる。この場合、データチャネルのカバレッジとの整合性を引き続き維持するべく、通常チャネルとしてＰＢＣＨも複数のビームを用いて伝送する必要がある。しかし、先行技術では、ＰＢＣＨ伝送解決手段はマルチビームシステムには適用できない。これは、先行技術では、搬送している情報は同じだがスクランブルコードが異なるＰＢＣＨは、ターゲットＵＥのビームで続けて受信する必要があるためである。しかし、マッシブマルチプルインプットマルチプルアウトプット技術の要件によれば、ターゲットＵＥのビームにおいてＰＢＣＨを継続して伝送することは必ず失敗する。このため、先行技術はマルチビームシステムには適用できない。
【発明の概要】
【０００６】
本発明の実施形態は、複数のアンテナポートまたはアンテナポートグループでブロードキャストチャネルを伝送することでブロードキャストチャネルのカバレッジを拡張するデータ伝送方法、基地局およびユーザ機器を提供する。
【０００７】
上述の技術的課題を解決するべく、本発明の実施形態は以下に記載する技術的解決手段を提供する。
【０００８】
第１の態様によれば、本発明の実施形態はデータ伝送方法を提供する。当該データ伝送方法は、Ｎ個のブロードキャストチャネルで搬送される複数のデータブロックを基地局が取得する段階であって、Ｎ個のブロードキャストチャネルのうちｉ番目のブロードキャストチャネルはＮ個のアンテナポートのうちｉ番目のアンテナポートに対応するか、または、Ｎ個のブロードキャストチャネルのうちｉ番目のブロードキャストチャネルはＮ個のアンテナポートグループのうちｉ番目のアンテナポートグループに対応し、Ｎは正の整数であり、ｉは０より大きくＮ以下の正の整数である、段階と、
Ｎ個のブロードキャストチャネルで搬送されるデータブロックを基地局がスクランブルしてＮ個のブロードキャストチャネルで搬送されるスクランブル化コードブロックを取得する段階と、
ブロードキャストチャネルで搬送される対応するスクランブル化コードブロックを、Ｎ個のアンテナポートをそれぞれ用いて複数の異なる時間リソースユニットで基地局が伝送する段階か、または、ブロードキャストチャネルで搬送される対応するスクランブル化コードブロックを、Ｎ個のアンテナポートグループをそれぞれ用いて複数の異なる時間リソースユニットで基地局が伝送する段階と
を備える。
【０００９】
基地局は、Ｎ個のブロードキャストチャネルで搬送されるデータブロックを別々にスクランブルしてＮ個のブロードキャストチャネルで搬送されるスクランブル化コードブロックを取得し、複数の異なる時間リソースユニットで、ブロードキャストチャネルで搬送されるスクランブル化コードブロックを伝送する。具体的には、基地局は、時分割方式でＮ個のアンテナポートまたはＮ個のアンテナポートグループを用いて、ブロードキャストチャネルで搬送されるスクランブル化コードブロックを伝送する。ＵＥは、ＵＥに対応するアンテナポートまたはアンテナポートグループを用いて、基地局が時間リソースユニットで伝送するスクランブル化コードブロックを受信する。このように、ブロードキャストチャネルは複数のアンテナポートまたはアンテナポートグループで伝送されるので、ブロードキャストチャネルのカバレッジが拡張される。
【００１０】
第１の態様に関し、第１の態様の第１の可能な実施例では、Ｎ個のブロードキャストチャネルで搬送されるデータブロックを基地局がスクランブルしてＮ個のブロードキャストチャネルで搬送されるスクランブル化コードブロックを取得する段階は、
Ｎ個のブロードキャストチャネルのそれぞれで搬送されるデータブロックを第１のスクランブルコードを用いて基地局がスクランブルして、Ｎ個のブロードキャストチャネルで搬送されるＮ個の第１のスクランブル化コードブロックを取得する段階、および／または、
Ｎ個のブロードキャストチャネルのそれぞれで搬送されるデータブロックを第２のスクランブルコードを用いて基地局がスクランブルして、Ｎ個のブロードキャストチャネルで搬送されるＮ個の第２のスクランブル化コードブロックを取得する段階
を有し、
第１のスクランブルコードおよび第２のスクランブルコードは異なるスクランブルコードである。
【００１１】
基地局は、２種類の異なるスクランブルコードを用いて、Ｎ個のブロードキャストチャネルの全てで搬送されるデータブロックを別々にスクランブルして、２種類のスクランブルコードに対応するスクランブル化コードブロックを取得する。このため、ＵＥは、複数の異なるスクランブルコードを用いてデータブロックをデスクランブルすることができる。
【００１２】
第１の態様に関し、第１の態様の第２の可能な実施例では、Ｎ個のブロードキャストチャネルのうちｉ番目のブロードキャストチャネルはｉ番目のブロードキャストチャネルに対応するユーザ機器ＵＥのアンテナポートまたはアンテナポートグループの指定情報を搬送し、または、
Ｎ個のブロードキャストチャネルのうちｉ番目のブロードキャストチャネルで搬送されるパイロット信号はｉ番目のブロードキャストチャネルに対応するＵＥのアンテナポートまたはアンテナポートグループの指定情報に対応し、または
Ｎ個のブロードキャストチャネルのうちｉ番目のブロードキャストチャネルに対応するＵＥのアンテナポートにおける同期シーケンスの値は、ｉ番目のブロードキャストチャネルに対応するＵＥのアンテナポートの指定情報に対応するか、もしくは、Ｎ個のブロードキャストチャネルのうちｉ番目のブロードキャストチャネルに対応するＵＥのアンテナポートグループにおける同期シーケンスの値は、ｉ番目のブロードキャストチャネルに対応するＵＥのアンテナポートグループの指定情報に対応し、または、
Ｎ個のブロードキャストチャネルのうちｉ番目のブロードキャストチャネルで搬送されるデータブロックがスクランブルされる場合に用いられるスクランブルコードは、ｉ番目のブロードキャストチャネルに対応するＵＥのアンテナポートまたはアンテナポートグループの指定情報に対応する。
【００１３】
このため、基地局はＵＥのアンテナポートまたはアンテナポートグループの指定情報を複数の方法で決定するとしてよく、例えば、ブロードキャストチャネルが指定情報を搬送するか、パイロット信号が指定情報に対応するか、同期シーケンスが指定情報に対応するか、または、スクランブルコードが指定情報に対応する。ＵＥは、これらの方法で、ＵＥのアンテナポートまたはアンテナポートグループの位置情報を取得することができる。
【００１４】
第１の態様または第１の態様の第１もしくは第２の可能な実施例に関し、第１の態様の第３の可能な実施例では、Ｎ個のブロードキャストチャネルで搬送されるデータブロックを基地局がスクランブルして、Ｎ個のブロードキャストチャネルで搬送されるスクランブル化コードブロックを取得する段階の後、方法はさらに、
Ｎ個のブロードキャストチャネルのうちｉ番目のブロードキャストチャネルにおけるシステム情報を基地局が用いて、ｉ番目のブロードキャストチャネルに対応するＵＥのシステムフレーム番号ＳＦＮの第１の部分情報を指定する段階、および／または、
ｉ番目のブロードキャストチャネルに対応するＵＥに伝送されるスクランブル化コードブロックの数を用いてＳＦＮの第２の部分情報を基地局が指定する段階、および／または、
ｉ番目のブロードキャストチャネルに対応するＵＥのアンテナポートまたはアンテナポートグループの位置情報を用いて、ＳＦＮの第３の部分情報を基地局が指定する段階
を備え、
ＳＦＮは第１の部分情報および第２の部分情報から成るか、または、ＳＦＮは第１の部分情報および第３の部分情報から成るか、または、ＳＦＮは第１の部分情報、第２の部分情報および第３の部分情報から成る。
【００１５】
基地局は複数の方法でＵＥにＳＦＮを指定するとしてよく、ＵＥは、基地局が用いた方法と同じ方法でＳＦＮの構成を決定し、システム情報、スクランブル化コードブロックの数、および、ＵＥのアンテナポートまたはアンテナポートグループの位置情報のうち２個または３個を用いてＳＦＮを決定するとしてよい。
【００１６】
第１の態様の第１の可能な実施例に関し、第１の態様の第４の可能な実施例において、ブロードキャストチャネルで搬送される対応するスクランブル化コードブロックを、Ｎ個のアンテナポートをそれぞれ用いて複数の異なる時間リソースユニットで基地局が伝送する段階は、
Ｎ個のアンテナポートを用いて第１のデータ伝送期間においてＮ個の時間リソースユニットにおいてＮ個の第１のスクランブル化コードブロックを基地局がそれぞれ伝送する段階であって、Ｎ個の第１のスクランブル化コードブロックのうちｉ番目の第１のスクランブル化コードブロックは、Ｎ個のアンテナポートのうちｉ番目のアンテナポートで伝送される段階、および／または、
Ｎ個のアンテナポートを用いて第２のデータ伝送期間においてＮ個の時間リソースユニットにおいてＮ個の第２のスクランブル化コードブロックを基地局がそれぞれ伝送する段階を有し、Ｎ個の第２のスクランブル化コードブロックのうちｉ番目の第２のスクランブル化コードブロックは、Ｎ個のアンテナポートのうちｉ番目のアンテナポートで伝送される。第２のデータ伝送期間は、第１のデータ伝送期間に対して時間的に隣接するデータ伝送期間である。
【００１７】
さらに、基地局は、複数の異なるデータ伝送期間で複数の異なるスクランブル化データブロックを伝送し、ＵＥは、対応するデータ伝送期間において複数の異なるスクランブル化データブロックを受信することができ、受信したスクランブル化データブロックをデスクランブルする。
【００１８】
第１の態様の第１の可能な実施例に関し、第１の態様の第５の可能な実施例では、ブロードキャストチャネルで搬送される対応するスクランブル化コードブロックを、前記Ｎ個のアンテナポートグループをそれぞれ用いて複数の異なる時間リソースユニットで前記基地局が伝送する段階は、
Ｎ個のアンテナポートグループを用いて第１のデータ伝送期間においてＮ個の時間リソースユニットにおいてＮ個の第１のスクランブル化コードブロックを基地局がそれぞれ伝送する段階であって、Ｎ個の第１のスクランブル化コードブロックのうちｉ番目の第１のスクランブル化コードブロックは、Ｎ個のアンテナポートグループのうちｉ番目のアンテナポートグループで伝送される、段階、および／または、
Ｎ個のアンテナポートグループを用いて第２のデータ伝送期間においてＮ個の時間リソースユニットにおいてＮ個の第２のスクランブル化コードブロックを基地局がそれぞれ伝送する段階であって、Ｎ個の第２のスクランブル化コードブロックのうちｉ番目の第２のスクランブル化コードブロックは、Ｎ個のアンテナポートグループのうちｉ番目のアンテナポートグループで伝送される、段階を有する。第２のデータ伝送期間は、第１のデータ伝送期間に対して時間的に隣接するデータ伝送期間である。
【００１９】
さらに、基地局は、複数の異なるデータ伝送期間において複数の異なるスクランブル化データブロックを伝送し、ＵＥは、対応するデータ伝送期間において複数の異なるスクランブル化データブロックを受信することができ、受信したスクランブル化データブロックをデスクランブルする。
【００２０】
第１の態様に関し、第１の態様の第６の可能な実施例では、基地局はＮという値情報をＮ個のブロードキャストチャネルに追加する。または、基地局はＮ個のブロードキャストチャネルの巡回冗長検査ＣＲＣのマスクとしてＮという値情報を用いる。
【００２１】
このため、基地局は、ＣＲＣのマスクを用いてブロードキャストチャネルの数をＵＥに指定し、ＵＥは、ＣＲＣのマスクを用いてブロードキャストチャネルの数を決定することができる。
【００２２】
第１の態様の第３の可能な実施例に関し、第１の態様の第７の可能な実施例では、ＳＦＮにおいて第２の部分情報が占めるビット位置の数は、Ｎの値に基づいて決定される。
【００２３】
第１の態様の第３の可能な実施例に関し、第１の態様の第８の可能な実施例では、ＳＦＮにおいて第３の部分情報が占めるビット位置の数は、ｉ番目のブロードキャストチャネルに対応するＵＥに伝送されるスクランブル化コードブロックの数に基づいて決定される。
【００２４】
第２の態様によれば、本発明の実施形態はさらにデータ伝送方法を提供する。当該データ伝送方法は、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ユーザ機器ＵＥがＵＥに対応する時間リソースユニットで、受信する段階、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する段階と、
ｉ番目のブロードキャストチャネルで搬送されるスクランブル化コードブロックであって、ｉ番目のアンテナポートまたはｉ番目のアンテナポートグループを用いて受信するスクランブル化コードブロックをＵＥがデスクランブルする段階と
を備え、
Ｎは正の整数であり、ｉは０よりも大きくＮ以下の正の整数であり、ＵＥはｉ番目のアンテナポートまたはｉ番目のアンテナポートグループに対応する。
【００２５】
基地局は、Ｎ個のブロードキャストチャネルで搬送されるデータブロックを別々にスクランブルしてＮ個のブロードキャストチャネルで搬送されるスクランブル化コードブロックを取得し、複数の異なる時間リソースユニットで、ブロードキャストチャネルで搬送されるスクランブル化コードブロックを伝送する。具体的には、基地局は、時分割方式でＮ個のアンテナポートまたはＮ個のアンテナポートグループを用いて、ブロードキャストチャネルで搬送されるスクランブル化コードブロックを伝送する。ＵＥは、ＵＥに対応するアンテナポートまたはアンテナポートグループを用いて、基地局が時間リソースユニットで伝送するスクランブル化コードブロックを受信する。このように、ブロードキャストチャネルは複数のアンテナポートまたはアンテナポートグループで伝送されるので、ブロードキャストチャネルのカバレッジが拡張される。
【００２６】
第２の態様に関し、第２の態様の第１の可能な実施例では、ｉ番目のブロードキャストチャネルで搬送されるスクランブル化コードブロックであって、ｉ番目のアンテナポートまたはｉ番目のアンテナポートグループを用いて受信するスクランブル化コードブロックをＵＥがデスクランブルする段階は、
ｉ番目のブロードキャストチャネルで搬送されるｉ番目の第１のスクランブル化コードブロックをＵＥがデスクランブルする段階、または、
ｉ番目のブロードキャストチャネルで搬送されるｉ番目の第２のスクランブル化コードブロックをＵＥがデスクランブルする段階、または、
ｉ番目のブロードキャストチャネルで搬送されるｉ番目の第１のスクランブル化コードブロックおよびｉ番目の第２のスクランブル化コードブロックをＵＥが組み合わせた後で、組み合わせられたｉ番目の第１のスクランブル化コードブロックおよびｉ番目の第２のスクランブル化コードブロックをデスクランブルする段階
を有する。
【００２７】
基地局は、２種類の異なるスクランブルコードを用いて、Ｎ個のブロードキャストチャネルの全てで搬送されるデータブロックを別々にスクランブルして、２種類のスクランブルコードに対応するスクランブル化コードブロックを取得する。このため、ＵＥは、複数の異なるスクランブルコードを用いてデータブロックをデスクランブルすることができる。
【００２８】
第２の態様に関し、第２の態様の第２の可能な実施例では、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ユーザ機器ＵＥがＵＥに対応する時間リソースユニットで、受信する段階の前、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する段階の前に、方法はさらに、
ｉ番目のブロードキャストチャネルで搬送される指定情報に基づきＵＥのアンテナポートまたはアンテナポートグループの位置情報をＵＥが取得する段階、または、
ｉ番目のブロードキャストチャネルで搬送されるパイロット信号に基づきＵＥのアンテナポートまたはアンテナポートグループの位置情報をＵＥが取得する段階、または、
ＵＥのアンテナポートにおける同期シーケンスの値に基づきＵＥのアンテナポートの位置情報をＵＥが取得する段階、もしくは、ＵＥのアンテナポートグループにおける同期シーケンスの値に基づきＵＥのアンテナポートグループの位置情報をＵＥが取得する段階、または、
ｉ番目のブロードキャストチャネルで搬送されるスクランブル化コードブロックがデスクランブルされる場合に用いられるスクランブルコードに基づき、ＵＥのアンテナポートまたはアンテナポートグループの位置情報をＵＥが取得する段階
を備える。
【００２９】
このため、基地局はＵＥのアンテナポートまたはアンテナポートグループの指定情報を複数の方法で決定するとしてよく、例えば、ブロードキャストチャネルが指定情報を搬送するか、パイロット信号が指定情報に対応するか、同期シーケンスが指定情報に対応するか、または、スクランブルコードが指定情報に対応する。ＵＥは、これらの方法で、ＵＥのアンテナポートまたはアンテナポートグループの位置情報を取得することができる。
【００３０】
第２の態様または第２の態様の第１もしくは第２の可能な実施例に関し、第２の態様の第３の可能な実施例では、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ユーザ機器ＵＥがＵＥに対応する時間リソースユニットで、受信する段階の前、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する段階の前に、方法はさらに、
Ｎ個のブロードキャストチャネルのうちｉ番目のブロードキャストチャネルにおけるシステム情報を用いることによって、システムフレーム番号ＳＦＮの第１の部分情報をＵＥが取得する段階、および／または、ＵＥが受信するスクランブル化コードブロックの数を用いてＳＦＮの第２の部分情報をＵＥが取得する段階、および／または、ＵＥのアンテナポートまたはアンテナポートグループの位置情報を用いてＳＦＮの第３の部分情報をＵＥが取得する段階、ならびに、
第１の部分情報および第２の部分情報を用いてＳＦＮをＵＥが取得する段階、もしくは、第１の部分情報および第３の部分情報を用いてＳＦＮをＵＥが取得する段階、もしくは、第１の部分情報、第２の部分情報および第３の部分情報を用いてＳＦＮをＵＥが取得する段階
を備える。
【００３１】
基地局は複数の方法でＵＥにＳＦＮを指定するとしてよく、ＵＥは、基地局が用いた方法と同じ方法でＳＦＮの構成を決定し、システム情報、スクランブル化コードブロックの数、および、ＵＥのアンテナポートまたはアンテナポートグループの位置情報のうち２個または３個を用いてＳＦＮを決定するとしてよい。
【００３２】
第２の態様に関し、第２の態様の第４の可能な実施例において、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ユーザ機器ＵＥがＵＥに対応する時間リソースユニットで、受信する段階は、
第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートのうちｉ番目のアンテナポートを用いて基地局が伝送したｉ番目の第１のスクランブル化コードブロックをＵＥが受信する段階、および／または、
第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートのうちｉ番目のアンテナポートを用いて基地局が伝送したｉ番目の第２のスクランブル化コードブロックをＵＥが受信する段階を有し、第２のデータ伝送期間は、第１のデータ伝送期間に隣接するデータ伝送期間である。
【００３３】
さらに、基地局は、複数の異なるデータ伝送期間で複数の異なるスクランブル化データブロックを伝送し、ＵＥは、対応するデータ伝送期間において複数の異なるスクランブル化データブロックを受信することができ、受信したスクランブル化データブロックをデスクランブルする。
【００３４】
第２の態様に関し、第２の態様の第５の可能な実施例では、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ユーザ機器ＵＥがＵＥに対応する時間リソースユニットで、受信する段階は、
第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートグループのうちｉ番目のアンテナポートグループを用いて基地局が伝送したｉ番目の第１のスクランブル化コードブロックをＵＥが受信する段階、および／または
第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートグループのうちｉ番目のアンテナポートグループを用いて基地局が伝送したｉ番目の第２のスクランブル化コードブロックをＵＥが受信する段階を有する。第２のデータ伝送期間は、第１のデータ伝送期間に隣接するデータ伝送期間である。
【００３５】
さらに、基地局は、複数の異なるデータ伝送期間において複数の異なるスクランブル化データブロックを伝送し、ＵＥは、対応するデータ伝送期間において複数の異なるスクランブル化データブロックを受信することができ、受信したスクランブル化データブロックをデスクランブルする。
【００３６】
第２の態様に関し、第２の態様の第６の可能な実施例では、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ユーザ機器ＵＥがＵＥに対応する時間リソースユニットで、受信する段階の前、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する段階の前に、方法はさらに、
ｉ番目のブロードキャストチャネルで搬送されている値情報からＮの値をＵＥが取得する段階、または、
ｉ番目のブロードキャストチャネルの巡回冗長検査ＣＲＣのマスクに基づきＮの値をＵＥが取得する段階
を備える。
【００３７】
このため、基地局は、ＣＲＣのマスクを用いてブロードキャストチャネルの数をＵＥに指定し、ＵＥは、ＣＲＣのマスクを用いてブロードキャストチャネルの数を決定することができる。
【００３８】
第２の態様の第３の可能な実施例に関し、第２の態様の第７の可能な実施例では、ＳＦＮにおいて第２の部分情報が占めるビット位置の数は、Ｎの値に基づいて決定される。
【００３９】
第２の態様の第３の可能な実施例に関し、第２の態様の第８の可能な実施例では、ＳＦＮにおいて第３の部分情報が占めるビット位置の数は、ｉ番目のブロードキャストチャネルに対応するＵＥに伝送されるスクランブル化コードブロックの数に基づいて決定される。
【００４０】
第３の態様によれば、本発明の実施形態はさらに基地局を提供する。当該基地局は、Ｎ個のブロードキャストチャネルで搬送される複数のデータブロックを取得するよう構成されている取得モジュールであって、Ｎ個のブロードキャストチャネルのうちｉ番目のブロードキャストチャネルはＮ個のアンテナポートのうちｉ番目のアンテナポートに対応するか、または、Ｎ個のブロードキャストチャネルのうちｉ番目のブロードキャストチャネルはＮ個のアンテナポートグループのうちｉ番目のアンテナポートグループに対応し、Ｎは正の整数であり、ｉは０より大きくＮ以下の正の整数である、取得モジュールと、
Ｎ個のブロードキャストチャネルで搬送されるデータブロックをスクランブルしてＮ個のブロードキャストチャネルで搬送されるスクランブル化コードブロックを取得するよう構成されているスクランブルモジュールと、
ブロードキャストチャネルで搬送される対応するスクランブル化コードブロックを、Ｎ個のアンテナポートをそれぞれ用いて複数の異なる時間リソースユニットで伝送するよう構成されているか、または、ブロードキャストチャネルで搬送される対応するスクランブル化コードブロックを、Ｎ個のアンテナポートグループをそれぞれ用いて複数の異なる時間リソースユニットで伝送するよう構成されている送受信モジュールと
を備える。
【００４１】
基地局は、Ｎ個のブロードキャストチャネルで搬送されるデータブロックを別々にスクランブルしてＮ個のブロードキャストチャネルで搬送されるスクランブル化コードブロックを取得し、複数の異なる時間リソースユニットで、ブロードキャストチャネルで搬送されるスクランブル化コードブロックを伝送する。具体的には、基地局は、時分割方式でＮ個のアンテナポートまたはＮ個のアンテナポートグループを用いて、ブロードキャストチャネルで搬送されるスクランブル化コードブロックを伝送する。ＵＥは、ＵＥに対応するアンテナポートまたはアンテナポートグループを用いて、基地局が時間リソースユニットで伝送するスクランブル化コードブロックを受信する。このように、ブロードキャストチャネルは複数のアンテナポートまたはアンテナポートグループで伝送されるので、ブロードキャストチャネルのカバレッジが拡張される。
【００４２】
第３の態様に関し、第３の態様の第１の可能な実施例では、スクランブルモジュールは具体的に、Ｎ個のブロードキャストチャネルのそれぞれで搬送されるデータブロックを第１のスクランブルコードを用いてスクランブルして、Ｎ個のブロードキャストチャネルで搬送されるＮ個の第１のスクランブル化コードブロックを取得するよう構成されており、および／または、Ｎ個のブロードキャストチャネルのそれぞれで搬送されるデータブロックを第２のスクランブルコードを用いてスクランブルして、Ｎ個のブロードキャストチャネルで搬送されるＮ個の第２のスクランブル化コードブロックを取得するよう構成されており、第１のスクランブルコードおよび第２のスクランブルコードは異なるスクランブルコードである。
【００４３】
基地局は、２種類の異なるスクランブルコードを用いて、Ｎ個のブロードキャストチャネルの全てで搬送されるデータブロックを別々にスクランブルして、２種類のスクランブルコードに対応するスクランブル化コードブロックを取得する。このため、ＵＥは、複数の異なるスクランブルコードを用いてデータブロックをデスクランブルすることができる。
【００４４】
第３の態様に関し、第３の態様の第２の可能な実施例では、基地局はさらに、情報を構成するよう構成されている第１の構成モジュールを備え、情報は、Ｎ個のブロードキャストチャネルのうちｉ番目のブロードキャストチャネルはｉ番目のブロードキャストチャネルに対応するユーザ機器ＵＥのアンテナポートまたはアンテナポートグループの指定情報を保持し、または、Ｎ個のブロードキャストチャネルのうちｉ番目のブロードキャストチャネルで搬送されるパイロット信号はｉ番目のブロードキャストチャネルに対応するＵＥのアンテナポートまたはアンテナポートグループの指定情報に対応し、または  Ｎ個のブロードキャストチャネルのうちｉ番目のブロードキャストチャネルに対応するＵＥのアンテナポートにおける同期シーケンスの値は、ｉ番目のブロードキャストチャネルに対応するＵＥのアンテナポートの指定情報に対応するか、もしくは、Ｎ個のブロードキャストチャネルのうちｉ番目のブロードキャストチャネルに対応するＵＥのアンテナポートグループにおける同期シーケンスの値は、ｉ番目のブロードキャストチャネルに対応するＵＥのアンテナポートグループの指定情報に対応し、または、Ｎ個のブロードキャストチャネルのうちｉ番目のブロードキャストチャネルで搬送されるデータブロックがスクランブルされる場合に用いられるスクランブルコードは、ｉ番目のブロードキャストチャネルに対応するＵＥのアンテナポートまたはアンテナポートグループの指定情報に対応する。
【００４５】
このため、基地局はＵＥのアンテナポートまたはアンテナポートグループの指定情報を複数の方法で決定するとしてよく、例えば、ブロードキャストチャネルが指定情報を搬送するか、パイロット信号が指定情報に対応するか、同期シーケンスが指定情報に対応するか、または、スクランブルコードが指定情報に対応する。ＵＥは、これらの方法で、ＵＥのアンテナポートまたはアンテナポートグループの位置情報を取得することができる。
【００４６】
第３の態様または第３の態様の第１もしくは第２の可能な実施例に関し、第３の態様の第３の可能な実施例では、基地局はさらに、
スクランブルモジュールが、Ｎ個のブロードキャストチャネルで搬送されるデータブロックをスクランブルして、Ｎ個のブロードキャストチャネルで搬送されるスクランブル化コードブロックを取得した後、
情報を構成するよう構成されている第２の構成モジュールを備え、
情報は、
Ｎ個のブロードキャストチャネルのうちｉ番目のブロードキャストチャネルにおけるシステム情報を用いて、ｉ番目のブロードキャストチャネルに対応するＵＥのシステムフレーム番号ＳＦＮの第１の部分情報を指定し、および／または、
ｉ番目のブロードキャストチャネルに対応するＵＥに伝送されるスクランブル化コードブロックの数を用いてＳＦＮの第２の部分情報を指定し、および／または、
ｉ番目のブロードキャストチャネルに対応するＵＥのアンテナポートまたはアンテナポートグループの位置情報を用いて、ＳＦＮの第３の部分情報を指定し、
ＳＦＮは第１の部分情報および第２の部分情報から成るか、または、ＳＦＮは第１の部分情報および第３の部分情報から成るか、または、ＳＦＮは第１の部分情報、第２の部分情報および第３の部分情報から成る。
【００４７】
基地局は複数の方法でＵＥにＳＦＮを指定するとしてよく、ＵＥは、基地局が用いた方法と同じ方法でＳＦＮの構成を決定し、システム情報、スクランブル化コードブロックの数、および、ＵＥのアンテナポートまたはアンテナポートグループの位置情報のうち２個または３個を用いてＳＦＮを決定するとしてよい。
【００４８】
第３の態様の第１の可能な実施例に関し、第３の態様の第４の可能な実施例では、送受信モジュールは具体的に、
Ｎ個のアンテナポートを用いて第１のデータ伝送期間においてＮ個の時間リソースユニットにおいてＮ個の第１のスクランブル化コードブロックをそれぞれ伝送するよう構成されており、および／または、Ｎ個の第１のスクランブル化コードブロックのうちｉ番目の第１のスクランブル化コードブロックは、Ｎ個のアンテナポートのうちｉ番目のアンテナポートで伝送され、および／または、Ｎ個のアンテナポートを用いて第２のデータ伝送期間においてＮ個の時間リソースユニットにおいてＮ個の第２のスクランブル化コードブロックをそれぞれ伝送するよう構成されており、Ｎ個の第２のスクランブル化コードブロックのうちｉ番目の第２のスクランブル化コードブロックは、Ｎ個のアンテナポートのうちｉ番目のアンテナポートで伝送される。第２のデータ伝送期間は、第１のデータ伝送期間に対して時間的に隣接するデータ伝送期間である。
【００４９】
さらに、基地局は、複数の異なるデータ伝送期間で複数の異なるスクランブル化データブロックを伝送し、ＵＥは、対応するデータ伝送期間において複数の異なるスクランブル化データブロックを受信することができ、受信したスクランブル化データブロックをデスクランブルする。
【００５０】
第３の態様の第１の可能な実施例に関し、第３の態様の第５の可能な実施例では、送受信モジュールは具体的に、
Ｎ個のアンテナポートグループを用いて第１のデータ伝送期間においてＮ個の時間リソースユニットにおいてＮ個の第１のスクランブル化コードブロックをそれぞれ伝送するよう構成されており、および／または、Ｎ個の第１のスクランブル化コードブロックのうちｉ番目の第１のスクランブル化コードブロックは、Ｎ個のアンテナポートグループのうちｉ番目のアンテナポートグループで伝送され、および／または、Ｎ個のアンテナポートグループを用いて第２のデータ伝送期間においてＮ個の時間リソースユニットにおいてＮ個の第２のスクランブル化コードブロックをそれぞれ伝送するよう構成されており、Ｎ個の第２のスクランブル化コードブロックのうちｉ番目の第２のスクランブル化コードブロックは、Ｎ個のアンテナポートグループのうちｉ番目のアンテナポートグループで伝送される。第２のデータ伝送期間は、第１のデータ伝送期間に対して時間的に隣接するデータ伝送期間である。
【００５１】
第３の態様に関し、第３の態様の第６の可能な実施例では、基地局はさらに、Ｎという値情報をＮ個のブロードキャストチャネルに追加するよう構成されているか、または、Ｎ個のブロードキャストチャネルの巡回冗長検査ＣＲＣのマスクとしてＮという値情報を用いるよう構成されている第３の構成モジュールを備える。
【００５２】
このため、基地局は、ＣＲＣのマスクを用いてブロードキャストチャネルの数をＵＥに指定し、ＵＥは、ＣＲＣのマスクを用いてブロードキャストチャネルの数を決定することができる。
【００５３】
第３の態様の第３の可能な実施例に関し、第３の態様の第７の可能な実施例では、ＳＦＮにおいて第２の部分情報が占めるビット位置の数は、Ｎの値に基づいて決定される。
【００５４】
第３の態様の第３の可能な実施例に関し、第３の態様の第８の可能な実施例では、ＳＦＮにおいて第３の部分情報が占めるビット位置の数は、ｉ番目のブロードキャストチャネルに対応するＵＥに伝送されるスクランブル化コードブロックの数に基づいて決定される。
【００５５】
第４の態様によれば、本発明の実施形態はさらにユーザ機器ＵＥを提供する。当該ＵＥは、ＵＥに対応する時間リソースユニットで、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを受信するよう構成されているか、または、ＵＥに対応する時間リソースユニットで、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを受信するよう構成されている送受信モジュールと、
ｉ番目のブロードキャストチャネルで搬送されるスクランブル化コードブロックであって、ｉ番目のアンテナポートまたはｉ番目のアンテナポートグループを用いて受信するスクランブル化コードブロックをデスクランブルするよう構成されているデスクランブルモジュールと
を備え、
Ｎは正の整数であり、ｉは０よりも大きくＮ以下の正の整数であり、ＵＥはｉ番目のアンテナポートまたはｉ番目のアンテナポートグループに対応する。
【００５６】
基地局は、Ｎ個のブロードキャストチャネルで搬送されるデータブロックを別々にスクランブルしてＮ個のブロードキャストチャネルで搬送されるスクランブル化コードブロックを取得し、複数の異なる時間リソースユニットで、ブロードキャストチャネルで搬送されるスクランブル化コードブロックを伝送する。具体的には、基地局は、時分割方式でＮ個のアンテナポートまたはＮ個のアンテナポートグループを用いて、ブロードキャストチャネルで搬送されるスクランブル化コードブロックを伝送する。ＵＥは、ＵＥに対応するアンテナポートまたはアンテナポートグループを用いて、基地局が時間リソースユニットで伝送するスクランブル化コードブロックを受信する。このように、ブロードキャストチャネルは複数のアンテナポートまたはアンテナポートグループで伝送されるので、ブロードキャストチャネルのカバレッジが拡張される。
【００５７】
第４の態様に関し、第４の態様の第１の可能な実施例では、デスクランブルモジュールは具体的に、  ｉ番目のブロードキャストチャネルで搬送されるｉ番目の第１のスクランブル化コードブロックをデスクランブルするよう構成されているか、または、ｉ番目のブロードキャストチャネルで搬送されるｉ番目の第２のスクランブル化コードブロックをデスクランブルするよう構成されているか、または、ｉ番目のブロードキャストチャネルで搬送されるｉ番目の第１のスクランブル化コードブロックおよびｉ番目の第２のスクランブル化コードブロックをＵＥが組み合わせた後で、組み合わせられたｉ番目の第１のスクランブル化コードブロックおよびｉ番目の第２のスクランブル化コードブロックをデスクランブルするよう構成されている。
【００５８】
基地局は、２種類の異なるスクランブルコードを用いて、Ｎ個のブロードキャストチャネルの全てで搬送されるデータブロックを別々にスクランブルして、２種類のスクランブルコードに対応するスクランブル化コードブロックを取得する。このため、ＵＥは、複数の異なるスクランブルコードを用いてデータブロックをデスクランブルすることができる。
【００５９】
第４の態様に関し、第４の態様の第２の可能な実施例では、ユーザ機器はさらに、送受信モジュールが、ＵＥに対応する時間リソースユニットで、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを受信した後、または、ＵＥに対応する時間リソースユニットで、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを受信した後、ｉ番目のブロードキャストチャネルで搬送される指定情報に基づきＵＥのアンテナポートまたはアンテナポートグループの位置情報を取得するよう構成されているか、または、ｉ番目のブロードキャストチャネルで搬送されるパイロット信号に基づきＵＥのアンテナポートまたはアンテナポートグループの位置情報を取得するよう構成されているか、または、ＵＥのアンテナポートにおける同期シーケンスの値に基づきＵＥのアンテナポートの位置情報を取得するよう構成されているか、もしくは、ＵＥのアンテナポートグループにおける同期シーケンスの値に基づきＵＥのアンテナポートグループの位置情報を取得するよう構成されているか、または、ｉ番目のブロードキャストチャネルで搬送されるスクランブル化コードブロックがデスクランブルされる場合に用いられるスクランブルコードに基づき、ＵＥのアンテナポートまたはアンテナポートグループの位置情報を取得するよう構成されている第１の取得モジュールを備える。
【００６０】
このため、基地局はＵＥのアンテナポートまたはアンテナポートグループの指定情報を複数の方法で決定するとしてよく、例えば、ブロードキャストチャネルが指定情報を搬送するか、パイロット信号が指定情報に対応するか、同期シーケンスが指定情報に対応するか、または、スクランブルコードが指定情報に対応する。ＵＥは、これらの方法で、ＵＥのアンテナポートまたはアンテナポートグループの位置情報を取得することができる。
【００６１】
第４の態様または第４の態様の第１もしくは第２の可能な実施例に関し、第４の態様の第３の可能な実施例では、ユーザ機器はさらに、送受信モジュールが、ＵＥに対応する時間リソースユニットで、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを受信する前か、または、ＵＥに対応する時間リソースユニットで、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを受信する前に、Ｎ個のブロードキャストチャネルのうちｉ番目のブロードキャストチャネルにおけるシステム情報を用いることによって、システムフレーム番号ＳＦＮの第１の部分情報を取得するよう構成されており、および／または、ＵＥが受信するスクランブル化コードブロックの数を用いてＳＦＮの第２の部分情報を取得するよう構成されており、および／または、ＵＥのアンテナポートまたはアンテナポートグループの位置情報を用いてＳＦＮの第３の部分情報を取得するよう構成されており、ならびに、第１の部分情報および第２の部分情報を用いてＳＦＮを取得するよう構成されているか、もしくは、第１の部分情報および第３の部分情報を用いてＳＦＮを取得するよう構成されているか、もしくは、第１の部分情報、第２の部分情報および第３の部分情報を用いてＳＦＮを取得するよう構成されている第２の取得モジュールを備える。
【００６２】
基地局は複数の方法でＵＥにＳＦＮを指定するとしてよく、ＵＥは、基地局が用いた方法と同じ方法でＳＦＮの構成を決定し、システム情報、スクランブル化コードブロックの数、および、ＵＥのアンテナポートまたはアンテナポートグループの位置情報のうち２個または３個を用いてＳＦＮを決定するとしてよい。
【００６３】
第４の態様に関し、第４の態様の第４の可能な実施例において、送受信モジュールは具体的に、第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートのうちｉ番目のアンテナポートを用いて基地局が伝送したｉ番目の第１のスクランブル化コードブロックを受信するよう構成されており、および／または、第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートのうちｉ番目のアンテナポートを用いて基地局が伝送したｉ番目の第２のスクランブル化コードブロックを受信するよう構成されており、第２のデータ伝送期間は、第１のデータ伝送期間に対して隣接するデータ伝送期間である。
【００６４】
さらに、基地局は、複数の異なるデータ伝送期間で複数の異なるスクランブル化データブロックを伝送し、ＵＥは、対応するデータ伝送期間において複数の異なるスクランブル化データブロックを受信することができ、受信したスクランブル化データブロックをデスクランブルする。
【００６５】
第４の態様に関し、第４の態様の第５の可能な実施例では、送受信モジュールは具体的に、第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートグループのうちｉ番目のアンテナポートグループを用いて基地局が伝送したｉ番目の第１のスクランブル化コードブロックを受信するよう構成されており、および／または、第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートグループのうちｉ番目のアンテナポートグループを用いて基地局が伝送したｉ番目の第２のスクランブル化コードブロックを受信するよう構成されており、第２のデータ伝送期間は、第１のデータ伝送期間に対して隣接するデータ伝送期間である。
【００６６】
さらに、基地局は、複数の異なるデータ伝送期間で複数の異なるスクランブル化データブロックを伝送し、ＵＥは、対応するデータ伝送期間において複数の異なるスクランブル化データブロックを受信することができ、受信したスクランブル化データブロックをデスクランブルする。
【００６７】
第４の態様に関し、第４の態様の第６の可能な実施例では、ユーザ機器はさらに、送受信モジュールが、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットで、受信する前、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する前に、ｉ番目のブロードキャストチャネルで搬送されている値情報からＮの値を取得するよう構成されているか、または、ｉ番目のブロードキャストチャネルの巡回冗長検査ＣＲＣのマスクに基づきＮの値を取得するよう構成されている第３の取得モジュールを備える。
【００６８】
このため、基地局は、ＣＲＣのマスクを用いてブロードキャストチャネルの数をＵＥに指定し、ＵＥは、ＣＲＣのマスクを用いてブロードキャストチャネルの数を決定することができる。
【００６９】
第４の態様の第３の可能な実施例に関し、第４の態様の第７の可能な実施例では、ＳＦＮにおいて第２の部分情報が占めるビット位置の数は、Ｎの値に基づいて決定される。
【００７０】
第４の態様の第３の可能な実施例に関し、第４の態様の第８の可能な実施例では、ＳＦＮにおいて第３の部分情報が占めるビット位置の数は、ｉ番目のブロードキャストチャネルに対応するＵＥに伝送されるスクランブル化コードブロックの数に基づいて決定される。
【図面の簡単な説明】
【００７１】
本発明の実施形態における技術的解決手段の説明をより明確にするべく、実施形態を説明するために必要な添付図面を以下で簡単に説明する。以下で説明する添付図面は本発明の一部の実施形態を図示しているに過ぎず、当業者は添付図面から他の図面に相当し得ることは明らかである。
【００７２】
【図１】本発明の実施形態に係るデータ伝送方法が適用されるシステムアーキテクチャを示す概略図である。
【００７３】
【図２】本発明の実施形態に係るデータ伝送方法を示す概略ブロックフローチャートである。
【００７４】
【図３】本発明の実施形態に係るビームカバレッジを示す概略図である。
【００７５】
【図４】本発明の実施形態に係るブロードキャストチャネルで搬送されるスクランブル化コードブロックの伝送を説明するための概略図である。
【００７６】
【図５】本発明の実施形態に係る別のデータ伝送方法を示す概略ブロックフローチャートである。
【００７７】
【図６Ａ】本発明の実施形態に係る基地局の組織構造を示す概略図である。
【００７８】
【図６Ｂ】本発明の実施形態に係る別の基地局の組織構造を示す概略図である。
【００７９】
【図６Ｃ】本発明の実施形態に係る別の基地局の組織構造を示す概略図である。
【００８０】
【図６Ｄ】本発明の実施形態に係る別の基地局の組織構造を示す概略図である。
【００８１】
【図７Ａ】本発明の実施形態に係るＵＥの組織構造を示す概略図である。
【００８２】
【図７Ｂ】本発明の実施形態に係る別のＵＥの組織構造を示す概略図である。
【００８３】
【図７Ｃ】本発明の実施形態に係る別のＵＥの組織構造を示す概略図である。
【００８４】
【図７Ｄ】本発明の実施形態に係る別のＵＥの組織構造を示す概略図である。
【００８５】
【図８】本発明の実施形態に係る別の基地局の組織構造を示す概略図である。
【００８６】
【図９】本発明の実施形態に係る別のＵＥの組織構造を示す概略図である。
【発明を実施するための形態】
【００８７】
本発明の実施形態は、複数のアンテナポートまたはアンテナポートグループでブロードキャストチャネルを伝送することでブロードキャストチャネルのカバレッジを拡張するデータ伝送方法、基地局およびユーザ機器を提供する。
【００８８】
本発明の発明目的、特徴および利点をより明確にすると共に理解し易くするべく、以下では明確且つ完全に本発明の実施形態における技術的解決手段を、本発明の実施形態における添付図面を参照しつつ、説明する。以下で説明する実施形態が本発明の実施形態の全てではなく一部に過ぎないことは明らかである。本発明の実施形態に基づき当業者が想到する他の実施形態は全て、本発明の保護範囲に含まれるものとする。
【００８９】
明細書、請求項および上述した本発明の図面において「ｉｎｃｌｕｄｅ」、「ｃｏｎｔａｉｎ」といった用語および任意のその他の異綴語は、非排他的包含を含むことを意味する。これによって、一連のユニットを含むプロセス、方法、システム、製品またはデバイスは、必ずしもそれらのユニットに限定されるのではなく、当該プロセス、方法、製品またはデバイスが本来有する他のユニットまたは明示的に列挙されていないほかのユニットを含み得る。
【００９０】
最初に、本発明のデータ伝送方法が適用されるシステムアーキテクチャを簡単に説明する。本発明は主に、ＬＴＥシステム、またはロングタームエボリューションアドバンスド（正式英語表記はＬＴＥ  Ａｄｖａｎｃｅｄ、ＬＴＥ−Ａと省略）システムに適用される。本発明は他の通信システムにも適用可能である。例えば、ブロードキャストメッセージを伝送できるエンティティが通信システムに存在すると共にブロードキャストメッセージを受信できる別のエンティティが通信システムに存在するのであれば、第５世代モバイル通信技術（正式英語表記は５−Ｇｅｎｅｒａｔｉｏｎ、５Ｇと省略）システム、広帯域符号分割多重接続（正式英語表記はＷｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標）と省略）システム、または時分割同期符号分割多重接続（正式英語表記はＴｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡと省略）システムに適用されてよい。
【００９１】
図１に関し、図１は、本発明の実施形態に係るデータ伝送方法が適用されるシステムアーキテクチャを示す概略図である。ＵＥ１が所属する基地局は基地局１であり、ＵＥ２が所属する基地局は基地局２であり、ＵＥ３が所属する基地局は基地局３である。基地局１はＸ２インターフェースを用いて基地局２に接続されており、基地局１はＸ２インターフェースを用いて基地局３に接続されており、基地局２はＸ２インターフェースを用いて基地局３に接続されている。基地局１はモビリティ管理エンティティ（正式英語表記は Ｍｏｂｉｌｉｔｙ  Ｍａｎａｇｅｍｅｎｔ  Ｅｎｔｉｔｙ、ＭＭＥと省略）１／サービングゲートウェイ（正式英語表記はＳｅｒｖｉｎｇ−ＧａｔｅＷａｙ、Ｓ−ＧＷと省略）１にＳ１インターフェースを用いて接続されており、基地局２はＭＭＥ２／Ｓ−ＧＷ２にＳ１インターフェースを用いて接続されており、基地局３はＭＭＥ１／Ｓ−ＧＷ１にＳ１インターフェースを用いて接続されており、基地局３はＭＭＥ２／Ｓ−ＧＷ２にＳ１インターフェースを用いて接続されている。ＵＥ１、ＵＥ２およびＵＥ３がいるセルは、複数の異なる基地局のセルである。
【００９２】
次に、基地局が実施するデータ伝送方法を説明のための一例として用いる。本発明におけるデータ伝送方法の実施形態は、基地局側に適用可能である。本発明では、ビームスキャン方式でＰＢＣＨを伝送し得る。図２を参照すると、本発明の本実施形態で提供されるデータ伝送方法は以下の段階を含むとしてよい。
【００９３】
２０１：基地局がＮ個のブロードキャストチャネルで搬送される複数のデータブロックを取得する。Ｎ個のブロードキャストチャネルのうちｉ番目のブロードキャストチャネルはＮ個のアンテナポートのうちｉ番目のアンテナポートに対応するか、または、Ｎ個のブロードキャストチャネルのうちｉ番目のブロードキャストチャネルはＮ個のアンテナポートグループのうちｉ番目のアンテナポートグループに対応する。
【００９４】
Ｎは正の整数であり、ｉは０より大きくＮ以下の正の整数である。
【００９５】
本発明の本実施形態では、基地局はアンテナポートまたはアンテナポートグループを用いてデータを伝送するとしてよい。具体的には、基地局がＮ個のアンテナポートのそれぞれが１本のブロードキャストチャネル（ＰＢＣＨと省略する）に対応すると判断してよい。または、基地局がＮ個のアンテナポートグループのそれぞれが１本のブロードキャストチャネル（ＰＢＣＨと省略する）に対応すると判断してよい。基地局は、複数の異なるアンテナポートは複数の異なるブロードキャストチャネルに対応すると判断する。または、基地局は、複数の異なるアンテナポートグループは複数の異なるブロードキャストチャネルに対応すると判断する。複数の異なるブロードキャストチャネルは複数の異なるチャネル識別子を用いて識別されるとしてよい。または、ブロードキャストチャネルは、複数の異なるブロードキャストチャネルを区別するために用いられ得る識別子を用いて区別されるとしてよい。本発明の本実施形態において、基地局が決定したＮ個のアンテナポートが、１個のセルまたは当該セルに含まれる全てのセクタをカバーする必要があるか、または、基地局が決定したＮ個のアンテナポートグループが、１個のセルまたは当該セルに含まれる全てのセクタをカバーする必要があると留意されたい。このため、本発明の本実施形態において、基地局の１個のセルは、Ｎ個のアンテナポートまたはＮ個のアンテナポートグループによってカバーされるとしてよい。
【００９６】
本発明の本実施形態では、基地局は１個のアンテナポートを用いてデータを１個のＵＥに伝送するとしてよく、または、基地局は１個のアンテナポートグループを用いてデータを１個のＵＥに伝送するとしてよい。アンテナポートは、伝送に用いられる論理ポートであり、物理的なアンテナとの間には一対一の対応関係は定義されない。アンテナポートは、当該アンテナポートに用いられる基準信号によって定義される。具体的には、用いられる基準信号は特定の種類の論理ポートの名称である。アンテナポートグループは、複数のアンテナポートを含み、１個のアンテナポートグループを用いて１個のＵＥにデータを伝送するとしてよい。
【００９７】
本発明の本実施形態では、１個のアンテナポートが１本のブロードキャストチャネルに対応する場合、アンテナポートはビーム（英語表記：ｂｅａｍ）と呼ばれる場合もあることに留意されたい。本発明の本実施形態では、１個のアンテナポートグループが１本のブロードキャストチャネルに対応する場合、アンテナポートグループはビームと呼ばれる場合もある。各ブロードキャストチャネルは１本のビームに対応する。Ｎ個のブロードキャストチャネルが存在する場合、Ｎ個のブロードキャストチャネルのうちｉ番目のブロードキャストチャネルは、Ｎ個のビームのうちｉ番目のビームに対応する。説明のために例を用いる。図３に示すように、マルチビームシステムにおける時分割スキャン方式でのブロードキャストチャネルにおける伝送を一例として用いる。図３は、本発明の実施形態に係るビームカバレッジを示す概略図である。セル全体では８個のセクタがあり、これら８個のセクタのカバレッジ角は１２０度であり、合計で８本のブロードキャストチャネルがある。８本のブロードキャストチャネルは、時分割スキャンにおいて合計で８本のビームを用いる。基地局はまず、セル全体でそれぞれ８本のビームに対応するブロードキャストチャネルを取得する。８本のビームはちょうど、セルをカバーするか、または、セル全体に含まれるセクタ全てをカバーする。
【００９８】
本発明の本実施形態において、基地局はまずＮ個のブロードキャストチャネルで搬送される複数のデータブロックを取得することと、１個のデータブロックまたは複数のデータブロックが各ブロードキャストチャネルで搬送されていることとに留意されたい。例えば、ｋ個（ｋは１以上の自然数）のデータブロックが各ブロードキャストチャネルで搬送されている。このため、基地局はＮ個のブロードキャストチャネルで搬送されているｋ×Ｎ個のデータブロックを取得することができる。
【００９９】
本発明の一部の実施形態では、受信側（つまりＵＥ）がＮの値を取得できるようにするべく、基地局はＮという値情報をＮ個のブロードキャストチャネルに追加する。または、基地局はＮ個のブロードキャストチャネルの巡回冗長検査（正式英語表記はＣｙｃｌｉｃａｌ  Ｒｅｄｕｎｄａｎｃｙ  Ｃｈｅｃｋ、ＣＲＣと省略する）のマスクとしてＮという値情報を用いる。具体的には、基地局はアンテナポート（またはアンテナポートグループ）の数に関する情報をＮ個のブロードキャストチャネルに追加するとしてよい。これによって、ＵＥは、当該ＵＥに対応するブロードキャストチャネルから、当該ブロードキャストチャネルで搬送されるアンテナポート（またはアンテナポートグループ）の数に関する情報を取得するとしてよく、ＵＥはＮの具体的な値を決定するとしてよい。これに加えて、本発明の本実施形態では、基地局は、直接方式（例えば、Ｎという値情報はＮ個のブロードキャストチャネルを用いて搬送される）を用いることに代えて、間接方式を利用するとしてよい。例えば、基地局は、Ｎ個のブロードキャストチャネルのＣＲＣのマスクとしてＮという値情報を利用し、ＵＥは、当該ＵＥに対応するブロードキャストチャネルのＣＲＣが用いるマスクを用いて、基地局が利用するＮの値を決定するとしてよい。
【０１００】
説明のために例を用いる。基地局側で用いられるＮの値をＵＥが取得する方法、つまり、基地局によるビームの数を決定する方法を提供する。基地局は、ビーム数の指定情報を直接的に情報要素に追加するとしてよく、例えば、これに限定されないが、ビーム数情報要素をブロードキャストチャネルに追加するとしてよい。ビーム数の値は４／８／１６であると仮定する。例えば、下記の表１で示す実施例によると、基地局はＢｅａｍＮｕｍ情報要素をブロードキャストチャネル上のＭＩＢメッセージに追加する。ここで、情報要素はビーム数に関する情報を保持するために用いられ、ＵＥはＭＩＢメッセージに含まれるＢｅａｍＮｕｍ情報要素からビーム数を取得するとしてよい。
【表１】
2019504541.tif 000003
【０１０１】
本発明の一部の他の実施形態では基地局は間接方式でビーム数に関する情報を追加し得ることに留意されたい。例えば、これに限定されないが、セル内のビーム数は４／８／１６であり、基地局は実際に利用されるビーム数をＵＥに通知する必要がある。基地局は、ビーム数に基づいてＰＢＣＨのＣＲＣをスクランブルするとしてよく、ＵＥはデスクランブルによってセル内のビーム数を取得するとしてよい。例えば、複数の異なるビーム数とＣＲＣのマスクとの対応関係を下記の表２に示す。
【表２】
2019504541.tif 000004
【０１０２】
上述した例から、本発明の本実施形態では、基地局が直接的または間接的に、ネットワーク側で現在用いているビーム数をＵＥに通知し得ることが分かるであろう。
【０１０３】
本発明の一部の実施形態では、基地局は、ＵＥのアンテナポートまたはアンテナポートグループの位置をＵＥに通知するとしてよい。基地局は、複数の方法で、ＵＥのアンテナポートまたはアンテナポートグループの位置をＵＥに通知するとしてよい。例えば、基地局は、以下に記載する方法のうち少なくとも１つの方法で、ｉ番目のブロードキャストチャネルに対応するＵＥのアンテナポートまたはアンテナポートグループの位置を指定するとしてよい。
【０１０４】
Ａ１：Ｎ個のブロードキャストチャネルのうちｉ番目のブロードキャストチャネルはｉ番目のブロードキャストチャネルに対応するＵＥのアンテナポートまたはアンテナポートグループの指定情報を搬送する。または
Ａ２：Ｎ個のブロードキャストチャネルのうちｉ番目のブロードキャストチャネルで搬送されるパイロット信号はｉ番目のブロードキャストチャネルに対応するＵＥのアンテナポートまたはアンテナポートグループの指定情報に対応する。または
Ａ３：Ｎ個のブロードキャストチャネルのうちｉ番目のブロードキャストチャネルに対応するＵＥのアンテナポートにおける同期シーケンスの値は、ｉ番目のブロードキャストチャネルに対応するＵＥのアンテナポートの指定情報に対応するか、もしくは、Ｎ個のブロードキャストチャネルのうちｉ番目のブロードキャストチャネルに対応するＵＥのアンテナポートグループにおける同期シーケンスの値は、ｉ番目のブロードキャストチャネルに対応するＵＥのアンテナポートグループの指定情報に対応する。または
Ａ４：Ｎ個のブロードキャストチャネルのうちｉ番目のブロードキャストチャネルで搬送されるデータブロックがスクランブルされる場合に用いられるスクランブルコードは、ｉ番目のブロードキャストチャネルに対応するＵＥのアンテナポートまたはアンテナポートグループの指定情報に対応する。
【０１０５】
Ａ１に示す実施例では、基地局は、ｉ番目のブロードキャストチャネルに、ｉ番目のブロードキャストチャネルに対応するＵＥのアンテナポートまたはアンテナポートグループの指定情報を直接追加する。そして、ｉ番目のブロードキャストチャネルに対応するＵＥは、ｉ番目のブロードキャストチャネルで搬送される指定情報を受信することで、ＵＥのアンテナポートまたはアンテナポートグループの位置を取得する。以下では説明のために例を用いる。基地局は、情報要素を用いることでＵＥのビームに関する情報を直接的に通知するとしてよい。例えば、これに限定されないが、ＵＥのビームで伝送されるＰＢＣＨ情報要素にビーム識別子（正式英語表記、Ｉｄｅｎｔｉｔｙ、ＩＤと省略する）情報を直接追加する。これによって、ＵＥはＰＢＣＨを復調することでＵＥの現在のビームに関する情報を取得できる。例えば、下記の表３に示す実施例では、基地局はブロードキャストチャネル上のＭＩＢメッセージにＢｅａｍＩｄ情報要素を追加する。当該情報要素は、ＵＥのビームの位置情報を保持するために用いられ、ＵＥはＭＩＢメッセージ内のＢｅａｍＩｄ情報要素からＵＥのビームの位置を取得するとしてよい。
【表３】
2019504541.tif 000005
【０１０６】
本発明ではＡ２に示す実施例において、Ｎ個のブロードキャストチャネルのうちｉ番目のブロードキャストチャネルで搬送されるパイロット信号はｉ番目のブロードキャストチャネルに対応するＵＥのアンテナポートまたはアンテナポートグループの指定情報に対応する。具体的には、基地局は異なるＵＥについて異なるパイロット信号を用いており、パイロット信号と、ＵＥのアンテナポートまたはアンテナポートグループとの間には対応関係がある。例えば、基地局は異なるブロードキャストチャネルについて異なるパイロット信号を設定する。これによって、ＵＥは、パイロット信号を復調することで、ＵＥの現在のビームに関する情報を把握できる。基地局は異なるＵＥに異なるパイロット信号をそれぞれ伝送し、これらの異なるパイロット信号は、異なるＵＥのビームに関する情報に対応する。基地局は複数の異なるＵＥのビームに関する情報を取得し、基地局はビームに関する情報を間接方式でＵＥに通知する。ＵＥのビームに関する情報はビームの識別子であってよく、もちろんビームに関する情報はビームの属性情報であってもよい。基地局は、各ＵＥのビームに関する情報について、ビームに関する情報とパイロット信号との間に対応関係を構築し、基地局は、各ＵＥに、ＵＥのビームに関する情報に対応するパイロット信号を伝送する。例えば、１個の同じ基地局が３個のＵＥを管理する。基地局は、３個の異なるパイロット信号を取得し、パイロット信号とＵＥのビームに関する情報との間の対応関係を構築する。ＵＥ１のビームに関する情報はパイロット信号１に対応し、ＵＥ２のビームに関する情報はパイロット信号２に対応し、ＵＥ３のビームに関する情報はパイロット信号３に対応する。基地局がパイロット信号１をＵＥ１に伝送する場合、ＵＥ１がパイロット信号１を受信した後、ＵＥ１は、パイロット信号とＵＥのビームに関する情報との間の対応関係に基づき、パイロット信号１に対応するビームに関する情報を取得する。他の２個のＵＥについての処理もこれと同様である。
【０１０７】
本発明においてＡ３で示す実施例では、Ｎ個のブロードキャストチャネルのうちｉ番目のブロードキャストチャネルに対応するＵＥのアンテナポートにおける同期シーケンスの値は、ｉ番目のブロードキャストチャネルに対応するＵＥのアンテナポートの指定情報に対応するか、または、Ｎ個のブロードキャストチャネルのうちｉ番目のブロードキャストチャネルに対応するＵＥのアンテナポートグループにおける同期シーケンスの値は、ｉ番目のブロードキャストチャネルに対応するＵＥのアンテナポートグループの指定情報に対応する。基地局は、異なるビームにおける同期シーケンス（正式英語表記はＳｙｎｃｈｒｏｎｉｚａｔｉｏｎ  Ｓｅｑｕｅｎｃｅ、ＳＳと省略する）について異なるシーケンス値を決定する。異なる同期シーケンスは異なるＵＥのビームに関する情報に対応する。基地局は、複数の異なるＵＥのビームに関する情報を取得し、基地局は、ビームに関する情報を間接方式でＵＥに通知する。例えば、基地局は、各ＵＥのビームに関する情報について、ビームに関する情報とビームにおける同期シーケンスとの間に対応関係を構築し、基地局は、各ＵＥに対して、ＵＥのビームに関する情報に対応するビームにおける同期シーケンスを伝送する。例えば、１個の同じ基地局が３個のＵＥを管理する。基地局は、３個の異なるビームにおいて同期シーケンスを取得し、ビームにおける同期シーケンスとＵＥのビームに関する情報との間に対応関係を構築する。ＵＥ１のビームに関する情報はビームにおける同期シーケンス１に対応し、ＵＥ２のビームに関する情報はビームにおける同期シーケンス２に対応し、ＵＥ３のビームに関する情報はビームにおける同期シーケンス３に対応する。基地局がＵＥ１に対してビームにおいて同期シーケンス１を伝送する場合、ＵＥ１がビームにおいて同期シーケンス１を受信した後、ＵＥ１は、ビームにおける同期シーケンスとＵＥのビームに関する情報との間の対応関係に基づき、ビームにおける同期シーケンス１に対応するビームに関する情報を取得する。他の２個のＵＥについての処理もこれと同様である。
【０１０８】
本発明においてＡ４で示す実施例において、Ｎ個のブロードキャストチャネルのうちｉ番目のブロードキャストチャネルで搬送されるデータブロックがスクランブルされる場合に用いられるスクランブルコードは、ｉ番目のブロードキャストチャネルに対応するＵＥのアンテナポートまたはアンテナポートグループの指定情報に対応する。基地局は、異なるスクランブルコードを用いて異なるＵＥのビームにおけるデータブロックをスクランブルし、異なるスクランブルコードは異なるＵＥのビームに関する情報に対応する。基地局は複数の異なるＵＥのビームに関する情報を取得し、基地局はビームに関する情報を間接方式でＵＥに通知する。例えば、基地局は、各ＵＥのビームに関する情報について、ビームに関する情報とスクランブルコードとの間の対応関係を構築し、基地局は、異なるスクランブルコードをそれぞれ用いることで、ＵＥに伝送されるデータブロックをスクランブルする。例えば、１個の同じ基地局が３個のＵＥを管理する。基地局は、３個の異なるスクランブルコードを取得し、異なるスクランブルコードとＵＥのビームに関する情報との間の対応関係を構築する。ＵＥ１のビームに関する情報はスクランブルコード１に対応し、ＵＥ２のビームに関する情報はスクランブルコード２に対応し、ＵＥ３のビームに関する情報はスクランブルコード３に対応する。基地局がスクランブル化コードブロックをＵＥ１に伝送する場合、ＵＥ１がスクランブルコード１を取得した後、ＵＥ１は、スクランブルコードとＵＥのビームに関する情報との間の対応関係に基づき、スクランブルコード１に対応するビームに関する情報を取得する。他の２個のＵＥについての処理もこれと同様である。
【０１０９】
２０２：基地局は、Ｎ個のブロードキャストチャネルで搬送されるデータブロックをスクランブルして、Ｎ個のブロードキャストチャネルで搬送されるスクランブル化コードブロックを取得する。
【０１１０】
本発明の本実施形態では、基地局がＮ個のブロードキャストチャネルで搬送されるデータブロックを取得した後、基地局は、Ｎ個のブロードキャストチャネルで搬送されるスクランブル化コードブロックを取得するためには、Ｎ個のブロードキャストチャネルで搬送されるデータブロックを別々にスクランブルする必要がある。基地局がスクランブルコードを用いてＮ個のブロードキャストチャネルのそれぞれで搬送されるデータブロックをスクランブルした後、Ｎ個のブロードキャストチャネルで搬送されるスクランブル化コードブロックが取得され得る。
【０１１１】
本発明の一部の実施形態では、基地局がＮ個のブロードキャストチャネルで搬送されるデータブロックをスクランブルしてＮ個のブロードキャストチャネルで搬送されるスクランブル化コードブロックを取得する段階２０２は具体的に以下の段階を含む。
【０１１２】
Ｂ１：基地局がＮ個のブロードキャストチャネルのそれぞれで搬送されるデータブロックを第１のスクランブルコードを用いてスクランブルして、Ｎ個のブロードキャストチャネルで搬送されるＮ個の第１のスクランブル化コードブロックを取得する。および／または
Ｂ２：基地局がＮ個のブロードキャストチャネルのそれぞれで搬送されるデータブロックを第２のスクランブルコードを用いてスクランブルして、Ｎ個のブロードキャストチャネルで搬送されるＮ個の第２のスクランブル化コードブロックを取得する。第１のスクランブルコードおよび第２のスクランブルコードは異なるスクランブルコードである。
【０１１３】
本発明の本実施形態では、基地局は、異なるスクランブルコードを用いてＮ個のブロードキャストチャネルで搬送されるデータブロックをスクランブルするとしてよい。基地局が１個の同じデータブロックを複数の異なるスクランブルコードを用いてスクランブルする場合、複数の異なるスクランブル化コードブロックが取得され得る。具体的には、段階Ｂ１および段階Ｂ２における２つのスクランブルコード（第１のスクランブルコードおよび第２のスクランブルコード）を説明のための例として用いる。基地局がＮ個のブロードキャストチャネルのそれぞれで搬送されるデータブロックを第１のスクランブルコードを用いてスクランブルする場合、Ｎ個のブロードキャストチャネルで搬送されるＮ個の第１のスクランブル化コードブロックが取得される。基地局がＮ個のブロードキャストチャネルのそれぞれで搬送されるデータブロックを第２のスクランブルコードを用いてスクランブルする場合、Ｎ個のブロードキャストチャネルで搬送されるＮ個の第２のスクランブル化コードブロックが取得される。同様に、基地局が、４つのスクランブルコード（それぞれ第１のスクランブルコード、第２のスクランブルコード、第３のスクランブルコードおよび第４のスクランブルコード）を用いて、Ｎ個のブロードキャストチャネルで搬送されるデータブロックをスクランブルする場合、Ｎ個のブロードキャストチャネルで搬送されるＮ個の第３のスクランブル化コードブロックおよびＮ個のブロードキャストチャネルで搬送されるＮ個の第４のスクランブル化コードブロックが取得され得る。
【０１１４】
前述した本発明の実施形態では、基地局は、Ｎ個のブロードキャストチャネルのそれぞれで搬送されるデータブロックを、同じスクランブルコードを用いて同じデータ伝送期間において、スクランブルすること、および、基地局は、Ｎ個のブロードキャストチャネルのそれぞれで搬送されるデータブロックを、複数の異なるスクランブルコードを用いて複数の異なるデータ伝送期間において、スクランブルすることに留意されたい。これによって、ＵＥは、基地局が用いた複数の異なるスクランブルコードを用いて、基地局がスクランブル化コードブロックを伝送するデータ伝送期間を決定することができる。
【０１１５】
本発明の本実施形態では、異なるアンテナポート（またはアンテナポートグループ）について異なるブロードキャストチャネルを基地局がそれぞれ決定した後、基地局は異なるアンテナポート（またはアンテナポートグループ）に対応するブロードキャストチャネルで搬送されるデータブロックを別々にスクランブルする。基地局が、Ｎ個のＵＥにＮ個のブロードキャストチャネルをそれぞれ伝送する必要がある場合、各ＵＥのアンテナポート（またはアンテナポートグループ）について、基地局は、異なるスクランブルコードを用いて同じデータ伝送期間において、同じアンテナポート（またはアンテナポートグループ）に所属するブロードキャストチャネルで搬送されるデータブロックをスクランブルし、異なる対応するＵＥについて、基地局は、同じデータ伝送期間において異なる時間リソースユニットで、異なるアンテナポート（またはアンテナポートグループ）に対応するブロードキャストチャネルをスクランブルする。このため、基地局がスクランブルを完了した後、各アンテナポート（またはアンテナポートグループ）について、異なるスクランブルコードを用いて同じデータ伝送期間においてブロードキャストチャネルがスクランブルされた後、複数のスクランブル化コードブロックが取得される。複数のスクランブル化コードブロックは相互に関連付けられている。本発明の本実施形態では、時間リソースユニットは具体的には、フレームもしくはサブフレーム、または、異なる時点を区別するために用いられる別のリソースであることに留意されたい。これに加えて、データ伝送期間は、複数の時間リソースユニットを含む期間であり、例えば、１つのデータ伝送期間は８つの時間リソースユニットを含む。時間リソースユニットおよびデータ伝送期間の具体的な実施例は、適用する状況を考え併せて具体的に決定する必要がある。
【０１１６】
本発明の一部の実施形態では、Ｎ個のアンテナポートをそれぞれ用いて異なる時間リソースユニットで、ブロードキャストチャネルで搬送される対応するスクランブル化コードブロックを基地局が伝送する段階２０２は具体的に以下の段階を含むとしてよい。
【０１１７】
Ｃ１：基地局は、Ｎ個のアンテナポートを用いて第１のデータ伝送期間においてＮ個の時間リソースユニットにおいてＮ個の第１のスクランブル化コードブロックをそれぞれ伝送する。Ｎ個の第１のスクランブル化コードブロックのうちｉ番目の第１のスクランブル化コードブロックは、Ｎ個のアンテナポートのうちｉ番目のアンテナポートで伝送される。および／または、
Ｃ２：基地局は、Ｎ個のアンテナポートを用いて第２のデータ伝送期間においてＮ個の時間リソースユニットにおいてＮ個の第２のスクランブル化コードブロックをそれぞれ伝送する。Ｎ個の第２のスクランブル化コードブロックのうちｉ番目の第２のスクランブル化コードブロックは、Ｎ個のアンテナポートのうちｉ番目のアンテナポートで伝送される。第２のデータ伝送期間は、第１のデータ伝送期間に対して時間的に隣接するデータ伝送期間である。
【０１１８】
本発明の一部の他の実施形態では、Ｎ個のアンテナポートグループをそれぞれ用いて異なる時間リソースユニットで、ブロードキャストチャネルで搬送される対応するスクランブル化コードブロックを基地局が伝送する段階２０２は以下の段階を含む。
【０１１９】
Ｄ１：基地局は、Ｎ個のアンテナポートグループを用いて第１のデータ伝送期間においてＮ個の時間リソースユニットにおいてＮ個の第１のスクランブル化コードブロックをそれぞれ伝送する。Ｎ個の第１のスクランブル化コードブロックのうちｉ番目の第１のスクランブル化コードブロックは、Ｎ個のアンテナポートグループのうちｉ番目のアンテナポートグループで伝送される。および／または、
Ｄ２：基地局は、Ｎ個のアンテナポートグループを用いて第２のデータ伝送期間においてＮ個の時間リソースユニットにおいてＮ個の第２のスクランブル化コードブロックをそれぞれ伝送する。Ｎ個の第２のスクランブル化コードブロックのうちｉ番目の第２のスクランブル化コードブロックは、Ｎ個のアンテナポートグループのうちｉ番目のアンテナポートグループで伝送される。第２のデータ伝送期間は、第１のデータ伝送期間に対して時間的に隣接するデータ伝送期間である。
【０１２０】
段階Ｃ１および段階Ｃ２の実施例は段階Ｄ１および段階Ｄ２の実施例と同様であり、相違点はスクランブル化コードブロックがアンテナポートまたはアンテナポートグループのいずれを用いて伝送されるかにある。段階Ｃ１および段階Ｃ２の実施例を一例として用いると、２つの隣接するデータ伝送期間が設定され、第２のデータ伝送期間は、第１のデータ伝送期間に対して時間的に隣接するデータ伝送期間であり、データは第２のデータ伝送期間の前に第１のデータ伝送期間で伝送される。Ｎ個のアンテナポートが存在する場合、Ｎ個のブロードキャストチャネルで搬送されるデータブロックが第１のスクランブルコードを用いてスクランブルされた後、Ｎ個の第１のスクランブル化コードブロックが取得され、Ｎ個のブロードキャストチャネルで搬送されるデータブロックが第２のスクランブルコードを用いてスクランブルされた後、Ｎ個の第２のスクランブル化コードブロックが取得される。Ｎ個の第１のスクランブル化コードブロックのうちｉ番目の第１のスクランブル化コードブロックはｉ番目のアンテナポートで第１のデータ伝送期間において伝送され、Ｎ個の第２のスクランブル化コードブロックのうちｉ番目の第２のスクランブル化コードブロックはｉ番目のアンテナポートで第２のデータ伝送期間において伝送される。これによって、ｉ番目のブロードキャストチャネルに対応するＵＥは第１のデータ伝送期間においてｉ番目の第１のスクランブル化コードブロックを受信し、当該ＵＥは第２のデータ伝送期間においてｉ番目の第２のスクランブル化コードブロックを受信する。ｉ番目の第１のスクランブル化コードブロックおよびｉ番目の第２のスクランブル化コードブロックは、異なるスクランブルコードを用いて（つまり、第１のスクランブルコードおよび第２のスクランブルコード）ｉ番目のブロードキャストチャネルで搬送されている１個の同じデータブロックを別々に基地局がスクランブルした後で取得されるスクランブル化コードブロックである。ＵＥは、ｉ番目の第１のスクランブル化コードブロックをデスクランブルするとしてよく、または、ｉ番目の第２のスクランブル化コードブロックをデスクランブルするとしてよく、または、ｉ番目の第１のスクランブル化コードブロックのデスクランブルに失敗した後でｉ番目の第１のスクランブル化コードブロックおよびｉ番目の第２のスクランブル化コードブロックを組み合わせ、その後で組み合わせることで得られた結果をデスクランブルするとしてよい。これによって、基地局が伝送したデータブロックをＵＥが正しく受信する確率が改善される。基地局は、ｉ番目の第１のスクランブル化コードブロックおよびｉ番目の第２のスクランブル化コードブロックをそれぞれ、同じＵＥに対して、２個の異なるデータ伝送期間において伝送する。このため、本発明の本実施形態では、基地局は同じＵＥのデータを継続的に伝送する必要があるという制限が課されず、基地局は先行技術のようにデータを継続的に伝送する必要がない。このため、本発明の本実施形態で提供されるデータ伝送方法はマルチビームシステムに適用可能である。
【０１２１】
本発明の一部の実施形態では、システムフレーム番号（正式英語表記はＳｙｓｔｅｍ  Ｆｒａｍｅ  Ｎｕｍｂｅｒ、ＳＦＮと省略する）セルシステムフレーム番号カウンタ。ＳＦＮは、システム情報に含まれ、ブロードキャストチャネルでセル全体にブロードキャストされ、ページンググループおよびシステム情報スケジューリングに利用される。本発明の本実施形態は複数のビームにおいてＳＦＮを伝送する解決手段を提供する。当該解決手段では、ＳＦＮ情報は、搬送のために複数のキャリアに分散させ、その後、ＵＥ側では、一般的な情報を取得した後、ＳＦＮの値を算出するべく組み合わせを実行する。キャリアは、これに限定されないが、ＵＥのアンテナポート（アンテナポートグループ）の位置、データブロックに用いられるスクランブルコード、および、ブロードキャストチャネル上のシステム情報に含まれるＳＦＮ情報を含む。
【０１２２】
本発明の一部の実施形態では、基地局がＮ個のブロードキャストチャネルで搬送されるデータブロックをスクランブルしてＮ個のブロードキャストチャネルで搬送されるスクランブル化コードブロックを取得する段階２０２の後、本発明の本実施形態で提供されるデータ伝送方法はさらに以下の段階を含むとしてよい。
【０１２３】
Ｅ１：基地局が、Ｎ個のブロードキャストチャネルのうちｉ番目のブロードキャストチャネルにおけるシステム情報を用いて、ｉ番目のブロードキャストチャネルに対応するＵＥのシステムフレーム番号ＳＦＮの第１の部分情報を指定する。
【０１２４】
Ｅ２：基地局が、ｉ番目のブロードキャストチャネルに対応するＵＥに伝送されるスクランブル化コードブロックの数を用いてＳＦＮの第２の部分情報を指定する。ＳＦＮは第１の部分情報および第２の部分情報から成る。
【０１２５】
段階Ｅ１および段階Ｅ２の実施例において、ＳＦＮは第１の部分情報および第２の部分情報から成る。第１の部分情報は、ｉ番目のブロードキャストチャネルにおけるシステム情報を用いて指定されるとしてよく、第２の部分情報は、ｉ番目のブロードキャストチャネルに対応するＵＥのスクランブル化コードブロックの数を用いて指定されるとしてよい。第１の部分情報は、ＳＦＮの高位ビット情報を指定するために用いられるとしてよく、第２の部分情報は、ＳＦＮの低位ビット情報を指定するために用いられるとしてよい。これに代えて、第１の部分情報は、ＳＦＮの低位ビット情報を指定するために用いられるとしてよく、第２の部分情報は、ＳＦＮの高位ビット情報を指定するために用いられるとしてよい。
【０１２６】
これに加えて、本発明の本実施形態では、ＳＦＮは第１の部分情報および第２の部分情報から成る。ＳＦＮにおいて合計でｘ個のビット位置がある場合、第１の部分情報はＳＦＮにおけるｙ個のビット位置を指定するとしてよく、第２の部分情報はＳＦＮにおけるｚ個のビット位置を指定する。ここで、ｘ、ｙおよびｚは全て自然数であり、ｘ＝ｙ＋ｚである。これに加えて、ｘ、ｙおよびｚの具体的な値は、具体的に適用する場合に構成されるとしてよく、本明細書では特に限定されない。
【０１２７】
本発明の一部の他の実施形態では、基地局がＮ個のブロードキャストチャネルで搬送されるデータブロックをスクランブルしてＮ個のブロードキャストチャネルで搬送されるスクランブル化コードブロックを取得する段階２０２の後、本発明の本実施形態で提供されるデータ伝送方法はさらに、以下の段階を含むとしてよい。
【０１２８】
Ｆ１：基地局が、Ｎ個のブロードキャストチャネルのうちｉ番目のブロードキャストチャネルにおけるシステム情報を用いて、ｉ番目のブロードキャストチャネルに対応するＵＥのシステムフレーム番号ＳＦＮの第１の部分情報を指定する。
【０１２９】
Ｆ２：基地局が、ｉ番目のブロードキャストチャネルに対応するＵＥのアンテナポートまたはアンテナポートグループの位置情報を用いてＳＦＮの第３の部分情報を指定する。ＳＦＮは第１の部分情報および第３の部分情報から成る。
【０１３０】
段階Ｆ１および段階Ｆ２の実施例において、ＳＦＮは第１の部分情報および第３の部分情報から成る。第１の部分情報は、ｉ番目のブロードキャストチャネルにおけるシステム情報を用いて指定されるとしてよく、第３の部分情報は、ｉ番目のブロードキャストチャネルに対応するＵＥのアンテナポート（アンテナポートグループ）を用いて指定するとしてよい。第１の部分情報は、ＳＦＮの高位ビット情報を指定するために用いられるとしてよく、第３の部分情報は、ＳＦＮの低位ビット情報を指定するために用いられるとしてよい。これに代えて、第１の部分情報は、ＳＦＮの低位ビット情報を指定するために用いられるとしてよく、第３の部分情報は、ＳＦＮの高位ビット情報を指定するために用いられるとしてよい。
【０１３１】
これに加えて、本発明の本実施形態において、ＳＦＮは第１の部分情報および第３の部分情報から成る。ＳＦＮにおいて合計でｘ個のビット位置がある場合、第１の部分情報はＳＦＮにおけるｙ個のビット位置を指定するとしてよく、第３の部分情報はＳＦＮにおけるｚ個のビット位置を指定する。ここで、ｘ、ｙおよびｚは全て自然数であり、ｘ＝ｙ＋ｚである。これに加えて、ｘ、ｙおよびｚの具体的な値は、具体的に適用する場合に構成されるとしてよく、本明細書では特に限定されない。
【０１３２】
本発明の一部の他の実施形態では、基地局がＮ個のブロードキャストチャネルで搬送されるデータブロックをスクランブルしてＮ個のブロードキャストチャネルで搬送されるスクランブル化コードブロックを取得する段階２０２の後、本発明の本実施形態で提供されるデータ伝送方法はさらに以下の段階を含むとしてよい。
【０１３３】
Ｇ１：基地局が、Ｎ個のブロードキャストチャネルのうちｉ番目のブロードキャストチャネルにおけるシステム情報を用いて、ｉ番目のブロードキャストチャネルに対応するＵＥのシステムフレーム番号ＳＦＮの第１の部分情報を指定する。
【０１３４】
Ｇ２：基地局が、ｉ番目のブロードキャストチャネルに対応するＵＥに伝送されるスクランブル化コードブロックの数を用いてＳＦＮの第２の部分情報を指定する。
【０１３５】
Ｇ３：基地局が、ｉ番目のブロードキャストチャネルに対応するＵＥのアンテナポートまたはアンテナポートグループの位置情報を用いてＳＦＮの第３の部分情報を指定する。ＳＦＮは第１の部分情報、第２の部分情報および第３の部分情報から成る。
【０１３６】
段階Ｇ１から段階Ｇ３の実施例において、ＳＦＮは第１の部分情報、第２の部分情報および第３の部分情報から成る。第１の部分情報は、ｉ番目のブロードキャストチャネルにおけるシステム情報を用いて指定されるとしてよく、第２の部分情報は、ｉ番目のブロードキャストチャネルに対応するＵＥのスクランブル化コードブロックの数を用いて指定されるとしてよく、第３の部分情報は、ｉ番目のブロードキャストチャネルに対応するＵＥのアンテナポート（アンテナポートグループ）を用いて指定するとしてよい。第１の部分情報は、ＳＦＮの高位ビット情報を指定するために用いられるとしてよく、第２の部分情報は、ＳＦＮの中位ビット情報を指定するために用いられるとしてよく、第３の部分情報は、ＳＦＮの低位ビット情報を指定するために用いられるとしてよい。これに代えて、第１の部分情報は、ＳＦＮの高位ビット情報を指定するために用いられるとしてよく、第２の部分情報は、ＳＦＮの低位ビット情報を指定するために用いられるとしてよく、第３の部分情報は、ＳＦＮの中位ビット情報を指定するために用いられるとしてよい。これに代えて、第１の部分情報は、ＳＦＮの中位ビット情報を指定するために用いられるとしてよく、第２の部分情報は、ＳＦＮの高位ビット情報を指定するために用いられるとしてよく、第３の部分情報は、ＳＦＮの低位ビット情報を指定するために用いられるとしてよい。これに代えて、第１の部分情報は、ＳＦＮの中位ビット情報を指定するために用いられるとしてよく、第２の部分情報は、ＳＦＮの低位ビット情報を指定するために用いられるとしてよく、第３の部分情報は、ＳＦＮの高位ビット情報を指定するために用いられるとしてよい。これに代えて、第１の部分情報は、ＳＦＮの低位ビット情報を指定するために用いられるとしてよく、第２の部分情報は、ＳＦＮの中位ビット情報を指定するために用いられるとしてよく、第３の部分情報は、ＳＦＮの高位ビット情報を指定するために用いられるとしてよい。これに代えて、第１の部分情報は、ＳＦＮの低位ビット情報を指定するために用いられるとしてよく、第２の部分情報は、ＳＦＮの高位ビット情報を指定するために用いられるとしてよく、第３の部分情報は、ＳＦＮの中位ビット情報を指定するために用いられるとしてよい。
【０１３７】
これに加えて、本発明の本実施形態では、ＳＦＮは第１の部分情報、第２の部分情報および第３の部分情報から成る。ＳＦＮにおいて合計でｘ個のビット位置がある場合、第１の部分情報はＳＦＮにおけるｙ個のビット位置を指定するとしてよく、第２の部分情報はＳＦＮにおけるｚ１個のビット位置を指定し、第３の部分情報はＳＦＮにおけるｚ２個のビット位置を指定する。ここで、ｘ、ｙ、ｚ１およびｚ２は全て自然数であり、ｘ＝ｙ＋ｚ１＋ｚ２である。これに加えて、ｘ、ｙ、ｚ１およびｚ２の具体的な値は、具体的に適用する場合に構成されるとしてよく、本明細書では特に限定されない。
【０１３８】
さらに、本発明の一部の実施形態では、第２の部分情報について、ＳＦＮにおいて第２の部分情報が占めるビット位置の数は、Ｎの値に基づいて決定される。具体的には、上述した例の説明において、ｚ１の値はＮの値に基づいて決定されるとしてよい。
【０１３９】
さらに、本発明の一部の実施形態において、第３の部分情報について、ＳＦＮの第３の部分情報がＳＦＮにおいて占めるビット位置の数は、ｉ番目のブロードキャストチャネルに対応するＵＥに伝送されるスクランブル化コードブロックの数に基づいて決定される。具体的には、上述した例の説明では、ｚ２の値はＵＥが受信したスクランブル化コードブロックの数の値に基づいて決定されるとしてよい。
【０１４０】
続いて、本発明を例を用いて説明する。説明の際は、第１の部分情報がＳＦＮの高位ビット情報を指定するために用いられ、第２の部分情報がＳＦＮの中位ビット情報を指定するために用いられ、第３の部分情報がＳＦＮの低位ビット情報を指定するために用いられる例を用いる。具体例は以下の通りである。以下のように仮定される。
ビームＩＤはＳＦＮにおける最後のｎ個のビットに関する情報を保持し、ビームＩＤは数１で表される。
【数１】
2019504541.tif 000006
スクランブルコードは、ＳＦＮにおける中央の２ビットに関する情報を保持し、現在受信されているスクランブル化コードブロックが何番目かはＸｓｃｒａｍｂｌｅで表される。
ＰＢＣＨにおけるシステム情報はＳＦＮの高位ビット情報を保持し、高位ビット情報は数２で表される。
【数２】
2019504541.tif 000007
【０１４１】
上述した３個の情報に基づき、ＳＦＮの値は以下のように算出されるとしてよい。
【数３】
2019504541.tif 000008
【０１４２】
本発明の本実施形態で提供される上述したＳＦＮ伝送方式によると、ＰＢＣＨにおけるシステム情報で保持されるＳＦＮにおけるビット数を少なくすることが出来る。具体的には、完全なＳＦＮのうち一部のビットのみをＰＢＣＨにおけるシステム情報において保持する必要があり、残りのビットは別のキャリアを用いて保持する。本発明の本実施形態では、ＳＦＮ情報は伝送のために分割され、複数の異なるキャリアを用いて伝送される。伝送する必要がある他の情報を用いることで保持するＳＦＮ情報が多くなるので、伝送する必要があるＳＦＮ情報におけるビットがさらに少なくなる。
【０１４３】
本発明の一部の実施形態では、ＳＦＮ伝送は他の要因と相互に関連するとしてよい。これらの要因は、ＳＦＮの特定の情報を直接保持していないが、ＳＦＮの具体的な算出方法に影響を与えたり、または、ＳＦＮの値に影響を与えたりする。これらの要因は、これに限定されないが、ビーム数等を含む。第２の部分情報がＳＦＮにおいて占めるビット位置の数はＮの値に基づいて決定される。具体例は以下の通りである。以下のように仮定される。
セル内のビーム数については３つの場合がある：４／８／１６
ビームＩＤはＳＦＮにおける最後のｎ／ｍ／ｋ個のビットに関する情報を保持し、ビームＩＤは数１で表される。
【数１】
2019504541.tif 000009
それぞれ、ビーム数が４／８／１６の場合に対応する。具体的には、ビーム数が４の場合、ビームＩＤはＳＦＮにおける最後のｎ個のビットに関する情報を保持する。ビーム数が８の場合、ビームＩＤはＳＦＮにおける最後のｍ個のビットに関する情報を保持する。または、ビーム数が１６の場合、ビームＩＤはＳＦＮにおける最後のｋ個のビットに関する情報を保持する。
スクランブルコードは、ＳＦＮの中央の２ビットに関する情報を保持し、現在受信されているスクランブル化コードブロックが何番目かは数４で表される。
【数４】
2019504541.tif 000010
それぞれ、ビーム数が４／８／１６の場合に対応する。
ＰＢＣＨにおけるシステム情報はＳＦＮの高位ビット情報を保持し、高位ビット情報は数５で表される。
【数５】
2019504541.tif 000011
【０１４４】
上述した情報に基づき、ＳＦＮの値を算出するプロセスは以下の通りである。
【数６】
2019504541.tif 000012
【０１４５】
本発明の一部の実施形態では、ＳＦＮ伝送は他の要因と相互に関連するとしてよい。これらの要因は、ＳＦＮの特定の情報を直接保持していないが、ＳＦＮの具体的な算出方法に影響を与えたり、または、ＳＦＮの値に影響を与えたりする。これらの要因は、これに限定されないが、ビーム数等を含む。第２の部分情報がＳＦＮにおいて占めるビット位置の数はＮの値に基づいて決定される。第３の部分情報がＳＦＮにおいて占めるビット位置の数は、ｉ番目のブロードキャストチャネルに対応するＵＥに伝送されるスクランブル化コードブロックの数に基づいて決定される。本発明の一部の実施形態では、組み合わせることが可能なＰＢＣＨにおけるスクランブル化コードブロックの数を用いて、スクランブルコードが保持し得るビット数を指定する。例えば、ＰＢＣＨにおけるスクランブル化コードブロックの数がｐであり、ｐ＝２ｑである場合、具体的には、コードブロックの数が２のｑ乗である場合、ＰＢＣＨにおいてスクランブルコードが保持可能なビット数はｑであってよい。ｐが大きくなると保持できるビット数が大きくなることを意味するが、ＰＢＣＨ更新期間に影響が出る。具体例は以下の通りである。以下のように仮定される。
セル内のビーム数の値は４／８／１６であってよい。
ビームＩＤは最後のｎ／ｍ／ｋ個のビットに関する情報を保持し、ビームＩＤは数１で表される。
【数１】
2019504541.tif 000013
それぞれ、ビーム数が４／８／１６の場合に対応する。具体的には、ビーム数が４の場合、ビームＩＤはＳＦＮにおける最後のｎ個のビットに関する情報を保持する。ビーム数が８の場合、ビームＩＤはＳＦＮにおける最後のｍ個のビットに関する情報を保持する。または、ビーム数が１６の場合、ビームＩＤはＳＦＮにおける最後のｋ個のビットに関する情報を保持する。
スクランブルコードは、ＳＦＮの中央のｑビットに関する情報を保持し、現在受信されているスクランブル化コードブロックが何番目であるかは数７で表される。
【数７】
2019504541.tif 000014
それぞれ、ビーム数が４／８／１６の場合に対応する。具体的には、スクランブル化コードブロックの数ｐの値が大きくなると、ｑの値が大きくなることを意味し、スクランブルコードが保持できるビット位置が多くなる。上述した実施形態と比較すると、スクランブルコードが保持する中央の位置の数は固定値ではなく、ＵＥが受信するスクランブル化コードブロックの数に基づいて決定される。
ＰＢＣＨにおけるシステム情報はＳＦＮの高位ビット情報を保持し、高位ビット情報は数５で表される。
【数５】
2019504541.tif 000015
【０１４６】
上述した情報に基づき、ＳＦＮの値は以下のように算出される。
【数８】
2019504541.tif 000016
【０１４７】
２０３：基地局は、複数の異なる時間リソースユニットでＮ個のアンテナポートをそれぞれ用いて、ブロードキャストチャネルで搬送される対応するスクランブル化コードブロックを伝送するか、または、基地局は、複数の異なる時間リソースユニットでＮ個のアンテナポートグループをそれぞれ用いて、ブロードキャストチャネルで搬送される対応するスクランブル化コードブロックを伝送する。
【０１４８】
本発明の本実施形態では、基地局が各アンテナポート（またはアンテナポートグループ）に対応するブロードキャストチャネルで搬送されるデータブロックをスクランブルした後、複数のスクランブル化コードブロックが取得される。基地局は、複数の異なるアンテナポート（またはアンテナポートグループ）に対応するスクランブル化コードブロックを、複数の異なるＵＥに複数の異なる時間リソースユニットでそれぞれ伝送する。例えば、１個の同じ基地局が３個のＵＥを管理する。基地局は、３個のＵＥに時分割方式で、３本のブロードキャストチャネルで搬送されるスクランブル化コードブロックを伝送し、複数の異なるアンテナポート（またはアンテナポートグループ）に対応するブロードキャストチャネルで搬送されるスクランブル化コードブロックを、複数の異なるＵＥに伝送する。例えば、基地局は、複数の異なるアンテナポート（またはアンテナポートグループ）に基づき複数の異なるフレームで、１本のブロードキャストチャネルで搬送されるスクランブル化コードブロックを伝送するとしてもよいし、または、複数の異なるサブフレームで、１本のブロードキャストチャネルで搬送されるスクランブル化コードブロックを伝送するとしてもよい。
【０１４９】
図４を参照すると、図４は、本発明の実施形態に係るブロードキャストチャネルで搬送されるスクランブル化コードブロックの伝送を説明するための概略図である。セル内に８本のビームがある例を用いる。８本のビームはそれぞれ、ビーム０、ビーム１、ビーム２、ビーム３、ビーム４、ビーム５、ビーム６およびビーム７である。ビーム０は、それぞれフレームｎ、フレームｎ＋Ｎ、フレームｎ＋２Ｎおよびフレームｎ＋３Ｎ、・・・である４個のフレームに対応し、ビーム７は、それぞれフレームｎ＋７、フレームｎ＋７＋Ｎ、フレームｎ＋７＋２Ｎおよびフレームｎ＋７＋３Ｎである４個のフレームに対応する。基地局は、各ＵＥについて４個の異なるデータ伝送期間において４個のスクランブル化コードブロック（スクランブル化コードブロック０、スクランブル化コードブロック１、スクランブル化コードブロック２およびスクランブル化コードブロック３）をそれぞれ生成する。複数の異なるスクランブルコードを１個の同じＰＢＣＨで搬送されるデータブロックについて用いて、４個のスクランブル化コードブロック（スクランブル化コードブロック０、スクランブル化コードブロック１、スクランブル化コードブロック２およびスクランブル化コードブロック３）をそれぞれ生成する。ＰＢＣＨにおけるスクランブル化コードブロック０は、ＳＦＮがｎからｎ＋７までの８個のフレームにおいて、８本のビームに対応する８個のＵＥに伝送され、ＰＢＣＨにおけるスクランブル化コードブロック１は、ＳＦＮがｎ＋７からｎ＋Ｎ＋７である８個のフレームにおいて、８本のビームに対応する８個のＵＥに伝送され、ＰＢＣＨにおけるスクランブル化コードブロック２は、ＳＦＮがｎ＋２Ｎからｎ＋２Ｎ＋７である８個のフレームにおいて、８本のビームに対応する８個のＵＥに伝送され、ＰＢＣＨにおけるスクランブル化コードブロック３は、ＳＦＮがｎ＋３Ｎからｎ＋３Ｎ＋７である８個のフレームにおいて、８本のビームに対応する８個のＵＥに伝送される。
【０１５０】
図４に示すように、基地局は、時分割方式で各ビームにおいてＰＢＣＨを別個に伝送し、複数の異なるフレームで複数の異なるビームを伝送する。これに加えて、１本のビームにおける複数のＰＢＣＨの伝送は相互に関連している。具体的には、１個の同じデータ伝送期間における複数の異なるスクランブル化コードブロックは、複数の異なるスクランブルコードを用いて１個のＰＢＣＨをスクランブルした後で取得される。複数の異なる時間リソースユニットで、そして、１本の同じビームで基地局が伝送する１個のＰＢＣＨにおける複数のスクランブル化コードブロックは組み合わせることができる。具体的には、組み合わせることができる１本のビームにおける１個のＰＢＣＨの複数のコードブロックは、複数の異なる時間リソースユニットで、そして、１本の同じビームで伝送され、スクランブル化コードブロックのスクランブルコードはそれぞれ異なる。複数の異なるスクランブル化コードブロックは複数の異なるスクランブルコードを用いて識別することができる。図４に示すように、１個の時間リソースユニットが１個のフレームである例を用いる。各ビームの伝送は１個のフレームの時間を占有して行われる。このため、８本のビームのデータ伝送期間は８個のフレームとなるが、１本のビームでは、４個のコードブロック毎にＭＩＢの期間となる。ＵＥがＰＢＣＨを受信した後、ＵＥは、各スクランブル化コードブロックを別個にデスクランブルするとしてもよいし、または、ＵＥは受信した複数のスクランブル化コードブロックを同時にデスクランブルするとしてもよい。複数のスクランブル化コードブロックがデスクランブルされた後、ＭＩＢが生成され得る。
【０１５１】
本発明の本実施形態で提供されるＰＢＣＨ伝送解決手段はＰＢＣＨについてマルチビームの場合に適用可能である。ＰＢＣＨについての合同デスクランブルは時分割スキャン方式で１本の同じビームで実施することができるので、ＰＢＣＨのカバレッジが拡張される。本発明の本実施形態は、マルチビームシステムについて時分割スキャン方式におけるＰＢＣＨ伝送解決手段を提供する。ＰＢＣＨについての合同デスクランブルは、１本の同じビームで実施することができ、ビームＩＤおよびスクランブルコードは全て利用され、ＰＢＣＨにおけるＳＦＮ内の情報ビットがさらに少なくなるＳＦＮ保持メカニズムを実施する。
【０１５２】
上述した実施形態における本発明の説明からは以下のことが分かるであろう。基地局は、Ｎ個のブロードキャストチャネルで搬送される複数のデータブロックを取得する。Ｎ個のブロードキャストチャネルのうちｉ番目のブロードキャストチャネルはＮ個のアンテナポートのうちｉ番目のアンテナポートに対応するか、または、Ｎ個のブロードキャストチャネルのうちｉ番目のブロードキャストチャネルはＮ個のアンテナポートグループのうちｉ番目のアンテナポートグループに対応する。基地局は、Ｎ個のブロードキャストチャネルで搬送されるデータブロックをスクランブルしてＮ個のブロードキャストチャネルで搬送されるスクランブル化コードブロックを取得する。そして、基地局は、ブロードキャストチャネルで搬送される対応するスクランブル化コードブロックを、Ｎ個のアンテナポートをそれぞれ用いて複数の異なる時間リソースユニットで伝送するか、または、基地局は、ブロードキャストチャネルで搬送される対応するスクランブル化コードブロックを、Ｎ個のアンテナポートグループをそれぞれ用いて複数の異なる時間リソースユニットで伝送する。基地局は、Ｎ個のブロードキャストチャネルで搬送されるデータブロックを別々にスクランブルしてＮ個のブロードキャストチャネルで搬送されるスクランブル化コードブロックを取得し、複数の異なる時間リソースユニットで、ブロードキャストチャネルで搬送されるスクランブル化コードブロックを伝送する。具体的には、基地局は、時分割方式でＮ個のアンテナポートまたはＮ個のアンテナポートグループを用いて、ブロードキャストチャネルで搬送されるスクランブル化コードブロックを伝送する。ＵＥは、ＵＥに対応するアンテナポートまたはアンテナポートグループを用いて、基地局が時間リソースユニットで伝送するスクランブル化コードブロックを受信する。このように、ブロードキャストチャネルは複数のアンテナポートまたはアンテナポートグループで伝送されるので、ブロードキャストチャネルのカバレッジが拡張される。
【０１５３】
上述した実施形態では、データ伝送方法を基地局側の視点から説明している。続いて、本発明で提供するデータ伝送方法を基地局のピアエンド（ユーザ機器）側の視点から説明する説明する。図５を参照すると、図５は本発明の別の実施形態で提供されるデータ伝送方法を示す。当該方法は以下の段階を含むとしてよい。
【０１５４】
５０１：ＵＥは、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットで、受信するか、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する。
【０１５５】
Ｎは正の整数であり、ｉは０よりも大きくＮ以下の正の整数であり、ＵＥはｉ番目のアンテナポートまたはｉ番目のアンテナポートグループに対応する。
【０１５６】
本発明の本実施形態では、基地局は、Ｎ個のアンテナポートを用いてＮ個のＵＥにスクランブル化コードブロックをそれぞれ伝送し、各アンテナポートは１個のスクランブル化コードブロックを１個のＵＥに伝送するために用いられる。これに代えて、基地局は、Ｎ個のアンテナポートグループを用いてＮ個のＵＥにスクランブル化コードブロックをそれぞれ伝送し、各アンテナポートグループは１個のスクランブル化コードブロックを１個のＵＥに伝送するために用いられる。Ｎ個のＵＥのうち１個を本発明の本実施形態における説明のための一例として用いる。基地局は、複数の異なる時間リソースユニットでＮ個のＵＥにスクランブル化コードブロックをそれぞれ伝送するので、各ＵＥは、当該ＵＥに対応する時間リソースユニットで、基地局がＵＥに伝送したスクランブル化コードブロックを受信できる。ＵＥについては、基地局はスクランブル化コードブロックをＮ個のＵＥに時分割方式で伝送する。例えば、１個の同じ基地局が３個のＵＥを管理する。基地局は、ＰＢＣＨを３個のＵＥに時分割方式で伝送し、複数の異なるＵＥに対して、複数の異なるビームに対応するＰＢＣＨを伝送する。例えば、基地局は、複数の異なるビームに基づいて複数の異なるフレームでＰＢＣＨを伝送するとしてよく、または、複数の異なるサブフレームでＰＢＣＨを伝送するとしてよい。各ＵＥは、当該ＵＥに対応する時間リソースユニットで、基地局が伝送したＰＢＣＨを取得する。
【０１５７】
本発明の一部の実施形態において、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットでＵＥが受信する段階５０１は、具体的に以下の段階を含む。
【０１５８】
Ｈ１：ＵＥが、第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートのうちｉ番目のアンテナポートを用いて基地局が伝送したｉ番目の第１のスクランブル化コードブロックを受信する。および／または
Ｈ２：ＵＥが、第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートのうちｉ番目のアンテナポートを用いて基地局が伝送したｉ番目の第２のスクランブル化コードブロックを受信する。第２のデータ伝送期間は、第１のデータ伝送期間に隣接するデータ伝送期間である。
【０１５９】
本発明の一部の他の実施形態では、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットでＵＥが受信する段階５０１は、具体的に以下の段階を含む。
【０１６０】
Ｉ１：ＵＥが、第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートグループのうちｉ番目のアンテナポートグループを用いて基地局が伝送したｉ番目の第１のスクランブル化コードブロックを受信する。および／または
Ｉ２：ＵＥが、第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートグループのうちｉ番目のアンテナポートグループを用いて基地局が伝送したｉ番目の第２のスクランブル化コードブロックを受信する。第２のデータ伝送期間は、第１のデータ伝送期間に隣接するデータ伝送期間である。
【０１６１】
段階Ｈ１および段階Ｈ２の実施例は段階Ｉ１および段階Ｉ２の実施例と同様であり、相違点はスクランブル化コードブロックがアンテナポートまたはアンテナポートグループのいずれを用いて受信されるかにある。段階Ｈ１および段階Ｈ２の実施例を一例として用いる。前述した本発明の実施形態では、段階Ｃ１および段階Ｃ２における実施例の場合、基地局は、Ｎ個のアンテナポートを用いて、第１のデータ伝送期間および第２のデータ伝送期間においてＮ個の第１のスクランブル化コードブロックおよびＮ個の第２のスクランブル化コードブロックをそれぞれ伝送する。これに対応して、ＵＥ側では、２個の隣接するデータ伝送期間が決定され、第２のデータ伝送期間は第１のデータ伝送期間に時間的に隣接するデータ伝送期間であり、データは第２のデータ伝送期間の前に第１のデータ伝送期間で伝送される。Ｎ個のアンテナポートが存在する場合、Ｎ個の第１のスクランブル化コードブロックのうちｉ番目の第１のスクランブル化コードブロックはｉ番目のアンテナポートで第１のデータ伝送期間において伝送され、Ｎ個の第２のスクランブル化コードブロックのうちｉ番目の第２のスクランブル化コードブロックはｉ番目のアンテナポートで第２のデータ伝送期間において伝送される。これによって、ｉ番目のブロードキャストチャネルに対応するＵＥは第１のデータ伝送期間においてｉ番目の第１のスクランブル化コードブロックを受信し、ＵＥは第２のデータ伝送期間においてｉ番目の第２のスクランブル化コードブロックを受信する。ｉ番目の第１のスクランブル化コードブロックおよびｉ番目の第２のスクランブル化コードブロックは、異なるスクランブルコードを用いて（つまり、第１のスクランブルコードおよび第２のスクランブルコード）ｉ番目のブロードキャストチャネルで搬送されている１個の同じデータブロックを別々に基地局がスクランブルした後で取得されるスクランブル化コードブロックである。基地局は、ｉ番目の第１のスクランブル化コードブロックおよびｉ番目の第２のスクランブル化コードブロックをそれぞれ、同じＵＥに対して、２個の異なるデータ伝送期間において伝送する。このため、本発明の本実施形態では、基地局は同じＵＥのデータを継続的に伝送する必要があるという制限が課されず、基地局は先行技術のようにデータを継続的に伝送する必要がない。このため、本発明の本実施形態で提供されるデータ伝送方法はマルチビームシステムに適用可能である。
【０１６２】
本発明の一部の実施形態では、ＵＥがＮ個のブロードキャストチャネルのうちｉ番目のブロードキャストチャネルで搬送されるスクランブル化コードブロックを受信する前、ＵＥは、ｉ番目のブロードキャストチャネルで搬送されているＳＦＮに基づいて、基地局がＵＥに伝送したスクランブル化コードブロックをＵＥが受信する時間リソースユニットを決定するとしてよい。本発明の本実施形態は複数のビームにおいてＳＦＮを伝送する解決手段を提供する。当該解決手段では、ＳＦＮ情報は、搬送のために複数のキャリアに分散させられ、その後、ＵＥ側では、一般的な情報を取得した後、ＳＦＮの値を算出するべく組み合わせを実行する。キャリアは、これに限定されないが、ＵＥのアンテナポート（アンテナポートグループ）の位置、データブロックに用いられたスクランブルコード、および、ブロードキャストチャネル上のシステム情報に含まれるＳＦＮ情報を含む。
【０１６３】
本発明の一部の実施形態では、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットでＵＥが受信する、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで受信する段階５０１の前に、本発明の本実施形態で提供されるデータ伝送方法はさらに、以下の段階を含むとしてよい。
【０１６４】
Ｊ１：ＵＥが、Ｎ個のブロードキャストチャネルのうちｉ番目のブロードキャストチャネルにおけるシステム情報を用いることによって、ＳＦＮの第１の部分情報を取得する。
【０１６５】
Ｊ２：ＵＥが、ＵＥが受信するスクランブル化コードブロックの数を用いてＳＦＮの第２の部分情報を取得する。
【０１６６】
Ｊ３：ＵＥが、第１の部分情報および第２の部分情報を用いてＳＦＮを取得する。
【０１６７】
段階Ｊ１から段階Ｊ３の実施例において、ＳＦＮは第１の部分情報および第２の部分情報から成る。第１の部分情報は、ｉ番目のブロードキャストチャネルにおけるシステム情報を用いて指定されるとしてよく、第２の部分情報は、ｉ番目のブロードキャストチャネルに対応するＵＥのスクランブル化コードブロックの数を用いて指定されるとしてよい。第１の部分情報は、ＳＦＮの高位ビット情報を指定するために用いられるとしてよく、第２の部分情報は、ＳＦＮの低位ビット情報を指定するために用いられるとしてよい。これに代えて、第１の部分情報は、ＳＦＮの低位ビット情報を指定するために用いられるとしてよく、第２の部分情報は、ＳＦＮの高位ビット情報を指定するために用いられるとしてよい。
【０１６８】
これに加えて、本発明の本実施形態では、ＳＦＮは第１の部分情報および第２の部分情報から成る。ＳＦＮにおいて合計でｘ個のビット位置がある場合、第１の部分情報はＳＦＮにおけるｙ個のビット位置を指定するとしてよく、第２の部分情報はＳＦＮにおけるｚ個のビット位置を指定する。ここで、ｘ、ｙおよびｚは全て自然数であり、ｘ＝ｙ＋ｚである。これに加えて、ｘ、ｙおよびｚの具体的な値は、具体的に適用する場合に構成されるとしてよく、本明細書では特に限定されない。
【０１６９】
本発明の一部の他の実施形態では、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットでＵＥが受信する、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで受信する段階５０１の前に、本発明の本実施形態で提供されるデータ伝送方法はさらに、以下の段階を含むとしてよい。
【０１７０】
Ｋ１：ＵＥが、Ｎ個のブロードキャストチャネルのうちｉ番目のブロードキャストチャネルにおけるシステム情報を用いることによって、システムフレーム番号ＳＦＮの第１の部分情報を取得する。
【０１７１】
Ｋ２：ＵＥが、ＵＥのアンテナポートまたはアンテナポートグループの位置情報を用いてＳＦＮの第３の部分情報を取得する。
【０１７２】
Ｋ３：ＵＥが、第１の部分情報および第３の部分情報を用いてＳＦＮを取得する。
【０１７３】
段階Ｋ１から段階Ｋ３の実施例において、ＳＦＮは第１の部分情報および第３の部分情報から成る。第１の部分情報は、ｉ番目のブロードキャストチャネルにおけるシステム情報を用いて指定されるとしてよく、第３の部分情報は、ｉ番目のブロードキャストチャネルに対応するＵＥのアンテナポート（アンテナポートグループ）を用いて指定するとしてよい。第１の部分情報は、ＳＦＮの高位ビット情報を指定するために用いられるとしてよく、第３の部分情報は、ＳＦＮの低位ビット情報を指定するために用いられるとしてよい。これに代えて、第１の部分情報は、ＳＦＮの低位ビット情報を指定するために用いられるとしてよく、第３の部分情報は、ＳＦＮの高位ビット情報を指定するために用いられるとしてよい。
【０１７４】
これに加えて、本発明の本実施形態では、ＳＦＮは第１の部分情報および第３の部分情報から成る。ＳＦＮにおいて合計でｘ個のビット位置がある場合、第１の部分情報はＳＦＮにおけるｙ個のビット位置を指定するとしてよく、第３の部分情報はＳＦＮにおけるｚ個のビット位置を指定する。ここで、ｘ、ｙおよびｚは全て自然数であり、ｘ＝ｙ＋ｚである。これに加えて、ｘ、ｙおよびｚの具体的な値は、具体的に適用する場合に構成されるとしてよく、本明細書では特に限定されない。
【０１７５】
本発明の一部の他の実施形態では、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットでＵＥが受信する、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで受信する段階５０１の前に、本発明の本実施形態で提供されるデータ伝送方法はさらに、以下の段階を含むとしてよい。
【０１７６】
Ｌ１：ＵＥが、Ｎ個のブロードキャストチャネルのうちｉ番目のブロードキャストチャネルにおけるシステム情報を用いることによって、システムフレーム番号ＳＦＮの第１の部分情報を取得する。
【０１７７】
Ｌ２：ＵＥが、ＵＥが受信するスクランブル化コードブロックの数を用いてＳＦＮの第２の部分情報を取得する。
【０１７８】
Ｌ３：ＵＥが、ＵＥのアンテナポートまたはアンテナポートグループの位置情報を用いてＳＦＮの第３の部分情報を取得する。
【０１７９】
Ｌ４：ＵＥが、第１の部分情報、第２の部分情報および第３の部分情報を用いてＳＦＮを取得する。
【０１８０】
段階Ｌ１から段階Ｌ４の実施例において、ＳＦＮは第１の部分情報、第２の部分情報および第３の部分情報から成る。第１の部分情報は、ｉ番目のブロードキャストチャネルにおけるシステム情報を用いて指定されるとしてよく、第２の部分情報は、ｉ番目のブロードキャストチャネルに対応するＵＥのスクランブル化コードブロックの数を用いて指定されるとしてよく、第３の部分情報は、ｉ番目のブロードキャストチャネルに対応するＵＥのアンテナポート（アンテナポートグループ）を用いて指定するとしてよい。第１の部分情報は、ＳＦＮの高位ビット情報を指定するために用いられるとしてよく、第２の部分情報は、ＳＦＮの中位ビット情報を指定するために用いられるとしてよく、第３の部分情報は、ＳＦＮの低位ビット情報を指定するために用いられるとしてよい。これに代えて、第１の部分情報は、ＳＦＮの高位ビット情報を指定するために用いられるとしてよく、第２の部分情報は、ＳＦＮの低位ビット情報を指定するために用いられるとしてよく、第３の部分情報は、ＳＦＮの中位ビット情報を指定するために用いられるとしてよい。これに代えて、第１の部分情報は、ＳＦＮの中位ビット情報を指定するために用いられるとしてよく、第２の部分情報は、ＳＦＮの高位ビット情報を指定するために用いられるとしてよく、第３の部分情報は、ＳＦＮの低位ビット情報を指定するために用いられるとしてよい。これに代えて、第１の部分情報は、ＳＦＮの中位ビット情報を指定するために用いられるとしてよく、第２の部分情報は、ＳＦＮの低位ビット情報を指定するために用いられるとしてよく、第３の部分情報は、ＳＦＮの高位ビット情報を指定するために用いられるとしてよい。これに代えて、第１の部分情報は、ＳＦＮの低位ビット情報を指定するために用いられるとしてよく、第２の部分情報は、ＳＦＮの中位ビット情報を指定するために用いられるとしてよく、第３の部分情報は、ＳＦＮの高位ビット情報を指定するために用いられるとしてよい。これに代えて、第１の部分情報は、ＳＦＮの低位ビット情報を指定するために用いられるとしてよく、第２の部分情報は、ＳＦＮの高位ビット情報を指定するために用いられるとしてよく、第３の部分情報は、ＳＦＮの中位ビット情報を指定するために用いられるとしてよい。
【０１８１】
これに加えて、本発明の本実施形態では、ＳＦＮは第１の部分情報、第２の部分情報および第３の部分情報から成る。ＳＦＮにおいて合計でｘ個のビット位置がある場合、第１の部分情報はＳＦＮにおけるｙ個のビット位置を指定するとしてよく、第２の部分情報はＳＦＮにおけるｚ１個のビット位置を指定し、第３の部分情報はＳＦＮにおけるｚ２個のビット位置を指定する。ここで、ｘ、ｙ、ｚ１およびｚ２は全て自然数であり、ｘ＝ｙ＋ｚ１＋ｚ２である。これに加えて、ｘ、ｙ、ｚ１およびｚ２の具体的な値は、具体的に適用する場合に構成されるとしてよく、本明細書では特に限定されない。
【０１８２】
さらに、本発明の一部の実施形態では、第２の部分情報について、ＳＦＮにおいて第２の部分情報が占めるビット位置の数は、Ｎの値に基づいて決定される。具体的には、上述した例の説明において、ｚ１の値はＮの値に基づいて決定されるとしてよい。
【０１８３】
さらに、本発明の一部の実施形態において、第３の部分情報について、ＳＦＮの第３の部分情報がＳＦＮにおいて占めるビット位置の数は、ｉ番目のブロードキャストチャネルに対応するＵＥに伝送されるスクランブル化コードブロックの数に基づいて決定される。具体的には、上述した例の説明では、ｚ２の値はＵＥが受信したスクランブル化コードブロックの数の値に基づいて決定されるとしてよい。
【０１８４】
本発明の一部の実施形態では、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットでＵＥが受信する、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで受信する段階５０１の前に、本発明の本実施形態で提供されるデータ伝送方法はさらに、以下の段階を含む。
【０１８５】
Ｍ１：ＵＥはｉ番目のブロードキャストチャネルで搬送される値情報からＮの値を取得する。または
Ｍ２：ＵＥはｉ番目のブロードキャストチャネルのＣＲＣのマスクに基づいてＮの値を取得する。
【０１８６】
本発明の一部の実施形態では、受信側（つまりＵＥ）がＮの値を取得できるようにするべく、基地局はＮという値情報をＮ個のブロードキャストチャネルに追加する。または、基地局はＮ個のブロードキャストチャネルのＣＲＣのマスクとしてＮという値情報を用いる。具体的には、基地局はアンテナポート（またはアンテナポートグループ）の数に関する情報をＮ個のブロードキャストチャネルに追加するとしてよい。これによって、ＵＥは、当該ＵＥに対応するブロードキャストチャネルから、当該ブロードキャストチャネルで搬送されるアンテナポート（またはアンテナポートグループ）の数に関する情報を取得するとしてよく、ＵＥはＮの具体的な値を決定するとしてよい。これに加えて、本発明の本実施形態では、基地局は、直接方式（例えば、Ｎという値情報はＮ個のブロードキャストチャネルを用いて搬送される）を用いることに代えて、間接方式を利用するとしてよい。例えば、基地局は、Ｎ個のブロードキャストチャネルのＣＲＣのマスクとしてＮという値情報を利用し、ＵＥは、当該ＵＥに対応するブロードキャストチャネルのＣＲＣが用いるマスクを用いて、基地局が利用するＮの値を決定するとしてよい。
【０１８７】
本発明の一部の実施形態では、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットでＵＥが受信する、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで受信する段階５０１の前に、本発明の本実施形態で提供されるデータ伝送方法はさらに、以下の段階を含む。
【０１８８】
Ｎ１：ＵＥが、ｉ番目のブロードキャストチャネルで搬送される指定情報に基づきＵＥのアンテナポートまたはアンテナポートグループの指定情報を取得する。または、
Ｎ２：ＵＥが、ｉ番目のブロードキャストチャネルで搬送されるパイロット信号に基づきＵＥのアンテナポートまたはアンテナポートグループの指定情報を取得する。または
Ｎ３：ＵＥが、ＵＥのアンテナポートにおける同期シーケンスの値に基づきＵＥのアンテナポートの位置情報を取得する、もしくは、ＵＥが、ＵＥのアンテナポートグループにおける同期シーケンスの値に基づきＵＥのアンテナポートグループの位置情報を取得する。または、
Ｎ４：ＵＥが、ｉ番目のブロードキャストチャネルで搬送されるスクランブル化コードブロックがデスクランブルされる場合に用いられるスクランブルコードに基づき、ＵＥのアンテナポートまたはアンテナポートグループの位置情報を取得する。
【０１８９】
Ｎ１に示す実施例では、基地局は、ｉ番目のブロードキャストチャネルに、ｉ番目のブロードキャストチャネルに対応するＵＥのアンテナポートまたはアンテナポートグループの指定情報を直接追加する。そして、ｉ番目のブロードキャストチャネルに対応するＵＥは、ｉ番目のブロードキャストチャネルで搬送される指定情報を受信することで、ＵＥのアンテナポートまたはアンテナポートグループの位置を取得する。
【０１９０】
本発明においてＮ２に示す実施例では、Ｎ個のブロードキャストチャネルのうちｉ番目のブロードキャストチャネルで搬送されるパイロット信号はｉ番目のブロードキャストチャネルに対応するＵＥのアンテナポートまたはアンテナポートグループの指定情報に対応する。具体的には、基地局は異なるＵＥについて異なるパイロット信号を用いており、パイロット信号と、ＵＥのアンテナポートまたはアンテナポートグループとの間には対応関係がある。例えば、基地局は異なるブロードキャストチャネルについて異なるパイロット信号を設定する。これによって、ＵＥは、パイロット信号を復調することで、ＵＥの現在のビームに関する情報を把握できる。基地局は異なるＵＥに異なるパイロット信号をそれぞれ伝送し、これらの異なるパイロット信号は、異なるＵＥのビームに関する情報に対応する。基地局は複数の異なるＵＥのビームに関する情報を取得し、基地局はビームに関する情報を間接方式でＵＥに通知する。ＵＥのビームに関する情報はビームの識別子であってよく、もちろんビームに関する情報はビームの属性情報であってもよい。基地局は、各ＵＥのビームに関する情報について、ビームに関する情報とパイロット信号との間に対応関係を構築し、基地局は、各ＵＥに、ＵＥのビームに関する情報に対応するパイロット信号を伝送する。ＵＥは、パイロット信号とＵＥのビームに関する情報との間の対応関係に基づいて、パイロット信号に対応するビームに関する情報を取得する。
【０１９１】
本発明においてＮ３で示す実施例では、Ｎ個のブロードキャストチャネルのうちｉ番目のブロードキャストチャネルに対応するＵＥのアンテナポートにおける同期シーケンスの値は、ｉ番目のブロードキャストチャネルに対応するＵＥのアンテナポートの指定情報に対応するか、または、Ｎ個のブロードキャストチャネルのうちｉ番目のブロードキャストチャネルに対応するＵＥのアンテナポートグループにおける同期シーケンスの値は、ｉ番目のブロードキャストチャネルに対応するＵＥのアンテナポートグループの指定情報に対応する。ＵＥは、ビームにおける同期シーケンスとＵＥのビームに関する情報との間の対応関係に基づき、ビームにおける同期シーケンスに対応するビームに関する情報を取得する。
【０１９２】
本発明においてＮ４で示す実施例では、Ｎ個のブロードキャストチャネルのうちｉ番目のブロードキャストチャネルで搬送されるデータブロックがスクランブルされる場合に用いられるスクランブルコードは、ｉ番目のブロードキャストチャネルに対応するＵＥのアンテナポートまたはアンテナポートグループの指定情報に対応する。基地局は、異なるスクランブルコードを用いて異なるＵＥのビームにおけるデータブロックをスクランブルし、異なるスクランブルコードは異なるＵＥのビームに関する情報に対応する。基地局は複数の異なるＵＥのビームに関する情報を取得し、基地局はビームに関する情報を間接方式でＵＥに通知する。例えば、基地局は、各ＵＥのビームに関する情報について、ビームに関する情報とスクランブルコードとの間の対応関係を構築し、基地局は、異なるスクランブルコードを用いることで、ＵＥに伝送されるデータブロックをそれぞれスクランブルする。ＵＥは、スクランブルコードとＵＥのビームに関する情報との間の対応関係に基づいて、スクランブルコードに対応するビームに関する情報を取得する。
【０１９３】
５０２：ＵＥは、ｉ番目のブロードキャストチャネルで搬送されているスクランブル化コードブロックであってｉ番目のアンテナポートまたはｉ番目のアンテナポートグループを用いて受信したスクランブル化コードブロックをデスクランブルする。
【０１９４】
本発明の本実施形態では、ＵＥが、ｉ番目のアンテナポートまたはｉ番目のアンテナポートグループを用いて、ｉ番目のブロードキャストチャネルで搬送されるスクランブル化コードブロックを受信した後、ＵＥはスクランブル化コードブロックをデスクランブルするとしてよい。ＵＥは、デスクランブルに成功した後、ｉ番目のブロードキャストチャネルで搬送されるデータブロックであって、基地局からＵＥに伝送するデータブロックを取得するとしてよい。
【０１９５】
本発明の一部の実施形態では、ｉ番目のブロードキャストチャネルで搬送されるスクランブル化コードブロックであって、ｉ番目のアンテナポートまたはｉ番目のアンテナポートグループを用いて受信するスクランブル化コードブロックをＵＥがデスクランブルする段階５０２は以下の段階を含む。
【０１９６】
Ｏ１：ＵＥが、ｉ番目のブロードキャストチャネルで搬送されるｉ番目の第１のスクランブル化コードブロックをデスクランブルする。または
Ｏ２：ＵＥが、ｉ番目のブロードキャストチャネルで搬送されるｉ番目の第２のスクランブル化コードブロックをデスクランブルする。または
Ｏ３：ＵＥが、ｉ番目のブロードキャストチャネルで搬送されるｉ番目の第１のスクランブル化コードブロックおよびｉ番目の第２のスクランブル化コードブロックを組み合わせた後、組み合わせたｉ番目の第１のスクランブル化コードブロックおよびｉ番目の第２のスクランブル化コードブロックをデスクランブルする。
【０１９７】
前述した本発明の実施形態では、基地局は、第１のデータ伝送期間および第２のデータ伝送期間において、Ｎ個の第１のスクランブル化コードブロックおよびＮ個の第２のスクランブル化コードブロックをそれぞれ伝送する。このため、ｉ番目のブロードキャストチャネルに対応するＵＥは、第１のデータ伝送期間においてｉ番目の第１のスクランブル化コードブロックを受信するとしてよく、ｉ番目のブロードキャストチャネルに対応するＵＥは、第２のデータ伝送期間においてｉ番目の第２のスクランブル化コードブロックを受信するとしてよい。ＵＥは、ｉ番目の第１のスクランブル化コードブロックを別個にデスクランブルするとしてよく、または、ｉ番目の第２のスクランブル化コードブロックを別個にデスクランブルするとしてよい。これに代えて、ＵＥは、ｉ番目の第１のスクランブル化コードブロックおよびｉ番目の第２のスクランブル化コードブロックを一緒にデスクランブルするとしてもよい。例えば、ＵＥは、２個のデータ伝送期間において時間リソースユニットで基地局が伝送するｉ番目の第１のスクランブル化コードブロックおよびｉ番目の第２のスクランブル化コードブロックを取得する。これらのスクランブル化コードブロックは相互に関連付けられている。デスクランブルのゲインを改善するべく、ＵＥは、２個のデータ伝送期間における１個の同じアンテナポート（またはアンテナポートグループ）に対応する１本の同じブロードキャストチャネル上の複数のスクランブル化コードブロックを組み合わせて、複数の組み合わせたスクランブル化コードブロックを取得するとしてもよい。例えば、ＵＥは、ｉ番目の第１のスクランブル化コードブロックをデスクランブルするとしてよく、または、ｉ番目の第２のスクランブル化コードブロックをデスクランブルするとしてよく、または、ｉ番目の第１のスクランブル化コードブロックのデスクランブルに失敗した後でｉ番目の第１のスクランブル化コードブロックおよびｉ番目の第２のスクランブル化コードブロックを組み合わせた後、組み合わせることで得られた結果をデスクランブルするとしてよい。これによって、基地局が伝送したデータブロックをＵＥが正しく受信する確率が改善される。
【０１９８】
例えば、本発明の本実施形態では、ＵＥが２個のデータ伝送期間における１本の同じビームに所属する１本の同じブロードキャストチャネル上の複数の組み合わせたスクランブル化コードブロックを取得した後、ＵＥは、合同デスクランブルを実行してＭＩＢを生成するとしてよい。ＵＥが、１個の時間リソースユニットにおいて１本の同じビームに属するＰＢＣＨ上の複数の組み合わせたスクランブル化コードブロックに対して合同デスクランブルを実行し得るので、デスクランブルの成功率が向上し得る。本発明の本実施形態では、ＵＥは複数の組み合わせたスクランブル化コードブロックに対して合同デスクランブルを実行し得るものと留意されたい。これに加えて、ＵＥは１個のスクランブル化コードブロックをデスクランブルするとしてもよい。デスクランブルの具体的な実施手段については先行技術を参照されたい。
【０１９９】
上述した実施形態における本発明の説明からは以下のことが分かるであろう。ＵＥは、ＵＥに対応する時間リソースユニットで、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを受信するか、または、ＵＥに対応する時間リソースユニットで、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを受信し、ＵＥは、ｉ番目のブロードキャストチャネルで搬送されるスクランブル化コードブロックであって、ｉ番目のアンテナポートまたはｉ番目のアンテナポートグループを用いて受信するスクランブル化コードブロックをデスクランブルする。基地局は、Ｎ個のブロードキャストチャネルで搬送されるデータブロックを別々にスクランブルしてＮ個のブロードキャストチャネルで搬送されるスクランブル化コードブロックを取得し、複数の異なる時間リソースユニットで、ブロードキャストチャネルで搬送されるスクランブル化コードブロックを伝送する。具体的には、基地局は、時分割方式でＮ個のアンテナポートまたはＮ個のアンテナポートグループを用いて、ブロードキャストチャネルで搬送されるスクランブル化コードブロックを伝送する。ＵＥは、ＵＥに対応するアンテナポートまたはアンテナポートグループを用いて、基地局が時間リソースユニットで伝送するスクランブル化コードブロックを受信する。このように、ブロードキャストチャネルは複数のアンテナポートまたはアンテナポートグループで伝送されるので、ブロードキャストチャネルのカバレッジが拡張される。
【０２００】
前述した方法の実施形態は、説明を簡潔にするべく、一連の動作として表現されることに留意されたい。しかし、当業者であれば、本発明によれば一部の段階は順序を変えて、または、同時に実行され得るので、本発明は説明した動作順序に限定されないことに想到するはずである。これに加えて、当業者であれば、本明細書で説明する実施形態は全て好適な実施形態であり、関連する動作およびモジュールは本発明で必ずしも必要ではないことも把握しているはずである。
【０２０１】
前述した本発明の実施形態の解決手段をより良い方法で実施するべく、以下ではさらに、前述した解決手段を実施するための関連装置を提供する。
【０２０２】
図６Ａを参照すると、本発明の実施形態で提供される基地局６００は、取得モジュール６０１、スクランブルモジュール６０２および送受信モジュール６０３を含むとしてよい。
【０２０３】
取得モジュール６０１は、Ｎ個のブロードキャストチャネルで搬送される複数のデータブロックを取得するよう構成されており、Ｎ個のブロードキャストチャネルのうちｉ番目のブロードキャストチャネルはＮ個のアンテナポートのうちｉ番目のアンテナポートに対応するか、または、Ｎ個のブロードキャストチャネルのうちｉ番目のブロードキャストチャネルはＮ個のアンテナポートグループのうちｉ番目のアンテナポートグループに対応し、Ｎは正の整数であり、ｉは０より大きくＮ以下の正の整数である。
【０２０４】
スクランブルモジュール６０２は、Ｎ個のブロードキャストチャネルで搬送されるデータブロックをスクランブルしてＮ個のブロードキャストチャネルで搬送されるスクランブル化コードブロックを取得するよう構成されている。
【０２０５】
送受信モジュール６０３は、ブロードキャストチャネルで搬送される対応するスクランブル化コードブロックを、Ｎ個のアンテナポートをそれぞれ用いて複数の異なる時間リソースユニットで伝送するよう構成されているか、または、ブロードキャストチャネルで搬送される対応するスクランブル化コードブロックを、Ｎ個のアンテナポートグループをそれぞれ用いて複数の異なる時間リソースユニットで伝送するよう構成されている。
【０２０６】
本発明の一部の実施形態において、スクランブルモジュール６０２は具体的に、Ｎ個のブロードキャストチャネルのそれぞれで搬送されるデータブロックを第１のスクランブルコードを用いてスクランブルして、Ｎ個のブロードキャストチャネルで搬送されるＮ個の第１のスクランブル化コードブロックを取得するよう構成されており、および／または、Ｎ個のブロードキャストチャネルのそれぞれで搬送されるデータブロックを第２のスクランブルコードを用いてスクランブルして、Ｎ個のブロードキャストチャネルで搬送されるＮ個の第２のスクランブル化コードブロックを取得するよう構成されている。第１のスクランブルコードおよび第２のスクランブルコードは異なるスクランブルコードである。
【０２０７】
基地局は、２種類の異なるスクランブルコードを用いて、Ｎ個のブロードキャストチャネルの全てで搬送されるデータブロックを別々にスクランブルして、２種類のスクランブルコードに対応するスクランブル化コードブロックを取得する。このため、ＵＥは、複数の異なるスクランブルコードを用いてデータブロックをデスクランブルすることができる。
【０２０８】
本発明の一部の実施形態では、図６Ｂに示すように、基地局６００はさらに、以下の情報を構成するよう構成されている第１の構成モジュール６０４を含む。Ｎ個のブロードキャストチャネルのうちｉ番目のブロードキャストチャネルはｉ番目のブロードキャストチャネルに対応するユーザ機器ＵＥのアンテナポートまたはアンテナポートグループの指定情報を搬送し、または、Ｎ個のブロードキャストチャネルのうちｉ番目のブロードキャストチャネルで搬送されるパイロット信号はｉ番目のブロードキャストチャネルに対応するＵＥのアンテナポートまたはアンテナポートグループの指定情報に対応し、またはＮ個のブロードキャストチャネルのうちｉ番目のブロードキャストチャネルに対応するＵＥのアンテナポートにおける同期シーケンスの値は、ｉ番目のブロードキャストチャネルに対応するＵＥのアンテナポートの指定情報に対応するか、もしくは、Ｎ個のブロードキャストチャネルのうちｉ番目のブロードキャストチャネルに対応するＵＥのアンテナポートグループにおける同期シーケンスの値は、ｉ番目のブロードキャストチャネルに対応するＵＥのアンテナポートグループの指定情報に対応し、または、Ｎ個のブロードキャストチャネルのうちｉ番目のブロードキャストチャネルで搬送されるデータブロックがスクランブルされる場合に用いられるスクランブルコードは、ｉ番目のブロードキャストチャネルに対応するＵＥのアンテナポートまたはアンテナポートグループの指定情報に対応する。
【０２０９】
このため、基地局はＵＥのアンテナポートまたはアンテナポートグループの指定情報を複数の方法で決定するとしてよく、例えば、ブロードキャストチャネルが指定情報を搬送するか、パイロット信号が指定情報に対応するか、同期シーケンスが指定情報に対応するか、または、スクランブルコードが指定情報に対応する。ＵＥは、これらの方法で、ＵＥのアンテナポートまたはアンテナポートグループの位置情報を取得することができる。
【０２１０】
本発明の一部の実施形態では、図６Ｃに示すように、基地局６００はさらに、スクランブルモジュールが、Ｎ個のブロードキャストチャネルで搬送されるデータブロックをスクランブルして、Ｎ個のブロードキャストチャネルで搬送されるスクランブル化コードブロックを取得した後、以下の情報を構成するよう構成されている第２の構成モジュール６０５を含む。Ｎ個のブロードキャストチャネルのうちｉ番目のブロードキャストチャネルにおけるシステム情報を用いて、ｉ番目のブロードキャストチャネルに対応するＵＥのシステムフレーム番号ＳＦＮの第１の部分情報を指定し、および／または、ｉ番目のブロードキャストチャネルに対応するＵＥに伝送されるスクランブル化コードブロックの数を用いてＳＦＮの第２の部分情報を指定し、および／または、ｉ番目のブロードキャストチャネルに対応するＵＥのアンテナポートまたはアンテナポートグループの位置情報を用いて、ＳＦＮの第３の部分情報を指定する。
【０２１１】
ＳＦＮは第１の部分情報および第２の部分情報から成るか、または、ＳＦＮは第１の部分情報および第３の部分情報から成るか、または、ＳＦＮは第１の部分情報、第２の部分情報および第３の部分情報から成る。
【０２１２】
基地局は複数の方法でＵＥにＳＦＮを指定するとしてよく、ＵＥは、基地局が用いた方法と同じ方法でＳＦＮの構成を決定し、システム情報、スクランブル化コードブロックの数、および、ＵＥのアンテナポートまたはアンテナポートグループの位置情報のうち２個または３個を用いてＳＦＮを決定するとしてよい。
【０２１３】
本発明の一部の実施形態において、送受信モジュール６０３は具体的に、Ｎ個のアンテナポートを用いて第１のデータ伝送期間においてＮ個の時間リソースユニットにおいてＮ個の第１のスクランブル化コードブロックをそれぞれ伝送するよう構成されており、Ｎ個の第１のスクランブル化コードブロックのうちｉ番目の第１のスクランブル化コードブロックは、Ｎ個のアンテナポートのうちｉ番目のアンテナポートで伝送され、および／または、Ｎ個のアンテナポートを用いて第２のデータ伝送期間においてＮ個の時間リソースユニットにおいてＮ個の第２のスクランブル化コードブロックをそれぞれ伝送するよう構成されており、Ｎ個の第２のスクランブル化コードブロックのうちｉ番目の第２のスクランブル化コードブロックは、Ｎ個のアンテナポートのうちｉ番目のアンテナポートで伝送される。第２のデータ伝送期間は、第１のデータ伝送期間に対して時間的に隣接するデータ伝送期間である。
【０２１４】
さらに、基地局は、複数の異なるデータ伝送期間で複数の異なるスクランブル化データブロックを伝送し、ＵＥは、対応するデータ伝送期間において複数の異なるスクランブル化データブロックを受信することができ、受信したスクランブル化データブロックをデスクランブルする。
【０２１５】
本発明の一部の実施形態において、送受信モジュール６０３は具体的に、
Ｎ個のアンテナポートグループを用いて第１のデータ伝送期間においてＮ個の時間リソースユニットにおいてＮ個の第１のスクランブル化コードブロックをそれぞれ伝送するよう構成されており、Ｎ個の第１のスクランブル化コードブロックのうちｉ番目の第１のスクランブル化コードブロックは、Ｎ個のアンテナポートグループのうちｉ番目のアンテナポートグループで伝送され、および／または、Ｎ個のアンテナポートグループを用いて第２のデータ伝送期間においてＮ個の時間リソースユニットにおいてＮ個の第２のスクランブル化コードブロックをそれぞれ伝送するよう構成されており、Ｎ個の第２のスクランブル化コードブロックのうちｉ番目の第２のスクランブル化コードブロックは、Ｎ個のアンテナポートグループのうちｉ番目のアンテナポートグループで伝送される。第２のデータ伝送期間は、第１のデータ伝送期間に対して時間的に隣接するデータ伝送期間である。
【０２１６】
本発明の一部の実施形態において、図６Ｄに示すように、基地局６００はさらに、Ｎという値情報をＮ個のブロードキャストチャネルに追加するよう構成されているか、または、Ｎ個のブロードキャストチャネルの巡回冗長検査ＣＲＣのマスクとしてＮという値情報を用いるよう構成されている第３の構成モジュール６０６を備える。
【０２１７】
このため、基地局は、ＣＲＣのマスクを用いてブロードキャストチャネルの数をＵＥに指定し、ＵＥは、ＣＲＣのマスクを用いてブロードキャストチャネルの数を決定することができる。
【０２１８】
本発明の一部の実施形態では、ＳＦＮにおいて第２の部分情報が占めるビット位置の数は、Ｎの値に基づいて決定される。
【０２１９】
本発明の一部の実施形態において、ＳＦＮにおいて第３の部分情報が占めるビット位置の数は、ｉ番目のブロードキャストチャネルに対応するＵＥに伝送されるスクランブル化コードブロックの数に基づいて決定される。
【０２２０】
上述した実施形態における本発明の説明からは以下のことが分かるであろう。基地局は、Ｎ個のブロードキャストチャネルで搬送される複数のデータブロックを取得する。Ｎ個のブロードキャストチャネルのうちｉ番目のブロードキャストチャネルはＮ個のアンテナポートのうちｉ番目のアンテナポートに対応するか、または、Ｎ個のブロードキャストチャネルのうちｉ番目のブロードキャストチャネルはＮ個のアンテナポートグループのうちｉ番目のアンテナポートグループに対応する。基地局は、Ｎ個のブロードキャストチャネルで搬送されるデータブロックをスクランブルしてＮ個のブロードキャストチャネルで搬送されるスクランブル化コードブロックを取得する。そして、基地局は、ブロードキャストチャネルで搬送される対応するスクランブル化コードブロックを、Ｎ個のアンテナポートをそれぞれ用いて複数の異なる時間リソースユニットで伝送するか、または、基地局は、ブロードキャストチャネルで搬送される対応するスクランブル化コードブロックを、Ｎ個のアンテナポートグループをそれぞれ用いて複数の異なる時間リソースユニットで伝送する。基地局は、Ｎ個のブロードキャストチャネルで搬送されるデータブロックを別々にスクランブルしてＮ個のブロードキャストチャネルで搬送されるスクランブル化コードブロックを取得し、複数の異なる時間リソースユニットで、ブロードキャストチャネルで搬送されるスクランブル化コードブロックを伝送する。具体的には、基地局は、時分割方式でＮ個のアンテナポートまたはＮ個のアンテナポートグループを用いて、ブロードキャストチャネルで搬送されるスクランブル化コードブロックを伝送する。ＵＥは、ＵＥに対応するアンテナポートまたはアンテナポートグループを用いて、基地局が時間リソースユニットで伝送するスクランブル化コードブロックを受信する。このように、ブロードキャストチャネルは複数のアンテナポートまたはアンテナポートグループで伝送されるので、ブロードキャストチャネルのカバレッジが拡張される。
【０２２１】
図７Ａを参照すると、本発明の実施形態で提供されるＵＥ７００は、送受信モジュール７０１およびデスクランブルモジュール７０２を備えるとしてよい。
【０２２２】
送受信モジュール７０１は、ＵＥに対応する時間リソースユニットで、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを受信するよう構成されているか、または、ＵＥに対応する時間リソースユニットで、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを受信するよう構成されている。Ｎは正の整数であり、ｉは０より大きくＮ以下の正の整数であり、ＵＥはｉ番目のアンテナポートまたはｉ番目のアンテナポートグループに対応する。
【０２２３】
デスクランブルモジュール７０２は、ｉ番目のブロードキャストチャネルで搬送されるスクランブル化コードブロックであって、ｉ番目のアンテナポートまたはｉ番目のアンテナポートグループを用いて受信するスクランブル化コードブロックをデスクランブルするよう構成されている。
【０２２４】
基地局は、Ｎ個のブロードキャストチャネルで搬送されるデータブロックを別々にスクランブルしてＮ個のブロードキャストチャネルで搬送されるスクランブル化コードブロックを取得し、複数の異なる時間リソースユニットで、ブロードキャストチャネルで搬送されるスクランブル化コードブロックを伝送する。具体的には、基地局は、時分割方式でＮ個のアンテナポートまたはＮ個のアンテナポートグループを用いて、ブロードキャストチャネルで搬送されるスクランブル化コードブロックを伝送する。ＵＥは、ＵＥに対応するアンテナポートまたはアンテナポートグループを用いて、基地局が時間リソースユニットで伝送するスクランブル化コードブロックを受信する。このように、ブロードキャストチャネルは複数のアンテナポートまたはアンテナポートグループで伝送されるので、ブロードキャストチャネルのカバレッジが拡張される。
【０２２５】
本発明の一部の実施形態において、デスクランブルモジュール７０２は具体的に、ｉ番目のブロードキャストチャネルで搬送されるｉ番目の第１のスクランブル化コードブロックをデスクランブルするよう構成されているか、または、ｉ番目のブロードキャストチャネルで搬送されるｉ番目の第２のスクランブル化コードブロックをデスクランブルするよう構成されているか、または、ｉ番目のブロードキャストチャネルで搬送されるｉ番目の第１のスクランブル化コードブロックおよびｉ番目の第２のスクランブル化コードブロックをＵＥが組み合わせた後で、組み合わせられたｉ番目の第１のスクランブル化コードブロックおよびｉ番目の第２のスクランブル化コードブロックをデスクランブルするよう構成されている。
【０２２６】
基地局は、２種類の異なるスクランブルコードを用いて、Ｎ個のブロードキャストチャネルの全てで搬送されるデータブロックを別々にスクランブルして、２種類のスクランブルコードに対応するスクランブル化コードブロックを取得する。このため、ＵＥは、複数の異なるスクランブルコードを用いてデータブロックをデスクランブルすることができる。
【０２２７】
本発明の一部の実施形態において、図７Ｂに示すように、ユーザ機器７００はさらに、送受信モジュールが、ＵＥに対応する時間リソースユニットで、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを受信した後、または、ＵＥに対応する時間リソースユニットで、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを受信した後、ｉ番目のブロードキャストチャネルで搬送される指定情報に基づきＵＥのアンテナポートまたはアンテナポートグループの位置情報を取得するよう構成されているか、または、ｉ番目のブロードキャストチャネルで搬送されるパイロット信号に基づきＵＥのアンテナポートまたはアンテナポートグループの位置情報を取得するよう構成されているか、または、ＵＥのアンテナポートにおける同期シーケンスの値に基づきＵＥのアンテナポートの位置情報を取得するよう構成されているか、もしくは、ＵＥのアンテナポートグループにおける同期シーケンスの値に基づきＵＥのアンテナポートグループの位置情報を取得するよう構成されているか、または、ｉ番目のブロードキャストチャネルで搬送されるスクランブル化コードブロックがデスクランブルされる場合に用いられるスクランブルコードに基づき、ＵＥのアンテナポートまたはアンテナポートグループの位置情報を取得するよう構成されている第１の取得モジュール７０３を備える。
【０２２８】
このため、基地局はＵＥのアンテナポートまたはアンテナポートグループの指定情報を複数の方法で決定するとしてよく、例えば、ブロードキャストチャネルが指定情報を搬送するか、パイロット信号が指定情報に対応するか、同期シーケンスが指定情報に対応するか、または、スクランブルコードが指定情報に対応する。ＵＥは、これらの方法で、ＵＥのアンテナポートまたはアンテナポートグループの位置情報を取得することができる。
【０２２９】
本発明の一部の実施形態において、図７Ｃに示すように、ユーザ機器７００はさらに、送受信モジュールが、ＵＥに対応する時間リソースユニットで、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを受信する前か、または、ＵＥに対応する時間リソースユニットで、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを受信する前に、Ｎ個のブロードキャストチャネルのうちｉ番目のブロードキャストチャネルにおけるシステム情報を用いることによって、システムフレーム番号ＳＦＮの第１の部分情報を取得するよう構成されており、および／または、ＵＥが受信するスクランブル化コードブロックの数を用いてＳＦＮの第２の部分情報を取得するよう構成されており、および／または、ＵＥのアンテナポートまたはアンテナポートグループの位置情報を用いてＳＦＮの第３の部分情報を取得するよう構成されており、ならびに、第１の部分情報および第２の部分情報を用いてＳＦＮを取得するよう構成されているか、もしくは、第１の部分情報および第３の部分情報を用いてＳＦＮを取得するよう構成されているか、もしくは、第１の部分情報、第２の部分情報および第３の部分情報を用いてＳＦＮを取得するよう構成されている第２の取得モジュール７０４を備える。
【０２３０】
基地局は複数の方法でＵＥにＳＦＮを指定するとしてよく、ＵＥは、基地局が用いた方法と同じ方法でＳＦＮの構成を決定し、システム情報、スクランブル化コードブロックの数、および、ＵＥのアンテナポートまたはアンテナポートグループの位置情報のうち２個または３個を用いてＳＦＮを決定するとしてよい。
【０２３１】
本発明の一部の実施形態において、送受信モジュール７０１は具体的に、第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートのうちｉ番目のアンテナポートを用いて基地局が伝送したｉ番目の第１のスクランブル化コードブロックを受信するよう構成されており、および／または、第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートのうちｉ番目のアンテナポートを用いて基地局が伝送したｉ番目の第２のスクランブル化コードブロックを受信するよう構成されており、第２のデータ伝送期間は、第１のデータ伝送期間に対して隣接するデータ伝送期間である。
【０２３２】
さらに、基地局は、複数の異なるデータ伝送期間で複数の異なるスクランブル化データブロックを伝送し、ＵＥは、対応するデータ伝送期間において複数の異なるスクランブル化データブロックを受信することができ、受信したスクランブル化データブロックをデスクランブルする。
【０２３３】
本発明の一部の実施形態において、送受信モジュール７０１は具体的に、第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートグループのうちｉ番目のアンテナポートグループを用いて基地局が伝送したｉ番目の第１のスクランブル化コードブロックを受信するよう構成されており、および／または、第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートグループのうちｉ番目のアンテナポートグループを用いて基地局が伝送したｉ番目の第２のスクランブル化コードブロックを受信するよう構成されており、第２のデータ伝送期間は、第１のデータ伝送期間に対して隣接するデータ伝送期間である。
【０２３４】
さらに、基地局は、複数の異なるデータ伝送期間で複数の異なるスクランブル化データブロックを伝送し、ＵＥは、対応するデータ伝送期間において複数の異なるスクランブル化データブロックを受信することができ、受信したスクランブル化データブロックをデスクランブルする。
【０２３５】
本発明の一部の実施形態において、図７Ｄに示すように、ユーザ機器７００はさらに、送受信モジュールが、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットで、受信する前、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する前に、ｉ番目のブロードキャストチャネルで搬送されている値情報からＮの値を取得するよう構成されているか、または、ｉ番目のブロードキャストチャネルの巡回冗長検査ＣＲＣのマスクに基づきＮの値を取得するよう構成されている第３の取得モジュール７０５を備える。
【０２３６】
このため、基地局は、ＣＲＣのマスクを用いてブロードキャストチャネルの数をＵＥに指定し、ＵＥは、ＣＲＣのマスクを用いてブロードキャストチャネルの数を決定することができる。
【０２３７】
本発明の一部の実施形態において、ＳＦＮにおいて第２の部分情報が占めるビット位置の数は、Ｎの値に基づいて決定される。
【０２３８】
本発明の一部の実施形態において、第３の部分情報について、第３の部分情報がＳＦＮにおいて占めるビット位置の数は、ｉ番目のブロードキャストチャネルに対応するＵＥに伝送されるスクランブル化コードブロックの数に基づいて決定される。
【０２３９】
上述した実施形態における本発明の説明からは以下のことが分かるであろう。ＵＥは、ＵＥに対応する時間リソースユニットで、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを受信するか、または、ＵＥに対応する時間リソースユニットで、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを受信し、ＵＥは、ｉ番目のブロードキャストチャネルで搬送されるスクランブル化コードブロックであって、ｉ番目のアンテナポートまたはｉ番目のアンテナポートグループを用いて受信するスクランブル化コードブロックをデスクランブルする。基地局は、Ｎ個のブロードキャストチャネルで搬送されるデータブロックを別々にスクランブルしてＮ個のブロードキャストチャネルで搬送されるスクランブル化コードブロックを取得し、複数の異なる時間リソースユニットで、ブロードキャストチャネルで搬送されるスクランブル化コードブロックを伝送する。具体的には、基地局は、時分割方式でＮ個のアンテナポートまたはＮ個のアンテナポートグループを用いて、ブロードキャストチャネルで搬送されるスクランブル化コードブロックを伝送する。ＵＥは、ＵＥに対応するアンテナポートまたはアンテナポートグループを用いて、基地局が時間リソースユニットで伝送するスクランブル化コードブロックを受信する。このように、ブロードキャストチャネルは複数のアンテナポートまたはアンテナポートグループで伝送されるので、ブロードキャストチャネルのカバレッジが拡張される。
【０２４０】
情報等の内容は上述した装置のモジュール／ユニット間でやり取りされ、実行プロセスは本発明の方法の実施形態と同じ思想に属するので、結果として発生する技術的な効果は本発明の方法の実施形態によるものと同じであることに留意されたい。具体的な内容について、上記の本発明の方法の実施形態の説明を参照されたく、詳細はここでは繰り返し説明しない。
【０２４１】
本発明の実施形態はさらに、コンピュータ記憶媒体を提供する。コンピュータ記憶媒体はプログラムを格納し、当該プログラムは上述した方法の実施形態に記録されている段階のうち一部または全てを実行する。
【０２４２】
続いて、本発明の実施形態で提供される別の基地局を説明する。図８を参照すると、基地局８００は、受信機８０１、送信機８０２、プロセッサ８０３およびメモリ８０４を備える（基地局８００には１または複数のプロセッサ８０３が存在するとしてもよく、図８の例では１個のプロセッサを用いる）。本発明の一部の実施形態では、受信機８０１、送信機８０２、プロセッサ８０３およびメモリ８０４は、バスを用いて、または、別の方法で接続されているとしてよく、図８では一例としてバスを用いた接続を用いている。
【０２４３】
プロセッサ８０３は、Ｎ個のブロードキャストチャネルで搬送される複数のデータブロックを取得する段階であって、Ｎ個のブロードキャストチャネルのうちｉ番目のブロードキャストチャネルはＮ個のアンテナポートのうちｉ番目のアンテナポートに対応するか、または、Ｎ個のブロードキャストチャネルのうちｉ番目のブロードキャストチャネルはＮ個のアンテナポートグループのうちｉ番目のアンテナポートグループに対応し、Ｎは正の整数であり、ｉは０より大きくＮ以下の正の整数である、段階と、
Ｎ個のブロードキャストチャネルで搬送されるデータブロックをスクランブルしてＮ個のブロードキャストチャネルで搬送されるスクランブル化コードブロックを取得する段階と、
ブロードキャストチャネルで搬送される対応するスクランブル化コードブロックを、Ｎ個のアンテナポートをそれぞれ用いて複数の異なる時間リソースユニットで伝送する段階か、または、ブロードキャストチャネルで搬送される対応するスクランブル化コードブロックを、Ｎ個のアンテナポートグループをそれぞれ用いて複数の異なる時間リソースユニットで伝送する段階と
を実行するよう構成されている。
【０２４４】
基地局は、Ｎ個のブロードキャストチャネルで搬送されるデータブロックを別々にスクランブルしてＮ個のブロードキャストチャネルで搬送されるスクランブル化コードブロックを取得し、複数の異なる時間リソースユニットで、ブロードキャストチャネルで搬送されるスクランブル化コードブロックを伝送する。具体的には、基地局は、時分割方式でＮ個のアンテナポートまたはＮ個のアンテナポートグループを用いて、ブロードキャストチャネルで搬送されるスクランブル化コードブロックを伝送する。ＵＥは、ＵＥに対応するアンテナポートまたはアンテナポートグループを用いて、基地局が時間リソースユニットで伝送するスクランブル化コードブロックを受信する。このように、ブロードキャストチャネルは複数のアンテナポートまたはアンテナポートグループで伝送されるので、ブロードキャストチャネルのカバレッジが拡張される。
【０２４５】
本発明の一部の実施形態において、プロセッサ８０３は具体的に、
Ｎ個のブロードキャストチャネルのそれぞれで搬送されるデータブロックを第１のスクランブルコードを用いてスクランブルして、Ｎ個のブロードキャストチャネルで搬送されるＮ個の第１のスクランブル化コードブロックを取得する段階、および／または、
Ｎ個のブロードキャストチャネルのそれぞれで搬送されるデータブロックを第２のスクランブルコードを用いてスクランブルして、Ｎ個のブロードキャストチャネルで搬送されるＮ個の第２のスクランブル化コードブロックを取得する段階を実行するよう構成されている。第１のスクランブルコードおよび第２のスクランブルコードは異なるスクランブルコードである。
【０２４６】
基地局は、２種類の異なるスクランブルコードを用いて、Ｎ個のブロードキャストチャネルの全てで搬送されるデータブロックを別々にスクランブルして、２種類のスクランブルコードに対応するスクランブル化コードブロックを取得する。このため、ＵＥは、複数の異なるスクランブルコードを用いてデータブロックをデスクランブルすることができる。
【０２４７】
本発明の一部の実施形態において、プロセッサ８０３は具体的に以下の構成内容を実行するよう構成されている。Ｎ個のブロードキャストチャネルのうちｉ番目のブロードキャストチャネルはｉ番目のブロードキャストチャネルに対応するユーザ機器ＵＥのアンテナポートまたはアンテナポートグループの指定情報を搬送し、または、
Ｎ個のブロードキャストチャネルのうちｉ番目のブロードキャストチャネルで搬送されるパイロット信号はｉ番目のブロードキャストチャネルに対応するＵＥのアンテナポートまたはアンテナポートグループの指定情報に対応し、または
Ｎ個のブロードキャストチャネルのうちｉ番目のブロードキャストチャネルに対応するＵＥのアンテナポートにおける同期シーケンスの値は、ｉ番目のブロードキャストチャネルに対応するＵＥのアンテナポートの指定情報に対応するか、もしくは、Ｎ個のブロードキャストチャネルのうちｉ番目のブロードキャストチャネルに対応するＵＥのアンテナポートグループにおける同期シーケンスの値は、ｉ番目のブロードキャストチャネルに対応するＵＥのアンテナポートグループの指定情報に対応し、または、
Ｎ個のブロードキャストチャネルのうちｉ番目のブロードキャストチャネルで搬送されるデータブロックがスクランブルされる場合に用いられるスクランブルコードは、ｉ番目のブロードキャストチャネルに対応するＵＥのアンテナポートまたはアンテナポートグループの指定情報に対応する。
【０２４８】
このため、基地局はＵＥのアンテナポートまたはアンテナポートグループの指定情報を複数の方法で決定するとしてよく、例えば、ブロードキャストチャネルが指定情報を搬送するか、パイロット信号が指定情報に対応するか、同期シーケンスが指定情報に対応するか、または、スクランブルコードが指定情報に対応する。ＵＥは、これらの方法で、ＵＥのアンテナポートまたはアンテナポートグループの位置情報を取得することができる。
【０２４９】
本発明の一部の実施形態において、プロセッサ８０３はさらに、Ｎ個のブロードキャストチャネルで搬送されるデータブロックをスクランブルして、Ｎ個のブロードキャストチャネルで搬送されるスクランブル化コードブロックを取得する段階の後、
Ｎ個のブロードキャストチャネルのうちｉ番目のブロードキャストチャネルにおけるシステム情報を用いて、ｉ番目のブロードキャストチャネルに対応するＵＥのシステムフレーム番号ＳＦＮの第１の部分情報を指定する段階、および／または、
ｉ番目のブロードキャストチャネルに対応するＵＥに伝送されるスクランブル化コードブロックの数を用いてＳＦＮの第２の部分情報を指定する段階、および／または、
ｉ番目のブロードキャストチャネルに対応するＵＥのアンテナポートまたはアンテナポートグループの位置情報を用いて、ＳＦＮの第３の部分情報を指定する段階
を実行するよう構成されている。
【０２５０】
ＳＦＮは第１の部分情報および第２の部分情報から成るか、または、ＳＦＮは第１の部分情報および第３の部分情報から成るか、または、ＳＦＮは第１の部分情報、第２の部分情報および第３の部分情報から成る。
【０２５１】
基地局は複数の方法でＵＥにＳＦＮを指定するとしてよく、ＵＥは、基地局が用いた方法と同じ方法でＳＦＮの構成を決定し、システム情報、スクランブル化コードブロックの数、および、ＵＥのアンテナポートまたはアンテナポートグループの位置情報のうち２個または３個を用いてＳＦＮを決定するとしてよい。
【０２５２】
本発明の一部の実施形態において、プロセッサ８０３は具体的に、
Ｎ個のアンテナポートを用いて第１のデータ伝送期間においてＮ個の時間リソースユニットにおいてＮ個の第１のスクランブル化コードブロックをそれぞれ伝送する段階であって、Ｎ個の第１のスクランブル化コードブロックのうちｉ番目の第１のスクランブル化コードブロックは、Ｎ個のアンテナポートのうちｉ番目のアンテナポートで伝送される段階、および／または、
Ｎ個のアンテナポートを用いて第２のデータ伝送期間においてＮ個の時間リソースユニットにおいてＮ個の第２のスクランブル化コードブロックをそれぞれ伝送する段階
を実行するよう構成されており、
Ｎ個の第２のスクランブル化コードブロックのうちｉ番目の第２のスクランブル化コードブロックは、Ｎ個のアンテナポートのうちｉ番目のアンテナポートで伝送される。第２のデータ伝送期間は、第１のデータ伝送期間に対して時間的に隣接するデータ伝送期間である。
【０２５３】
さらに、基地局は、複数の異なるデータ伝送期間で複数の異なるスクランブル化データブロックを伝送し、ＵＥは、対応するデータ伝送期間において複数の異なるスクランブル化データブロックを受信することができ、受信したスクランブル化データブロックをデスクランブルする。
【０２５４】
本発明の一部の実施形態において、プロセッサ８０３は具体的に、Ｎ個のアンテナポートグループを用いて第１のデータ伝送期間においてＮ個の時間リソースユニットにおいてＮ個の第１のスクランブル化コードブロックをそれぞれ伝送する段階であって、Ｎ個の第１のスクランブル化コードブロックのうちｉ番目の第１のスクランブル化コードブロックは、Ｎ個のアンテナポートグループのうちｉ番目のアンテナポートグループで伝送される、段階、および／または、
Ｎ個のアンテナポートグループを用いて第２のデータ伝送期間においてＮ個の時間リソースユニットにおいてＮ個の第２のスクランブル化コードブロックをそれぞれ伝送する段階であって、Ｎ個の第２のスクランブル化コードブロックのうちｉ番目の第２のスクランブル化コードブロックは、Ｎ個のアンテナポートグループのうちｉ番目のアンテナポートグループで伝送される、段階を実行するよう構成されており、第２のデータ伝送期間は、第１のデータ伝送期間に対して時間的に隣接するデータ伝送期間である。
【０２５５】
さらに、基地局は、複数の異なるデータ伝送期間で複数の異なるスクランブル化データブロックを伝送し、ＵＥは、対応するデータ伝送期間において複数の異なるスクランブル化データブロックを受信することができ、受信したスクランブル化データブロックをデスクランブルする。
【０２５６】
本発明の一部の実施形態において、プロセッサ８０３は具体的に、以下の構成内容を実行するよう構成されている。Ｎという値情報をＮ個のブロードキャストチャネルに追加するか、または、Ｎ個のブロードキャストチャネルの巡回冗長検査ＣＲＣのマスクとしてＮという値情報を用いる。
【０２５７】
このため、基地局は、ＣＲＣのマスクを用いてブロードキャストチャネルの数をＵＥに指定し、ＵＥは、ＣＲＣのマスクを用いてブロードキャストチャネルの数を決定することができる。
【０２５８】
本発明の一部の実施形態において、プロセッサ８０３は具体的に、以下の構成内容を実行するよう構成されている。ＳＦＮにおいて第２の部分情報が占めるビット位置の数は、Ｎの値に基づいて決定される。
【０２５９】
本発明の一部の実施形態において、プロセッサ８０３は具体的に、以下の構成内容を実行するよう構成されている。ＳＦＮにおいて第３の部分情報が占めるビット位置の数は、ｉ番目のブロードキャストチャネルに対応するＵＥに伝送されるスクランブル化コードブロックの数に基づいて決定される。
【０２６０】
続いて、本発明の実施形態で提供される別のＵＥを説明する。図９を参照すると、ＵＥ９００は、
受信機９０１、送信機９０２、プロセッサ９０３およびメモリ９０４を備える（ＵＥ９００には１または複数のプロセッサ９０３が存在するとしてもよく、図９の例では１個のプロセッサを用いる）。本発明の一部の実施形態では、受信機９０１、送信機９０２、プロセッサ９０３およびメモリ９０４は、バスを用いて、または、別の方法で接続されているとしてよく、図９では一例としてバスを用いた接続を用いている。
【０２６１】
プロセッサ９０３は、
Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットで、受信する段階、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する段階と、
ｉ番目のブロードキャストチャネルで搬送されるスクランブル化コードブロックであって、ｉ番目のアンテナポートまたはｉ番目のアンテナポートグループを用いて受信するスクランブル化コードブロックをデスクランブルする段階と
を実行するよう構成されており、
Ｎは正の整数であり、ｉは０よりも大きくＮ以下の正の整数であり、ＵＥはｉ番目のアンテナポートまたはｉ番目のアンテナポートグループに対応する。
【０２６２】
基地局は、Ｎ個のブロードキャストチャネルで搬送されるデータブロックを別々にスクランブルしてＮ個のブロードキャストチャネルで搬送されるスクランブル化コードブロックを取得し、複数の異なる時間リソースユニットで、ブロードキャストチャネルで搬送されるスクランブル化コードブロックを伝送する。具体的には、基地局は、時分割方式でＮ個のアンテナポートまたはＮ個のアンテナポートグループを用いて、ブロードキャストチャネルで搬送されるスクランブル化コードブロックを伝送する。ＵＥは、ＵＥに対応するアンテナポートまたはアンテナポートグループを用いて、基地局が時間リソースユニットで伝送するスクランブル化コードブロックを受信する。このように、ブロードキャストチャネルは複数のアンテナポートまたはアンテナポートグループで伝送されるので、ブロードキャストチャネルのカバレッジが拡張される。
【０２６３】
本発明の一部の実施形態において、プロセッサ９０３は具体的に、ｉ番目のブロードキャストチャネルで搬送されるｉ番目の第１のスクランブル化コードブロックをデスクランブルする段階、または、
ｉ番目のブロードキャストチャネルで搬送されるｉ番目の第２のスクランブル化コードブロックをデスクランブルする段階、または、
ｉ番目のブロードキャストチャネルで搬送されるｉ番目の第１のスクランブル化コードブロックおよびｉ番目の第２のスクランブル化コードブロックをＵＥが組み合わせた後で、組み合わせたｉ番目の第１のスクランブル化コードブロックおよびｉ番目の第２のスクランブル化コードブロックをデスクランブルする段階
を実行するように構成されている。
【０２６４】
基地局は、２種類の異なるスクランブルコードを用いて、Ｎ個のブロードキャストチャネルの全てで搬送されるデータブロックを別々にスクランブルして、２種類のスクランブルコードに対応するスクランブル化コードブロックを取得する。このため、ＵＥは、複数の異なるスクランブルコードを用いてデータブロックをデスクランブルすることができる。
【０２６５】
本発明の一部の実施形態において、プロセッサ９０３はさらに、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットで、受信する段階の前、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する段階の前に、
ｉ番目のブロードキャストチャネルで搬送される指定情報に基づきＵＥのアンテナポートまたはアンテナポートグループの位置情報を取得する段階、または、
ｉ番目のブロードキャストチャネルで搬送されるパイロット信号に基づきＵＥのアンテナポートまたはアンテナポートグループの位置情報を取得する段階、または、
ＵＥのアンテナポートにおける同期シーケンスの値に基づきＵＥのアンテナポートの位置情報を取得する段階、もしくは、ＵＥのアンテナポートグループにおける同期シーケンスの値に基づきＵＥのアンテナポートグループの位置情報を取得する段階、または、
ｉ番目のブロードキャストチャネルで搬送されるスクランブル化コードブロックがデスクランブルされる場合に用いられるスクランブルコードに基づき、ＵＥのアンテナポートまたはアンテナポートグループの位置情報を取得する段階
を実行するよう構成されている。
【０２６６】
このため、基地局はＵＥのアンテナポートまたはアンテナポートグループの指定情報を複数の方法で決定するとしてよく、例えば、ブロードキャストチャネルが指定情報を搬送するか、パイロット信号が指定情報に対応するか、同期シーケンスが指定情報に対応するか、または、スクランブルコードが指定情報に対応する。ＵＥは、これらの方法で、ＵＥのアンテナポートまたはアンテナポートグループの位置情報を取得することができる。
【０２６７】
本発明の一部の実施形態において、プロセッサ９０３は具体的に、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットで、受信する段階の前、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する段階の前に、
Ｎ個のブロードキャストチャネルのうちｉ番目のブロードキャストチャネルにおけるシステム情報を用いることによって、システムフレーム番号ＳＦＮの第１の部分情報を取得する段階、および／または、ＵＥが受信するスクランブル化コードブロックの数を用いてＳＦＮの第２の部分情報を取得する段階、および／または、ＵＥのアンテナポートまたはアンテナポートグループの位置情報を用いてＳＦＮの第３の部分情報を取得する段階、ならびに、
第１の部分情報および第２の部分情報を用いてＳＦＮを取得する段階、もしくは、第１の部分情報および第３の部分情報を用いてＳＦＮを取得する段階、もしくは、第１の部分情報、第２の部分情報および第３の部分情報を用いてＳＦＮを取得する段階
を実行するよう構成されている。
【０２６８】
基地局は複数の方法でＵＥにＳＦＮを指定するとしてよく、ＵＥは、基地局が用いた方法と同じ方法でＳＦＮの構成を決定し、システム情報、スクランブル化コードブロックの数、および、ＵＥのアンテナポートまたはアンテナポートグループの位置情報のうち２個または３個を用いてＳＦＮを決定するとしてよい。
【０２６９】
本発明の一部の実施形態において、プロセッサ９０３は具体的に、
第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートのうちｉ番目のアンテナポートを用いて基地局が伝送したｉ番目の第１のスクランブル化コードブロックを受信する段階、および／または、
第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートのうちｉ番目のアンテナポートを用いて基地局が伝送したｉ番目の第２のスクランブル化コードブロックを受信する段階
を実行するよう構成されており、第２のデータ伝送期間は、第１のデータ伝送期間に対して隣接するデータ伝送期間である。
【０２７０】
さらに、基地局は、複数の異なるデータ伝送期間で複数の異なるスクランブル化データブロックを伝送し、ＵＥは、対応するデータ伝送期間において複数の異なるスクランブル化データブロックを受信することができ、受信したスクランブル化データブロックをデスクランブルする。
【０２７１】
本発明の一部の実施形態において、プロセッサ９０３は具体的に、
第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートグループのうちｉ番目のアンテナポートグループを用いて基地局が伝送したｉ番目の第１のスクランブル化コードブロックを受信する段階、および／または
第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートグループのうちｉ番目のアンテナポートグループを用いて基地局が伝送したｉ番目の第２のスクランブル化コードブロックを受信する段階
を実行するよう構成されており、第２のデータ伝送期間は、第１のデータ伝送期間に隣接するデータ伝送期間である。
【０２７２】
さらに、基地局は、複数の異なるデータ伝送期間において複数の異なるスクランブル化データブロックを伝送し、ＵＥは、対応するデータ伝送期間において複数の異なるスクランブル化データブロックを受信することができ、受信したスクランブル化データブロックをデスクランブルする。
【０２７３】
本発明の一部の実施形態において、プロセッサ９０３は具体的に、
Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットで、受信する段階の前、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する段階の前に、
ｉ番目のブロードキャストチャネルで搬送されている値情報からＮの値を取得する段階、または、
ｉ番目のブロードキャストチャネルの巡回冗長検査ＣＲＣのマスクに基づきＮの値を取得する段階
を実行するよう構成されている。
【０２７４】
このため、基地局は、ＣＲＣのマスクを用いてブロードキャストチャネルの数をＵＥに指定し、ＵＥは、ＣＲＣのマスクを用いてブロードキャストチャネルの数を決定することができる。
【０２７５】
本発明の一部の実施形態において、プロセッサ９０３は具体的に、ＳＦＮにおいて第２の部分情報が占めるビット位置の数をＮの値に基づいて決定する段階を実行するよう構成されている。
【０２７６】
本発明の一部の実施形態において、プロセッサ９０３は具体的に、ＳＦＮにおいて第３の部分情報が占めるビット位置の数を、ｉ番目のブロードキャストチャネルに対応するＵＥに伝送されるスクランブル化コードブロックの数に基づいて決定する段階を実行するよう構成されている。
【０２７７】
これに加えて、説明した装置の実施形態は一例に過ぎないものと留意されたい。別個の部分として説明したユニットは物理的に別個であってもよいしそうでなくてもよく、ユニットとして表示されている部分は物理的なユニットであってもよいしそうでなくてもよく、１つの位置に配置されてもよく、または複数のネットワークユニットに分散させてもよい。モジュールの一部または全ては、実施形態の解決手段の目的を実現すべく実際に必要か否かに応じて選択されるとしてよい。これに加えて、本発明が提供する装置の実施形態を示す添付図面では、モジュール間の接続関係はモジュールが互いに通信接続を有することを示し、この通信接続は１または複数の通信バスまたは信号ケーブルとして具体的に実施されるとしてよい。当業者であれば、創造的な努力をすることなく本発明の実施形態を理解し実施するであろう。
【０２７８】
当業者であれば、前述した実施例の説明に基づき、必要な汎用ハードウェアに加えてソフトウェアによって、または、専用集積回路、専用ＣＰＵ、専用メモリ、専用コンポーネント等を含む専用ハードウェアによって本発明が実施され得ることを明確に理解するであろう。通常、コンピュータプログラムによって実行され得るいずれの機能も、対応するハードウェアを用いることで容易に実装され得る。さらに、同じ機能を実現するのに用いられる特定のハードウェア構造は、例えば、アナログ回路、デジタル回路、専用回路等の形態など、さまざまな形態であってよい。しかし、本発明に関しては、ほとんどの場合においてソフトウェアプログラム実装がより良好な実装である。このような理解に基づき、先行技術に対して本質的にまたは部分的に寄与する本発明の技術的解決手段はソフトウェア製品の形態で実装されてよい。コンピュータソフトウェア製品は、コンピュータのフロッピー（登録商標）ディスク、ＵＳＢフラッシュドライブ、取り外し可能ハードディスク、リードオンリーメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどの可読記憶媒体に格納され、本発明の実施形態で説明した方法を実行するようコンピュータデバイス（パーソナルコンピュータ、サーバ、ネットワークデバイス等）に命令するためのいくつかの命令を含む。
【０２７９】
結論を述べると、前述の実施形態は本発明の技術的解決手段を説明することを意図しているに過ぎず、本発明を限定するためのものではない。前述した実施形態を参照しつつ本発明を詳細に説明したが、当業者であれば、本発明の実施形態の技術的解決手段の主旨および範囲から逸脱することなく、前述した実施形態で説明した技術的解決手段にさらに修正を加え得るか、または、一部の技術的特徴を均等物で置換し得ることを理解すべきである。
【図１】
2019504541.tif 000017
【図２】
2019504541.tif 000018
【図３】
2019504541.tif 000019
【図４】
2019504541.tif 000020
【図５】
2019504541.tif 000021
【図６Ａ】
2019504541.tif 000022
【図６Ｂ】
2019504541.tif 000023
【図６Ｃ】
2019504541.tif 000024
【図６Ｄ】
2019504541.tif 000025
【図７Ａ】
2019504541.tif 000026
【図７Ｂ】
2019504541.tif 000027
【図７Ｃ】
2019504541.tif 000028
【図７Ｄ】
2019504541.tif 000029
【図８】
2019504541.tif 000030
【図９】
2019504541.tif 000031
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
Ｎ個のブロードキャストチャネルで搬送される複数のデータブロックを基地局が取得する段階であって、前記Ｎ個のブロードキャストチャネルのうちｉ番目のブロードキャストチャネルはＮ個のアンテナポートのうちｉ番目のアンテナポートに対応するか、または、前記Ｎ個のブロードキャストチャネルのうちｉ番目のブロードキャストチャネルはＮ個のアンテナポートグループのうちｉ番目のアンテナポートグループに対応し、Ｎは正の整数であり、ｉは０より大きくＮ以下の正の整数である、段階と、
前記Ｎ個のブロードキャストチャネルで搬送される前記複数のデータブロックを前記基地局がスクランブルして前記Ｎ個のブロードキャストチャネルで搬送されるスクランブル化コードブロックを取得する段階と、
前記Ｎ個のブロードキャストチャネルで搬送される対応するスクランブル化コードブロックを、前記Ｎ個のアンテナポートをそれぞれ用いて複数の異なる時間リソースユニットで前記基地局が伝送する段階か、または、前記Ｎ個のブロードキャストチャネルで搬送される対応するスクランブル化コードブロックを、前記Ｎ個のアンテナポートグループをそれぞれ用いて複数の異なる時間リソースユニットで前記基地局が伝送する段階と
を備えるデータを伝送する方法。
【請求項２】
前記Ｎ個のブロードキャストチャネルで搬送される前記複数のデータブロックを前記基地局がスクランブルして前記Ｎ個のブロードキャストチャネルで搬送されるスクランブル化コードブロックを取得する段階は、
前記Ｎ個のブロードキャストチャネルのそれぞれで搬送されるデータブロックを第１のスクランブルコードを用いて前記基地局がスクランブルして、前記Ｎ個のブロードキャストチャネルで搬送されるＮ個の第１のスクランブル化コードブロックを取得する段階、および／または、
前記Ｎ個のブロードキャストチャネルのそれぞれで搬送されるデータブロックを第２のスクランブルコードを用いて前記基地局がスクランブルして、前記Ｎ個のブロードキャストチャネルで搬送されるＮ個の第２のスクランブル化コードブロックを取得する段階
を有し、
前記第１のスクランブルコードおよび前記第２のスクランブルコードは異なるスクランブルコードである
請求項１に記載の方法。
【請求項３】
前記Ｎ個のブロードキャストチャネルのうち前記ｉ番目のブロードキャストチャネルは前記ｉ番目のブロードキャストチャネルに対応するユーザ機器（ＵＥ）のアンテナポートまたはアンテナポートグループの指定情報を搬送し、または、
前記Ｎ個のブロードキャストチャネルのうち前記ｉ番目のブロードキャストチャネルで搬送されるパイロット信号は前記ｉ番目のブロードキャストチャネルに対応するＵＥのアンテナポートまたはアンテナポートグループの指定情報に対応し、または
前記Ｎ個のブロードキャストチャネルのうち前記ｉ番目のブロードキャストチャネルに対応するＵＥのアンテナポートにおける同期シーケンスの値は、前記ｉ番目のブロードキャストチャネルに対応する前記ＵＥの前記アンテナポートの指定情報に対応するか、もしくは、前記Ｎ個のブロードキャストチャネルのうち前記ｉ番目のブロードキャストチャネルに対応するＵＥのアンテナポートグループにおける同期シーケンスの値は、前記ｉ番目のブロードキャストチャネルに対応する前記ＵＥの前記アンテナポートグループの指定情報に対応し、または、
前記Ｎ個のブロードキャストチャネルのうち前記ｉ番目のブロードキャストチャネルで搬送されるデータブロックがスクランブルされる場合に用いられるスクランブルコードは、前記ｉ番目のブロードキャストチャネルに対応するＵＥのアンテナポートまたはアンテナポートグループの指定情報に対応する
請求項１または２に記載の方法。
【請求項４】
前記Ｎ個のブロードキャストチャネルで搬送される前記複数のデータブロックを前記基地局がスクランブルして、前記Ｎ個のブロードキャストチャネルで搬送されるスクランブル化コードブロックを取得する段階の後、前記方法はさらに、
前記Ｎ個のブロードキャストチャネルのうち前記ｉ番目のブロードキャストチャネルにおけるシステム情報を前記基地局が用いて、前記ｉ番目のブロードキャストチャネルに対応するユーザ機器（ＵＥ）のシステムフレーム番号（ＳＦＮ）の第１の部分情報を指定する段階、および／または、
前記ｉ番目のブロードキャストチャネルに対応する前記ＵＥに伝送されるスクランブル化コードブロックの数を用いて前記ＳＦＮの第２の部分情報を前記基地局が指定する段階、および／または、
前記ｉ番目のブロードキャストチャネルに対応する前記ＵＥの前記アンテナポートまたは前記アンテナポートグループの位置情報を用いて、前記ＳＦＮの第３の部分情報を前記基地局が指定する段階
を備え、
前記ＳＦＮは前記第１の部分情報および前記第２の部分情報から成るか、または、前記ＳＦＮは前記第１の部分情報および前記第３の部分情報から成るか、または、前記ＳＦＮは前記第１の部分情報、前記第２の部分情報および前記第３の部分情報から成る
請求項１から３のいずれか一項に記載の方法。
【請求項５】
前記基地局がＮという値情報を前記Ｎ個のブロードキャストチャネルに追加する段階、または
前記基地局がＮという値情報を前記Ｎ個のブロードキャストチャネルの巡回冗長検査（ＣＲＣ）のマスクとして用いる段階
をさらに備える
請求項１から４のいずれか一項に記載の方法。
【請求項６】
Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ユーザ機器（ＵＥ）が前記ＵＥに対応する時間リソースユニットで、受信する段階、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥが前記ＵＥに対応する時間リソースユニットで、受信する段階と、
前記ｉ番目のブロードキャストチャネルで搬送される前記スクランブル化コードブロックであって、前記ｉ番目のアンテナポートまたは前記ｉ番目のアンテナポートグループを用いて受信する前記スクランブル化コードブロックを前記ＵＥがデスクランブルする段階と
を備え、
Ｎは正の整数であり、ｉは０より大きくＮ以下の正の整数であり、前記ＵＥは前記ｉ番目のアンテナポートまたは前記ｉ番目のアンテナポートグループに対応する
データを伝送する方法。
【請求項７】
前記ｉ番目のブロードキャストチャネルで搬送される前記スクランブル化コードブロックであって、前記ｉ番目のアンテナポートまたは前記ｉ番目のアンテナポートグループを用いて受信する前記スクランブル化コードブロックを前記ＵＥがデスクランブルする段階は、
前記ｉ番目のブロードキャストチャネルで搬送されるｉ番目の第１のスクランブル化コードブロックを前記ＵＥがデスクランブルする段階、または、
前記ｉ番目のブロードキャストチャネルで搬送されるｉ番目の第２のスクランブル化コードブロックを前記ＵＥがデスクランブルする段階、または、
前記ｉ番目のブロードキャストチャネルで搬送されるｉ番目の第１のスクランブル化コードブロックおよびｉ番目の第２のスクランブル化コードブロックを前記ＵＥが組み合わせた後で、組み合わせられた前記ｉ番目の第１のスクランブル化コードブロックおよび前記ｉ番目の第２のスクランブル化コードブロックをデスクランブルする段階
を有する
請求項６に記載の方法。
【請求項８】
Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ユーザ機器（ＵＥ）が前記ＵＥに対応する時間リソースユニットで、受信する段階、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて前記基地局が伝送するスクランブル化コードブロックを、ＵＥが前記ＵＥに対応する時間リソースユニットで、受信する段階の前に、前記方法はさらに、
前記ｉ番目のブロードキャストチャネルで搬送される指定情報に基づき前記ＵＥの前記アンテナポートまたは前記アンテナポートグループの位置情報を前記ＵＥが取得する段階、または、
前記ｉ番目のブロードキャストチャネルで搬送されるパイロット信号に基づき前記ＵＥの前記アンテナポートまたは前記アンテナポートグループの位置情報を前記ＵＥが取得する段階、または、
前記ＵＥの前記アンテナポートにおける同期シーケンスの値に基づき前記ＵＥの前記アンテナポートの位置情報を前記ＵＥが取得する段階、もしくは、前記ＵＥの前記アンテナポートグループにおける同期シーケンスの値に基づき前記ＵＥの前記アンテナポートグループの位置情報を前記ＵＥが取得する段階、または、
前記ｉ番目のブロードキャストチャネルで搬送される前記スクランブル化コードブロックがデスクランブルされる場合に用いられるスクランブルコードに基づき、前記ＵＥの前記アンテナポートまたは前記アンテナポートグループの位置情報を前記ＵＥが取得する段階
を備える
請求項６または７に記載の方法。
【請求項９】
Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ユーザ機器（ＵＥ）が前記ＵＥに対応する時間リソースユニットで、受信する段階、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて前記基地局が伝送するスクランブル化コードブロックを、ＵＥが前記ＵＥに対応する時間リソースユニットで、受信する段階の前に、前記方法はさらに、
前記Ｎ個のブロードキャストチャネルのうち前記ｉ番目のブロードキャストチャネルにおけるシステム情報を用いることによって、システムフレーム番号（ＳＦＮ）の第１の部分情報を前記ＵＥが取得する段階、および／または、前記ＵＥが受信するスクランブル化コードブロックの数を用いて前記ＳＦＮの第２の部分情報を前記ＵＥが取得する段階、および／または、前記ＵＥの前記アンテナポートまたは前記アンテナポートグループの位置情報を用いて前記ＳＦＮの第３の部分情報を前記ＵＥが取得する段階、ならびに、
前記第１の部分情報および前記第２の部分情報を用いて前記ＳＦＮを前記ＵＥが取得する段階、もしくは、前記第１の部分情報および前記第３の部分情報を用いて前記ＳＦＮを前記ＵＥが取得する段階、もしくは、前記第１の部分情報、前記第２の部分情報および前記第３の部分情報を用いて前記ＳＦＮを前記ＵＥが取得する段階
を備える
請求項６から８のいずれか一項に記載の方法。
【請求項１０】
前記ｉ番目のブロードキャストチャネルで搬送される値情報からＮの値を前記ＵＥが取得する段階、または
前記ｉ番目のブロードキャストチャネルの巡回冗長検査（ＣＲＣ）のマスクに基づいてＮの値を前記ＵＥが取得する段階
さらに備える
請求項６から９のいずれか一項に記載の方法。
【請求項１１】
請求項１から１０のいずれか一項に記載の方法を実行する装置。
【請求項１２】
プロセッサ、送信機、受信機およびメモリを備える装置であって、前記プロセッサは、請求項１から１０のいずれか一項に記載の方法を前記装置に実行させるべく前記メモリに格納されている命令を実行する、装置。
【請求項１３】
請求項１から１０のいずれか一項に記載の方法をコンピュータに実行させるプログラム。
【手続補正２】
【補正対象書類名】明細書
【補正対象項目名】０００３
【補正方法】変更
【補正の内容】
【０００３】
現在のセルラー方式システムでは概して、システム情報はブロードキャストチャネルを用いて伝送される。システム情報は、ユーザアクセス情報、ならびに、セル内の別のチャネルにおける動作情報および構成情報を含む。このため、ブロードキャストチャネルで情報を正しく受信することはシステム動作を左右する重要な点である。例えば、ロングタームエボリューション（ＬＴＥ）システムにおいて、ブロードキャストチャネルを用いて伝送されるシステム情報は、マスター情報ブロック（ＭＩＢ）メッセージおよびシステム情報ブロック（ＳＩＢー）メッセージという２種類に分類される。ＭＩＢメッセージに含まれるパラメータは、ユーザ機器（ＵＥ）の初期アクセスプロセスに用いられるとしてよく、エボルブドＮｏｄｅＢ（ｅＮｏｄｅＢ）は、物理ブロードキャストチャネル（ＰＢＣＨ）を利用してＭＩＢメッセージをＵＥにブロードキャストする。
【手続補正３】
【補正対象書類名】明細書
【補正対象項目名】０００４
【補正方法】変更
【補正の内容】
【０００４】
ＰＢＣＨは、現在のＬＴＥシステムでは、ワイドビームを用いて伝送される。ワイドビームは、当該ビームが非常に広い範囲をカバーすること、例えば、当該ビームがセル全体をカバーできることを意味する。ＭＩＢメッセージはＰＢＣＨで搬送される。ＭＩＢメッセージは、４０ミリ秒（ｍｓ）という期間において４回繰り返し伝送され、伝送されたＰＢＣＨはそれぞれ、同じコードワード情報を搬送する。具体的には、伝送されるコードワード情報はそれぞれ、別個にデスクランブルすることができる。このため、信号干渉比（ＳＩＲ）が十分に高い場合、ＵＥは、この４０ｍｓ内に伝送されるＭＩＢメッセージを１つ受信するだけで、ＰＢＣＨで搬送されるコードワード情報を、デスクランブルによって取得することができるとしてよい。デスクランブルが失敗すると、コードワード情報は次の１０ｍｓで伝送されるＰＢＣＨで搬送される内容と組み合わせられるとしてよい。そして、ＰＢＣＨで搬送されるコードワード情報がデスクランブルで取得できるまで、合同デスクランブルを実行する。
【手続補正４】
【補正対象書類名】明細書
【補正対象項目名】０００５
【補正方法】変更
【補正の内容】
【０００５】
モバイル通信技術の発展に伴い、今後のシステムではマッシブマルチプルインプットマルチプルアウトプット（ｍａｓｓｉｖｅ  ＭＩＭＯ）技術が利用されるであろう。この技術によれば、スペクトル効率を大幅に改善することができ、ビームフォーミング（正式英語表記はｂｅａｍｆｏｒｍｉｎｇ）技術は主に現在のデータチャネルで用いられる。この場合、データチャネルのカバレッジとの整合性を引き続き維持するべく、通常チャネルとしてＰＢＣＨも複数のビームを用いて伝送する必要がある。しかし、先行技術では、ＰＢＣＨ伝送解決手段はマルチビームシステムには適用できない。これは、先行技術では、搬送している情報は同じだがスクランブルコードが異なるＰＢＣＨは、ターゲットＵＥのビームで続けて受信する必要があるためである。しかし、マッシブマルチプルインプットマルチプルアウトプット技術の要件によれば、ターゲットＵＥのビームにおいてＰＢＣＨを継続して伝送することは必ず失敗する。このため、先行技術はマルチビームシステムには適用できない。
【手続補正５】
【補正対象書類名】明細書
【補正対象項目名】０００８
【補正方法】変更
【補正の内容】
【０００８】
第１の態様によれば、本発明の実施形態はデータ伝送方法を提供する。当該データ伝送方法は、Ｎ個のブロードキャストチャネルで搬送される複数のデータブロックを基地局が取得する段階であって、Ｎ個のブロードキャストチャネルのうちｉ番目のブロードキャストチャネルはＮ個のアンテナポートのうちｉ番目のアンテナポートに対応するか、または、Ｎ個のブロードキャストチャネルのうちｉ番目のブロードキャストチャネルはＮ個のアンテナポートグループのうちｉ番目のアンテナポートグループに対応し、Ｎは正の整数であり、ｉは０より大きくＮ以下の正の整数である、段階と、
Ｎ個のブロードキャストチャネルで搬送される複数のデータブロックを基地局がスクランブルしてＮ個のブロードキャストチャネルで搬送されるスクランブル化コードブロックを取得する段階と、
Ｎ個のブロードキャストチャネルで搬送される対応するスクランブル化コードブロックを、Ｎ個のアンテナポートをそれぞれ用いて複数の異なる時間リソースユニットで基地局が伝送する段階か、または、Ｎ個のブロードキャストチャネルで搬送される対応するスクランブル化コードブロックを、Ｎ個のアンテナポートグループをそれぞれ用いて複数の異なる時間リソースユニットで基地局が伝送する段階と
を備える。
【手続補正６】
【補正対象書類名】明細書
【補正対象項目名】００１０
【補正方法】変更
【補正の内容】
【００１０】
第１の態様に関し、第１の態様の第１の可能な実施例では、Ｎ個のブロードキャストチャネルで搬送される複数のデータブロックを基地局がスクランブルしてＮ個のブロードキャストチャネルで搬送されるスクランブル化コードブロックを取得する段階は、
Ｎ個のブロードキャストチャネルのそれぞれで搬送されるデータブロックを第１のスクランブルコードを用いて基地局がスクランブルして、Ｎ個のブロードキャストチャネルで搬送されるＮ個の第１のスクランブル化コードブロックを取得する段階、および／または、
Ｎ個のブロードキャストチャネルのそれぞれで搬送されるデータブロックを第２のスクランブルコードを用いて基地局がスクランブルして、Ｎ個のブロードキャストチャネルで搬送されるＮ個の第２のスクランブル化コードブロックを取得する段階
を有し、
第１のスクランブルコードおよび第２のスクランブルコードは異なるスクランブルコードである。
【手続補正７】
【補正対象書類名】明細書
【補正対象項目名】００１２
【補正方法】変更
【補正の内容】
【００１２】
第１の態様に関し、第１の態様の第２の可能な実施例では、Ｎ個のブロードキャストチャネルのうちｉ番目のブロードキャストチャネルはｉ番目のブロードキャストチャネルに対応するユーザ機器（ＵＥ）のアンテナポートまたはアンテナポートグループの指定情報を搬送し、または、
Ｎ個のブロードキャストチャネルのうちｉ番目のブロードキャストチャネルで搬送されるパイロット信号はｉ番目のブロードキャストチャネルに対応するＵＥのアンテナポートまたはアンテナポートグループの指定情報に対応し、または
Ｎ個のブロードキャストチャネルのうちｉ番目のブロードキャストチャネルに対応するＵＥのアンテナポートにおける同期シーケンスの値は、ｉ番目のブロードキャストチャネルに対応するＵＥのアンテナポートの指定情報に対応するか、もしくは、Ｎ個のブロードキャストチャネルのうちｉ番目のブロードキャストチャネルに対応するＵＥのアンテナポートグループにおける同期シーケンスの値は、ｉ番目のブロードキャストチャネルに対応するＵＥのアンテナポートグループの指定情報に対応し、または、
Ｎ個のブロードキャストチャネルのうちｉ番目のブロードキャストチャネルで搬送されるデータブロックがスクランブルされる場合に用いられるスクランブルコードは、ｉ番目のブロードキャストチャネルに対応するＵＥのアンテナポートまたはアンテナポートグループの指定情報に対応する。
【手続補正８】
【補正対象書類名】明細書
【補正対象項目名】００１４
【補正方法】変更
【補正の内容】
【００１４】
第１の態様または第１の態様の第１もしくは第２の可能な実施例に関し、第１の態様の第３の可能な実施例では、Ｎ個のブロードキャストチャネルで搬送される複数のデータブロックを基地局がスクランブルして、Ｎ個のブロードキャストチャネルで搬送されるスクランブル化コードブロックを取得する段階の後、方法はさらに、
Ｎ個のブロードキャストチャネルのうちｉ番目のブロードキャストチャネルにおけるシステム情報を基地局が用いて、ｉ番目のブロードキャストチャネルに対応するＵＥのシステムフレーム番号（ＳＦＮ）の第１の部分情報を指定する段階、および／または、
ｉ番目のブロードキャストチャネルに対応するＵＥに伝送されるスクランブル化コードブロックの数を用いてＳＦＮの第２の部分情報を基地局が指定する段階、および／または、
ｉ番目のブロードキャストチャネルに対応するＵＥのアンテナポートまたはアンテナポートグループの位置情報を用いて、ＳＦＮの第３の部分情報を基地局が指定する段階
を備え、
ＳＦＮは第１の部分情報および第２の部分情報から成るか、または、ＳＦＮは第１の部分情報および第３の部分情報から成るか、または、ＳＦＮは第１の部分情報、第２の部分情報および第３の部分情報から成る。
【手続補正９】
【補正対象書類名】明細書
【補正対象項目名】００１６
【補正方法】変更
【補正の内容】
【００１６】
第１の態様の第１の可能な実施例に関し、第１の態様の第４の可能な実施例において、Ｎ個のブロードキャストチャネルで搬送される対応するスクランブル化コードブロックを、Ｎ個のアンテナポートをそれぞれ用いて複数の異なる時間リソースユニットで基地局が伝送する段階は、
Ｎ個のアンテナポートを用いて第１のデータ伝送期間においてＮ個の時間リソースユニットにおいてＮ個の第１のスクランブル化コードブロックを基地局がそれぞれ伝送する段階であって、Ｎ個の第１のスクランブル化コードブロックのうちｉ番目の第１のスクランブル化コードブロックは、Ｎ個のアンテナポートのうちｉ番目のアンテナポートで伝送される段階、および／または、
Ｎ個のアンテナポートを用いて第２のデータ伝送期間においてＮ個の時間リソースユニットにおいてＮ個の第２のスクランブル化コードブロックを基地局がそれぞれ伝送する段階を有し、Ｎ個の第２のスクランブル化コードブロックのうちｉ番目の第２のスクランブル化コードブロックは、Ｎ個のアンテナポートのうちｉ番目のアンテナポートで伝送される。第２のデータ伝送期間は、第１のデータ伝送期間に対して時間的に隣接するデータ伝送期間である。
【手続補正１０】
【補正対象書類名】明細書
【補正対象項目名】００１８
【補正方法】変更
【補正の内容】
【００１８】
第１の態様の第１の可能な実施例に関し、第１の態様の第５の可能な実施例では、Ｎ個のブロードキャストチャネルで搬送される対応するスクランブル化コードブロックを、前記Ｎ個のアンテナポートグループをそれぞれ用いて複数の異なる時間リソースユニットで前記基地局が伝送する段階は、
Ｎ個のアンテナポートグループを用いて第１のデータ伝送期間においてＮ個の時間リソースユニットにおいてＮ個の第１のスクランブル化コードブロックを基地局がそれぞれ伝送する段階であって、Ｎ個の第１のスクランブル化コードブロックのうちｉ番目の第１のスクランブル化コードブロックは、Ｎ個のアンテナポートグループのうちｉ番目のアンテナポートグループで伝送される、段階、および／または、
Ｎ個のアンテナポートグループを用いて第２のデータ伝送期間においてＮ個の時間リソースユニットにおいてＮ個の第２のスクランブル化コードブロックを基地局がそれぞれ伝送する段階であって、Ｎ個の第２のスクランブル化コードブロックのうちｉ番目の第２のスクランブル化コードブロックは、Ｎ個のアンテナポートグループのうちｉ番目のアンテナポートグループで伝送される、段階を有する。第２のデータ伝送期間は、第１のデータ伝送期間に対して時間的に隣接するデータ伝送期間である。
【手続補正１１】
【補正対象書類名】明細書
【補正対象項目名】００２０
【補正方法】変更
【補正の内容】
【００２０】
第１の態様に関し、第１の態様の第６の可能な実施例では、基地局はＮという値情報をＮ個のブロードキャストチャネルに追加する。または、基地局はＮ個のブロードキャストチャネルの巡回冗長検査（ＣＲＣ）のマスクとしてＮという値情報を用いる。
【手続補正１２】
【補正対象書類名】明細書
【補正対象項目名】００２４
【補正方法】変更
【補正の内容】
【００２４】
第２の態様によれば、本発明の実施形態はさらにデータ伝送方法を提供する。当該データ伝送方法は、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ユーザ機器（ＵＥ）がＵＥに対応する時間リソースユニットで、受信する段階、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する段階と、
ｉ番目のブロードキャストチャネルで搬送されるスクランブル化コードブロックであって、ｉ番目のアンテナポートまたはｉ番目のアンテナポートグループを用いて受信するスクランブル化コードブロックをＵＥがデスクランブルする段階と
を備え、
Ｎは正の整数であり、ｉは０よりも大きくＮ以下の正の整数であり、ＵＥはｉ番目のアンテナポートまたはｉ番目のアンテナポートグループに対応する。
【手続補正１３】
【補正対象書類名】明細書
【補正対象項目名】００２８
【補正方法】変更
【補正の内容】
【００２８】
第２の態様に関し、第２の態様の第２の可能な実施例では、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ユーザ機器（ＵＥ）がＵＥに対応する時間リソースユニットで、受信する段階の前、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥがＵＥに対応する時間リソースユニットで、受信する段階の前に、方法はさらに、
ｉ番目のブロードキャストチャネルで搬送される指定情報に基づきＵＥのアンテナポートまたはアンテナポートグループの位置情報をＵＥが取得する段階、または、
ｉ番目のブロードキャストチャネルで搬送されるパイロット信号に基づきＵＥのアンテナポートまたはアンテナポートグループの位置情報をＵＥが取得する段階、または、
ＵＥのアンテナポートにおける同期シーケンスの値に基づきＵＥのアンテナポートの位置情報をＵＥが取得する段階、もしくは、ＵＥのアンテナポートグループにおける同期シーケンスの値に基づきＵＥのアンテナポートグループの位置情報をＵＥが取得する段階、または、
ｉ番目のブロードキャストチャネルで搬送されるスクランブル化コードブロックがデスクランブルされる場合に用いられるスクランブルコードに基づき、ＵＥのアンテナポートまたはアンテナポートグループの位置情報をＵＥが取得する段階
を備える。
【手続補正１４】
【補正対象書類名】明細書
【補正対象項目名】００３０
【補正方法】変更
【補正の内容】
【００３０】
第２の態様または第２の態様の第１もしくは第２の可能な実施例に関し、第２の態様の第３の可能な実施例では、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ユーザ機器（ＵＥ）がＵＥに対応する時間リソースユニットで、受信する段階の前、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥがＵＥに対応する時間リソースユニットで、受信する段階の前に、方法はさらに、
Ｎ個のブロードキャストチャネルのうちｉ番目のブロードキャストチャネルにおけるシステム情報を用いることによって、システムフレーム番号（ＳＦＮ）の第１の部分情報をＵＥが取得する段階、および／または、ＵＥが受信するスクランブル化コードブロックの数を用いてＳＦＮの第２の部分情報をＵＥが取得する段階、および／または、ＵＥのアンテナポートまたはアンテナポートグループの位置情報を用いてＳＦＮの第３の部分情報をＵＥが取得する段階、ならびに、
第１の部分情報および第２の部分情報を用いてＳＦＮをＵＥが取得する段階、もしくは、第１の部分情報および第３の部分情報を用いてＳＦＮをＵＥが取得する段階、もしくは、第１の部分情報、第２の部分情報および第３の部分情報を用いてＳＦＮをＵＥが取得する段階
を備える。
【手続補正１５】
【補正対象書類名】明細書
【補正対象項目名】００３２
【補正方法】変更
【補正の内容】
【００３２】
第２の態様に関し、第２の態様の第４の可能な実施例において、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ユーザ機器（ＵＥ）がＵＥに対応する時間リソースユニットで、受信する段階は、
第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートのうちｉ番目のアンテナポートを用いて基地局が伝送したｉ番目の第１のスクランブル化コードブロックをＵＥが受信する段階、および／または、
第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートのうちｉ番目のアンテナポートを用いて基地局が伝送したｉ番目の第２のスクランブル化コードブロックをＵＥが受信する段階を有し、第２のデータ伝送期間は、第１のデータ伝送期間に時間的に隣接するデータ伝送期間である。
【手続補正１６】
【補正対象書類名】明細書
【補正対象項目名】００３４
【補正方法】変更
【補正の内容】
【００３４】
第２の態様に関し、第２の態様の第５の可能な実施例では、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ユーザ機器（ＵＥ）がＵＥに対応する時間リソースユニットで、受信する段階は、
第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートグループのうちｉ番目のアンテナポートグループを用いて基地局が伝送したｉ番目の第１のスクランブル化コードブロックをＵＥが受信する段階、および／または
第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートグループのうちｉ番目のアンテナポートグループを用いて基地局が伝送したｉ番目の第２のスクランブル化コードブロックをＵＥが受信する段階を有する。第２のデータ伝送期間は、第１のデータ伝送期間に時間的に隣接するデータ伝送期間である。
【手続補正１７】
【補正対象書類名】明細書
【補正対象項目名】００３６
【補正方法】変更
【補正の内容】
【００３６】
第２の態様に関し、第２の態様の第６の可能な実施例では、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ユーザ機器（ＵＥ）がＵＥに対応する時間リソースユニットで、受信する段階の前、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する段階の前に、方法はさらに、
ｉ番目のブロードキャストチャネルで搬送されている値情報からＮの値をＵＥが取得する段階、または、
ｉ番目のブロードキャストチャネルの巡回冗長検査ＣＲＣのマスクに基づきＮの値をＵＥが取得する段階
を備える。
【手続補正１８】
【補正対象書類名】明細書
【補正対象項目名】００４０
【補正方法】変更
【補正の内容】
【００４０】
第３の態様によれば、本発明の実施形態はさらに基地局を提供する。当該基地局は、Ｎ個のブロードキャストチャネルで搬送される複数のデータブロックを取得するよう構成されている取得モジュールであって、Ｎ個のブロードキャストチャネルのうちｉ番目のブロードキャストチャネルはＮ個のアンテナポートのうちｉ番目のアンテナポートに対応するか、または、Ｎ個のブロードキャストチャネルのうちｉ番目のブロードキャストチャネルはＮ個のアンテナポートグループのうちｉ番目のアンテナポートグループに対応し、Ｎは正の整数であり、ｉは０より大きくＮ以下の正の整数である、取得モジュールと、
Ｎ個のブロードキャストチャネルで搬送される複数のデータブロックをスクランブルしてＮ個のブロードキャストチャネルで搬送されるスクランブル化コードブロックを取得するよう構成されているスクランブルモジュールと、
Ｎ個のブロードキャストチャネルで搬送される対応するスクランブル化コードブロックを、Ｎ個のアンテナポートをそれぞれ用いて複数の異なる時間リソースユニットで伝送するよう構成されているか、または、Ｎ個のブロードキャストチャネルで搬送される対応するスクランブル化コードブロックを、Ｎ個のアンテナポートグループをそれぞれ用いて複数の異なる時間リソースユニットで伝送するよう構成されている送受信モジュールと
を備える。
【手続補正１９】
【補正対象書類名】明細書
【補正対象項目名】００４４
【補正方法】変更
【補正の内容】
【００４４】
第３の態様に関し、第３の態様の第２の可能な実施例では、基地局はさらに、情報を構成するよう構成されている第１の構成モジュールを備え、情報は、Ｎ個のブロードキャストチャネルのうちｉ番目のブロードキャストチャネルはｉ番目のブロードキャストチャネルに対応するユーザ機器（ＵＥ）のアンテナポートまたはアンテナポートグループの指定情報を保持し、または、Ｎ個のブロードキャストチャネルのうちｉ番目のブロードキャストチャネルで搬送されるパイロット信号はｉ番目のブロードキャストチャネルに対応するＵＥのアンテナポートまたはアンテナポートグループの指定情報に対応し、または  Ｎ個のブロードキャストチャネルのうちｉ番目のブロードキャストチャネルに対応するＵＥのアンテナポートにおける同期シーケンスの値は、ｉ番目のブロードキャストチャネルに対応するＵＥのアンテナポートの指定情報に対応するか、もしくは、Ｎ個のブロードキャストチャネルのうちｉ番目のブロードキャストチャネルに対応するＵＥのアンテナポートグループにおける同期シーケンスの値は、ｉ番目のブロードキャストチャネルに対応するＵＥのアンテナポートグループの指定情報に対応し、または、Ｎ個のブロードキャストチャネルのうちｉ番目のブロードキャストチャネルで搬送されるデータブロックがスクランブルされる場合に用いられるスクランブルコードは、ｉ番目のブロードキャストチャネルに対応するＵＥのアンテナポートまたはアンテナポートグループの指定情報に対応する。
【手続補正２０】
【補正対象書類名】明細書
【補正対象項目名】００４６
【補正方法】変更
【補正の内容】
【００４６】
第３の態様または第３の態様の第１もしくは第２の可能な実施例に関し、第３の態様の第３の可能な実施例では、基地局はさらに、
スクランブルモジュールが、Ｎ個のブロードキャストチャネルで搬送される複数のデータブロックをスクランブルして、Ｎ個のブロードキャストチャネルで搬送されるスクランブル化コードブロックを取得した後、
情報を構成するよう構成されている第２の構成モジュールを備え、
情報は、
Ｎ個のブロードキャストチャネルのうちｉ番目のブロードキャストチャネルにおけるシステム情報を用いて、ｉ番目のブロードキャストチャネルに対応するＵＥのシステムフレーム番号（ＳＦＮ）の第１の部分情報を指定し、および／または、
ｉ番目のブロードキャストチャネルに対応するＵＥに伝送されるスクランブル化コードブロックの数を用いてＳＦＮの第２の部分情報を指定し、および／または、
ｉ番目のブロードキャストチャネルに対応するＵＥのアンテナポートまたはアンテナポートグループの位置情報を用いて、ＳＦＮの第３の部分情報を指定し、
ＳＦＮは第１の部分情報および第２の部分情報から成るか、または、ＳＦＮは第１の部分情報および第３の部分情報から成るか、または、ＳＦＮは第１の部分情報、第２の部分情報および第３の部分情報から成る。
【手続補正２１】
【補正対象書類名】明細書
【補正対象項目名】００５１
【補正方法】変更
【補正の内容】
【００５１】
第３の態様に関し、第３の態様の第６の可能な実施例では、基地局はさらに、Ｎという値情報をＮ個のブロードキャストチャネルに追加するよう構成されているか、または、Ｎ個のブロードキャストチャネルの巡回冗長検査（ＣＲＣ）のマスクとしてＮという値情報を用いるよう構成されている第３の構成モジュールを備える。
【手続補正２２】
【補正対象書類名】明細書
【補正対象項目名】００５５
【補正方法】変更
【補正の内容】
【００５５】
第４の態様によれば、本発明の実施形態はさらにユーザ機器（ＵＥ）を提供する。当該ＵＥは、ＵＥに対応する時間リソースユニットで、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを受信するよう構成されているか、または、ＵＥに対応する時間リソースユニットで、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを受信するよう構成されている送受信モジュールと、
ｉ番目のブロードキャストチャネルで搬送されるスクランブル化コードブロックであって、ｉ番目のアンテナポートまたはｉ番目のアンテナポートグループを用いて受信するスクランブル化コードブロックをデスクランブルするよう構成されているデスクランブルモジュールと
を備え、
Ｎは正の整数であり、ｉは０よりも大きくＮ以下の正の整数であり、ＵＥはｉ番目のアンテナポートまたはｉ番目のアンテナポートグループに対応する。
【手続補正２３】
【補正対象書類名】明細書
【補正対象項目名】００５９
【補正方法】変更
【補正の内容】
【００５９】
第４の態様に関し、第４の態様の第２の可能な実施例では、ＵＥはさらに、送受信モジュールが、ＵＥに対応する時間リソースユニットで、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを受信する前、または、ＵＥに対応する時間リソースユニットで、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを受信する前、ｉ番目のブロードキャストチャネルで搬送される指定情報に基づきＵＥのアンテナポートまたはアンテナポートグループの位置情報を取得するよう構成されているか、または、ｉ番目のブロードキャストチャネルで搬送されるパイロット信号に基づきＵＥのアンテナポートまたはアンテナポートグループの位置情報を取得するよう構成されているか、または、ＵＥのアンテナポートにおける同期シーケンスの値に基づきＵＥのアンテナポートの位置情報を取得するよう構成されているか、もしくは、ＵＥのアンテナポートグループにおける同期シーケンスの値に基づきＵＥのアンテナポートグループの位置情報を取得するよう構成されているか、または、ｉ番目のブロードキャストチャネルで搬送されるスクランブル化コードブロックがデスクランブルされる場合に用いられるスクランブルコードに基づき、ＵＥのアンテナポートまたはアンテナポートグループの位置情報を取得するよう構成されている第１の取得モジュールを備える。
【手続補正２４】
【補正対象書類名】明細書
【補正対象項目名】００６１
【補正方法】変更
【補正の内容】
【００６１】
第４の態様または第４の態様の第１もしくは第２の可能な実施例に関し、第４の態様の第３の可能な実施例では、ＵＥはさらに、送受信モジュールが、ＵＥに対応する時間リソースユニットで、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを受信する前か、または、ＵＥに対応する時間リソースユニットで、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを受信する前に、Ｎ個のブロードキャストチャネルのうちｉ番目のブロードキャストチャネルにおけるシステム情報を用いることによって、システムフレーム番号（ＳＦＮ）の第１の部分情報を取得するよう構成されており、および／または、ＵＥが受信するスクランブル化コードブロックの数を用いてＳＦＮの第２の部分情報を取得するよう構成されており、および／または、ＵＥのアンテナポートまたはアンテナポートグループの位置情報を用いてＳＦＮの第３の部分情報を取得するよう構成されており、ならびに、第１の部分情報および第２の部分情報を用いてＳＦＮを取得するよう構成されているか、もしくは、第１の部分情報および第３の部分情報を用いてＳＦＮを取得するよう構成されているか、もしくは、第１の部分情報、第２の部分情報および第３の部分情報を用いてＳＦＮを取得するよう構成されている第２の取得モジュールを備える。
【手続補正２５】
【補正対象書類名】明細書
【補正対象項目名】００６３
【補正方法】変更
【補正の内容】
【００６３】
第４の態様に関し、第４の態様の第４の可能な実施例において、送受信モジュールは具体的に、第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートのうちｉ番目のアンテナポートを用いて基地局が伝送したｉ番目の第１のスクランブル化コードブロックを受信するよう構成されており、および／または、第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートのうちｉ番目のアンテナポートを用いて基地局が伝送したｉ番目の第２のスクランブル化コードブロックを受信するよう構成されており、第２のデータ伝送期間は、第１のデータ伝送期間に対して時間的に隣接するデータ伝送期間である。
【手続補正２６】
【補正対象書類名】明細書
【補正対象項目名】００６５
【補正方法】変更
【補正の内容】
【００６５】
第４の態様に関し、第４の態様の第５の可能な実施例では、送受信モジュールは具体的に、第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートグループのうちｉ番目のアンテナポートグループを用いて基地局が伝送したｉ番目の第１のスクランブル化コードブロックを受信するよう構成されており、および／または、第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートグループのうちｉ番目のアンテナポートグループを用いて基地局が伝送したｉ番目の第２のスクランブル化コードブロックを受信するよう構成されており、第２のデータ伝送期間は、第１のデータ伝送期間に対して時間的に隣接するデータ伝送期間である。
【手続補正２７】
【補正対象書類名】明細書
【補正対象項目名】００６７
【補正方法】変更
【補正の内容】
【００６７】
第４の態様に関し、第４の態様の第６の可能な実施例では、ＵＥはさらに、送受信モジュールが、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットで、受信する前、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する前に、ｉ番目のブロードキャストチャネルで搬送されている値情報からＮの値を取得するよう構成されているか、または、ｉ番目のブロードキャストチャネルの巡回冗長検査（ＣＲＣ）のマスクに基づきＮの値を取得するよう構成されている第３の取得モジュールを備える。
【手続補正２８】
【補正対象書類名】明細書
【補正対象項目名】００９０
【補正方法】変更
【補正の内容】
【００９０】
最初に、本発明のデータ伝送方法が適用されるシステムアーキテクチャを簡単に説明する。本発明は主に、ＬＴＥシステム、またはロングタームエボリューションアドバンスド（ＬＴＥ−Ａ）システムに適用される。本発明は他の通信システムにも適用可能である。例えば、ブロードキャストメッセージを伝送できるエンティティが通信システムに存在すると共にブロードキャストメッセージを受信できる別のエンティティが通信システムに存在するのであれば、第５世代モバイル通信技術（５Ｇ）システム、広帯域符号分割多重接続（ＷＣＤＭＡ（登録商標））システム、または時分割同期符号分割多重接続（ＴＤ−ＳＣＤＭＡ）システムに適用されてよい。
【手続補正２９】
【補正対象書類名】明細書
【補正対象項目名】００９１
【補正方法】変更
【補正の内容】
【００９１】
図１に関し、図１は、本発明の実施形態に係るデータ伝送方法が適用されるシステムアーキテクチャを示す概略図である。ＵＥ１が所属する基地局は基地局１であり、ＵＥ２が所属する基地局は基地局２であり、ＵＥ３が所属する基地局は基地局３である。基地局１はＸ２インターフェースを用いて基地局２に接続されており、基地局１はＸ２インターフェースを用いて基地局３に接続されており、基地局２はＸ２インターフェースを用いて基地局３に接続されている。基地局１はモビリティ管理エンティティ（ＭＭＥ）１／サービングゲートウェイ（Ｓ−ＧＷ）１にＳ１インターフェースを用いて接続されており、基地局２はＭＭＥ２／Ｓ−ＧＷ２にＳ１インターフェースを用いて接続されており、基地局３はＭＭＥ１／Ｓ−ＧＷ１にＳ１インターフェースを用いて接続されており、基地局３はＭＭＥ２／Ｓ−ＧＷ２にＳ１インターフェースを用いて接続されている。ＵＥ１、ＵＥ２およびＵＥ３がいるセルは、複数の異なる基地局のセルである。
【手続補正３０】
【補正対象書類名】明細書
【補正対象項目名】００９５
【補正方法】変更
【補正の内容】
【００９５】
本発明の本実施形態では、基地局はアンテナポートまたはアンテナポートグループを用いてデータを伝送するとしてよい。具体的には、基地局がＮ個のアンテナポートのそれぞれが１個のブロードキャストチャネル（ＰＢＣＨ）に対応すると判断してよい。または、基地局がＮ個のアンテナポートグループのそれぞれが１個のブロードキャストチャネル（ＰＢＣＨ）に対応すると判断してよい。基地局は、複数の異なるアンテナポートは複数の異なるブロードキャストチャネルに対応すると判断する。または、基地局は、複数の異なるアンテナポートグループは複数の異なるブロードキャストチャネルに対応すると判断する。複数の異なるブロードキャストチャネルは複数の異なるチャネル識別子を用いて識別されるとしてよい。または、ブロードキャストチャネルは、複数の異なるブロードキャストチャネルを区別するために用いられ得る識別子を用いて区別されるとしてよい。本発明の本実施形態において、基地局が決定したＮ個のアンテナポートが、１個のセルまたは当該セルに含まれる全てのセクタをカバーする必要があるか、または、基地局が決定したＮ個のアンテナポートグループが、１個のセルまたは当該セルに含まれる全てのセクタをカバーする必要があると留意されたい。このため、本発明の本実施形態において、基地局の１個のセルは、Ｎ個のアンテナポートまたはＮ個のアンテナポートグループによってカバーされるとしてよい。
【手続補正３１】
【補正対象書類名】明細書
【補正対象項目名】００９９
【補正方法】変更
【補正の内容】
【００９９】
本発明の一部の実施形態では、受信側（つまりＵＥ）がＮの値を取得できるようにするべく、基地局はＮという値情報をＮ個のブロードキャストチャネルに追加する。または、基地局はＮ個のブロードキャストチャネルの巡回冗長検査（ＣＲＣ）のマスクとしてＮという値情報を用いる。具体的には、基地局はアンテナポート（またはアンテナポートグループ）の数に関する情報をＮ個のブロードキャストチャネルに追加するとしてよい。これによって、ＵＥは、当該ＵＥに対応するブロードキャストチャネルから、当該ブロードキャストチャネルで搬送されるアンテナポート（またはアンテナポートグループ）の数に関する情報を取得するとしてよく、ＵＥはＮの具体的な値を決定するとしてよい。これに加えて、本発明の本実施形態では、基地局は、直接方式（例えば、Ｎという値情報はＮ個のブロードキャストチャネルを用いて搬送される）を用いることに代えて、間接方式を利用するとしてよい。例えば、基地局は、Ｎ個のブロードキャストチャネルのＣＲＣのマスクとしてＮという値情報を利用し、ＵＥは、当該ＵＥに対応するブロードキャストチャネルのＣＲＣが用いるマスクを用いて、基地局が利用するＮの値を決定するとしてよい。
【手続補正３２】
【補正対象書類名】明細書
【補正対象項目名】０１０５
【補正方法】変更
【補正の内容】
【０１０５】
Ａ１に示す実施例では、基地局は、ｉ番目のブロードキャストチャネルに、ｉ番目のブロードキャストチャネルに対応するＵＥのアンテナポートまたはアンテナポートグループの指定情報を直接追加する。そして、ｉ番目のブロードキャストチャネルに対応するＵＥは、ｉ番目のブロードキャストチャネルで搬送される指定情報を受信することで、ＵＥのアンテナポートまたはアンテナポートグループの位置を取得する。以下では説明のために例を用いる。基地局は、情報要素を用いることでＵＥのビームに関する情報を直接的に通知するとしてよい。例えば、これに限定されないが、ＵＥのビームで伝送されるＰＢＣＨ情報要素にビーム識別子（ＩＤ）情報を直接追加する。これによって、ＵＥはＰＢＣＨを復調することでＵＥの現在のビームに関する情報を取得できる。例えば、下記の表３に示す実施例では、基地局はブロードキャストチャネル上のＭＩＢメッセージにＢｅａｍＩｄ情報要素を追加する。当該情報要素は、ＵＥのビームの位置情報を保持するために用いられ、ＵＥはＭＩＢメッセージ内のＢｅａｍＩｄ情報要素からＵＥのビームの位置を取得するとしてよい。
【表３】
2019504541.tif 000032
【手続補正３３】
【補正対象書類名】明細書
【補正対象項目名】０１０７
【補正方法】変更
【補正の内容】
【０１０７】
本発明においてＡ３で示す実施例では、Ｎ個のブロードキャストチャネルのうちｉ番目のブロードキャストチャネルに対応するＵＥのアンテナポートにおける同期シーケンスの値は、ｉ番目のブロードキャストチャネルに対応するＵＥのアンテナポートの指定情報に対応するか、または、Ｎ個のブロードキャストチャネルのうちｉ番目のブロードキャストチャネルに対応するＵＥのアンテナポートグループにおける同期シーケンスの値は、ｉ番目のブロードキャストチャネルに対応するＵＥのアンテナポートグループの指定情報に対応する。基地局は、異なるビームにおける同期シーケンス（ＳＳ）について異なるシーケンス値を決定する。異なる同期シーケンスは異なるＵＥのビームに関する情報に対応する。基地局は、複数の異なるＵＥのビームに関する情報を取得し、基地局は、ビームに関する情報を間接方式でＵＥに通知する。例えば、基地局は、各ＵＥのビームに関する情報について、ビームに関する情報とビームにおける同期シーケンスとの間に対応関係を構築し、基地局は、各ＵＥに対して、ＵＥのビームに関する情報に対応するビームにおける同期シーケンスを伝送する。例えば、１個の同じ基地局が３個のＵＥを管理する。基地局は、３個の異なるビームにおいて同期シーケンスを取得し、ビームにおける同期シーケンスとＵＥのビームに関する情報との間に対応関係を構築する。ＵＥ１のビームに関する情報はビームにおける同期シーケンス１に対応し、ＵＥ２のビームに関する情報はビームにおける同期シーケンス２に対応し、ＵＥ３のビームに関する情報はビームにおける同期シーケンス３に対応する。基地局がＵＥ１に対してビームにおいて同期シーケンス１を伝送する場合、ＵＥ１がビームにおいて同期シーケンス１を受信した後、ＵＥ１は、ビームにおける同期シーケンスとＵＥのビームに関する情報との間の対応関係に基づき、ビームにおける同期シーケンス１に対応するビームに関する情報を取得する。他の２個のＵＥについての処理もこれと同様である。
【手続補正３４】
【補正対象書類名】明細書
【補正対象項目名】０１１６
【補正方法】変更
【補正の内容】
【０１１６】
本発明の一部の実施形態では、Ｎ個のアンテナポートをそれぞれ用いて異なる時間リソースユニットで、ブロードキャストチャネルで搬送される対応するスクランブル化コードブロックを基地局が伝送する段階２０３は具体的に以下の段階を含むとしてよい。
【手続補正３５】
【補正対象書類名】明細書
【補正対象項目名】０１１８
【補正方法】変更
【補正の内容】
【０１１８】
本発明の一部の他の実施形態では、Ｎ個のアンテナポートグループをそれぞれ用いて異なる時間リソースユニットで、ブロードキャストチャネルで搬送される対応するスクランブル化コードブロックを基地局が伝送する段階２０３は以下の段階を含む。
【手続補正３６】
【補正対象書類名】明細書
【補正対象項目名】０１２１
【補正方法】変更
【補正の内容】
【０１２１】
本発明の一部の実施形態では、システムフレーム番号（ＳＦＮ）セルシステムフレーム番号カウンタである。ＳＦＮは、システム情報に含まれ、ブロードキャストチャネルでセル全体にブロードキャストされ、ページンググループおよびシステム情報スケジューリングに利用される。本発明の本実施形態は複数のビームにおいてＳＦＮを伝送する解決手段を提供する。当該解決手段では、ＳＦＮ情報は、搬送のために複数のキャリアに分散させ、その後、ＵＥ側では、一般的な情報を取得した後、ＳＦＮの値を算出するべく組み合わせを実行する。キャリアは、これに限定されないが、ＵＥのアンテナポート（アンテナポートグループ）の位置、データブロックに用いられるスクランブルコード、および、ブロードキャストチャネル上のシステム情報に含まれるＳＦＮ情報を含む。
【手続補正３７】
【補正対象書類名】明細書
【補正対象項目名】０１２３
【補正方法】変更
【補正の内容】
【０１２３】
Ｅ１：基地局が、Ｎ個のブロードキャストチャネルのうちｉ番目のブロードキャストチャネルにおけるシステム情報を用いて、ｉ番目のブロードキャストチャネルに対応するＵＥのシステムフレーム番号（ＳＦＮ）の第１の部分情報を指定する。
【手続補正３８】
【補正対象書類名】明細書
【補正対象項目名】０１２８
【補正方法】変更
【補正の内容】
【０１２８】
Ｆ１：基地局が、Ｎ個のブロードキャストチャネルのうちｉ番目のブロードキャストチャネルにおけるシステム情報を用いて、ｉ番目のブロードキャストチャネルに対応するＵＥのシステムフレーム番号（ＳＦＮ）の第１の部分情報を指定する。
【手続補正３９】
【補正対象書類名】明細書
【補正対象項目名】０１３３
【補正方法】変更
【補正の内容】
【０１３３】
Ｇ１：基地局が、Ｎ個のブロードキャストチャネルのうちｉ番目のブロードキャストチャネルにおけるシステム情報を用いて、ｉ番目のブロードキャストチャネルに対応するＵＥのシステムフレーム番号（ＳＦＮ）の第１の部分情報を指定する。
【手続補正４０】
【補正対象書類名】明細書
【補正対象項目名】０１３５
【補正方法】変更
【補正の内容】
【０１３５】
Ｇ２：基地局が、ｉ番目のブロードキャストチャネルに対応するＵＥのアンテナポートまたはアンテナポートグループの位置情報を用いてＳＦＮの第３の部分情報を指定する。ＳＦＮは第１の部分情報、第２の部分情報および第３の部分情報から成る。
【手続補正４１】
【補正対象書類名】明細書
【補正対象項目名】０１３９
【補正方法】変更
【補正の内容】
【０１３９】
さらに、本発明の一部の実施形態において、第３の部分情報について、第３の部分情報がＳＦＮにおいて占めるビット位置の数は、ｉ番目のブロードキャストチャネルに対応するＵＥに伝送されるスクランブル化コードブロックの数に基づいて決定される。具体的には、上述した例の説明では、ｚ２の値はＵＥが受信したスクランブル化コードブロックの数の値に基づいて決定されるとしてよい。
【手続補正４２】
【補正対象書類名】明細書
【補正対象項目名】０１５２
【補正方法】変更
【補正の内容】
【０１５２】
上述した実施形態における本発明の説明からは以下のことが分かるであろう。基地局は、Ｎ個のブロードキャストチャネルで搬送される複数のデータブロックを取得する。Ｎ個のブロードキャストチャネルのうちｉ番目のブロードキャストチャネルはＮ個のアンテナポートのうちｉ番目のアンテナポートに対応するか、または、Ｎ個のブロードキャストチャネルのうちｉ番目のブロードキャストチャネルはＮ個のアンテナポートグループのうちｉ番目のアンテナポートグループに対応する。基地局は、Ｎ個のブロードキャストチャネルで搬送される複数のデータブロックをスクランブルしてＮ個のブロードキャストチャネルで搬送されるスクランブル化コードブロックを取得する。そして、基地局は、Ｎ個のブロードキャストチャネルで搬送される対応するスクランブル化コードブロックを、Ｎ個のアンテナポートをそれぞれ用いて複数の異なる時間リソースユニットで伝送するか、または、基地局は、Ｎ個のブロードキャストチャネルで搬送される対応するスクランブル化コードブロックを、Ｎ個のアンテナポートグループをそれぞれ用いて複数の異なる時間リソースユニットで伝送する。基地局は、Ｎ個のブロードキャストチャネルで搬送されるデータブロックを別々にスクランブルしてＮ個のブロードキャストチャネルで搬送されるスクランブル化コードブロックを取得し、複数の異なる時間リソースユニットで、ブロードキャストチャネルで搬送されるスクランブル化コードブロックを伝送する。具体的には、基地局は、時分割方式でＮ個のアンテナポートまたはＮ個のアンテナポートグループを用いて、ブロードキャストチャネルで搬送されるスクランブル化コードブロックを伝送する。ＵＥは、ＵＥに対応するアンテナポートまたはアンテナポートグループを用いて、基地局が時間リソースユニットで伝送するスクランブル化コードブロックを受信する。このように、ブロードキャストチャネルは複数のアンテナポートまたはアンテナポートグループで伝送されるので、ブロードキャストチャネルのカバレッジが拡張される。
【手続補正４３】
【補正対象書類名】明細書
【補正対象項目名】０１５３
【補正方法】変更
【補正の内容】
【０１５３】
上述した実施形態では、データ伝送方法を基地局側の視点から説明している。続いて、本発明で提供するデータ伝送方法を基地局のピアエンド（ユーザ機器）側の視点から説明する。図５を参照すると、図５は本発明の別の実施形態で提供されるデータ伝送方法を示す。当該方法は以下の段階を含むとしてよい。
【手続補正４４】
【補正対象書類名】明細書
【補正対象項目名】０１５８
【補正方法】変更
【補正の内容】
【０１５８】
Ｈ１：ＵＥが、第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートのうちｉ番目のアンテナポートを用いて基地局が伝送したｉ番目の第１のスクランブル化コードブロックを受信する。および／または
Ｈ２：ＵＥが、第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートのうちｉ番目のアンテナポートを用いて基地局が伝送したｉ番目の第２のスクランブル化コードブロックを受信する。第２のデータ伝送期間は、第１のデータ伝送期間に時間的に隣接するデータ伝送期間である。
【手続補正４５】
【補正対象書類名】明細書
【補正対象項目名】０１６０
【補正方法】変更
【補正の内容】
【０１６０】
Ｉ１：ＵＥが、第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートグループのうちｉ番目のアンテナポートグループを用いて基地局が伝送したｉ番目の第１のスクランブル化コードブロックを受信する。および／または
Ｉ２：ＵＥが、第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートグループのうちｉ番目のアンテナポートグループを用いて基地局が伝送したｉ番目の第２のスクランブル化コードブロックを受信する。第２のデータ伝送期間は、第１のデータ伝送期間に時間的に隣接するデータ伝送期間である。
【手続補正４６】
【補正対象書類名】明細書
【補正対象項目名】０１７０
【補正方法】変更
【補正の内容】
【０１７０】
Ｋ１：ＵＥが、Ｎ個のブロードキャストチャネルのうちｉ番目のブロードキャストチャネルにおけるシステム情報を用いることによって、システムフレーム番号（ＳＦＮ）の第１の部分情報を取得する。
【手続補正４７】
【補正対象書類名】明細書
【補正対象項目名】０１７６
【補正方法】変更
【補正の内容】
【０１７６】
Ｌ１：ＵＥが、Ｎ個のブロードキャストチャネルのうちｉ番目のブロードキャストチャネルにおけるシステム情報を用いることによって、システムフレーム番号（ＳＦＮ）の第１の部分情報を取得する。
【手続補正４８】
【補正対象書類名】明細書
【補正対象項目名】０１８３
【補正方法】変更
【補正の内容】
【０１８３】
さらに、本発明の一部の実施形態において、第３の部分情報について、第３の部分情報がＳＦＮにおいて占めるビット位置の数は、ｉ番目のブロードキャストチャネルに対応するＵＥに伝送されるスクランブル化コードブロックの数に基づいて決定される。具体的には、上述した例の説明では、ｚ２の値はＵＥが受信したスクランブル化コードブロックの数の値に基づいて決定されるとしてよい。
【手続補正４９】
【補正対象書類名】明細書
【補正対象項目名】０２００
【補正方法】変更
【補正の内容】
【０２００】
前述した方法の実施形態は、説明を簡潔にするべく、一連の動作として表現されることに留意されたい。しかし、当業者であれば、本発明によれば一部の段階は順序を変えて、または、同時に実行され得るので、本発明は説明した動作順序に限定されないことに想到するはずである。これに加えて、当業者であれば、本明細書で説明する実施形態は全て例であり、関連する動作およびモジュールは本発明で必ずしも必要ではないことも把握しているはずである。
【手続補正５０】
【補正対象書類名】明細書
【補正対象項目名】０２０５
【補正方法】変更
【補正の内容】
【０２０５】
送受信モジュール６０３は、Ｎ個のブロードキャストチャネルで搬送される対応するスクランブル化コードブロックを、Ｎ個のアンテナポートをそれぞれ用いて複数の異なる時間リソースユニットで伝送するよう構成されているか、または、Ｎ個のブロードキャストチャネルで搬送される対応するスクランブル化コードブロックを、Ｎ個のアンテナポートグループをそれぞれ用いて複数の異なる時間リソースユニットで伝送するよう構成されている。
【手続補正５１】
【補正対象書類名】明細書
【補正対象項目名】０２０８
【補正方法】変更
【補正の内容】
【０２０８】
本発明の一部の実施形態では、図６Ｂに示すように、基地局６００はさらに、以下の情報を構成するよう構成されている第１の構成モジュール６０４を含む。Ｎ個のブロードキャストチャネルのうちｉ番目のブロードキャストチャネルはｉ番目のブロードキャストチャネルに対応するユーザ機器（ＵＥ）のアンテナポートまたはアンテナポートグループの指定情報を搬送し、または、Ｎ個のブロードキャストチャネルのうちｉ番目のブロードキャストチャネルで搬送されるパイロット信号はｉ番目のブロードキャストチャネルに対応するＵＥのアンテナポートまたはアンテナポートグループの指定情報に対応し、またはＮ個のブロードキャストチャネルのうちｉ番目のブロードキャストチャネルに対応するＵＥのアンテナポートにおける同期シーケンスの値は、ｉ番目のブロードキャストチャネルに対応するＵＥのアンテナポートの指定情報に対応するか、もしくは、Ｎ個のブロードキャストチャネルのうちｉ番目のブロードキャストチャネルに対応するＵＥのアンテナポートグループにおける同期シーケンスの値は、ｉ番目のブロードキャストチャネルに対応するＵＥのアンテナポートグループの指定情報に対応し、または、Ｎ個のブロードキャストチャネルのうちｉ番目のブロードキャストチャネルで搬送されるデータブロックがスクランブルされる場合に用いられるスクランブルコードは、ｉ番目のブロードキャストチャネルに対応するＵＥのアンテナポートまたはアンテナポートグループの指定情報に対応する。
【手続補正５２】
【補正対象書類名】明細書
【補正対象項目名】０２１０
【補正方法】変更
【補正の内容】
【０２１０】
本発明の一部の実施形態では、図６Ｃに示すように、基地局６００はさらに、スクランブルモジュールが、Ｎ個のブロードキャストチャネルで搬送されるデータブロックをスクランブルして、Ｎ個のブロードキャストチャネルで搬送されるスクランブル化コードブロックを取得した後、以下の情報を構成するよう構成されている第２の構成モジュール６０５を含む。Ｎ個のブロードキャストチャネルのうちｉ番目のブロードキャストチャネルにおけるシステム情報を用いて、ｉ番目のブロードキャストチャネルに対応するＵＥのシステムフレーム番号（ＳＦＮ）の第１の部分情報を指定し、および／または、ｉ番目のブロードキャストチャネルに対応するＵＥに伝送されるスクランブル化コードブロックの数を用いてＳＦＮの第２の部分情報を指定し、および／または、ｉ番目のブロードキャストチャネルに対応するＵＥのアンテナポートまたはアンテナポートグループの位置情報を用いて、ＳＦＮの第３の部分情報を指定する。
【手続補正５３】
【補正対象書類名】明細書
【補正対象項目名】０２１６
【補正方法】変更
【補正の内容】
【０２１６】
本発明の一部の実施形態において、図６Ｄに示すように、基地局６００はさらに、Ｎという値情報をＮ個のブロードキャストチャネルに追加するよう構成されているか、または、Ｎ個のブロードキャストチャネルの巡回冗長検査（ＣＲＣ）のマスクとしてＮという値情報を用いるよう構成されている第３の構成モジュール６０６を備える。
【手続補正５４】
【補正対象書類名】明細書
【補正対象項目名】０２２０
【補正方法】変更
【補正の内容】
【０２２０】
上述した実施形態における本発明の説明からは以下のことが分かるであろう。基地局は、Ｎ個のブロードキャストチャネルで搬送される複数のデータブロックを取得する。Ｎ個のブロードキャストチャネルのうちｉ番目のブロードキャストチャネルはＮ個のアンテナポートのうちｉ番目のアンテナポートに対応するか、または、Ｎ個のブロードキャストチャネルのうちｉ番目のブロードキャストチャネルはＮ個のアンテナポートグループのうちｉ番目のアンテナポートグループに対応する。基地局は、Ｎ個のブロードキャストチャネルで搬送される複数のデータブロックをスクランブルしてＮ個のブロードキャストチャネルで搬送されるスクランブル化コードブロックを取得する。そして、基地局は、Ｎ個のブロードキャストチャネルで搬送される対応するスクランブル化コードブロックを、Ｎ個のアンテナポートをそれぞれ用いて複数の異なる時間リソースユニットで伝送するか、または、基地局は、Ｎ個のブロードキャストチャネルで搬送される対応するスクランブル化コードブロックを、Ｎ個のアンテナポートグループをそれぞれ用いて複数の異なる時間リソースユニットで伝送する。基地局は、Ｎ個のブロードキャストチャネルで搬送されるデータブロックを別々にスクランブルしてＮ個のブロードキャストチャネルで搬送されるスクランブル化コードブロックを取得し、複数の異なる時間リソースユニットで、ブロードキャストチャネルで搬送されるスクランブル化コードブロックを伝送する。具体的には、基地局は、時分割方式でＮ個のアンテナポートまたはＮ個のアンテナポートグループを用いて、ブロードキャストチャネルで搬送されるスクランブル化コードブロックを伝送する。ＵＥは、ＵＥに対応するアンテナポートまたはアンテナポートグループを用いて、基地局が時間リソースユニットで伝送するスクランブル化コードブロックを受信する。このように、ブロードキャストチャネルは複数のアンテナポートまたはアンテナポートグループで伝送されるので、ブロードキャストチャネルのカバレッジが拡張される。
【手続補正５５】
【補正対象書類名】明細書
【補正対象項目名】０２２７
【補正方法】変更
【補正の内容】
【０２２７】
本発明の一部の実施形態において、図７Ｂに示すように、ユーザ機器７００はさらに、送受信モジュール７０１が、ＵＥに対応する時間リソースユニットで、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを受信する前、または、ＵＥに対応する時間リソースユニットで、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを受信する前、ｉ番目のブロードキャストチャネルで搬送される指定情報に基づきＵＥのアンテナポートまたはアンテナポートグループの位置情報を取得するよう構成されているか、または、ｉ番目のブロードキャストチャネルで搬送されるパイロット信号に基づきＵＥのアンテナポートまたはアンテナポートグループの位置情報を取得するよう構成されているか、または、ＵＥのアンテナポートにおける同期シーケンスの値に基づきＵＥのアンテナポートの位置情報を取得するよう構成されているか、もしくは、ＵＥのアンテナポートグループにおける同期シーケンスの値に基づきＵＥのアンテナポートグループの位置情報を取得するよう構成されているか、または、ｉ番目のブロードキャストチャネルで搬送されるスクランブル化コードブロックがデスクランブルされる場合に用いられるスクランブルコードに基づき、ＵＥのアンテナポートまたはアンテナポートグループの位置情報を取得するよう構成されている第１の取得モジュール７０３を備える。
【手続補正５６】
【補正対象書類名】明細書
【補正対象項目名】０２２９
【補正方法】変更
【補正の内容】
【０２２９】
本発明の一部の実施形態において、図７Ｃに示すように、ユーザ機器７００はさらに、送受信モジュール７０１が、ＵＥに対応する時間リソースユニットで、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを受信する前か、または、ＵＥに対応する時間リソースユニットで、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを受信する前に、Ｎ個のブロードキャストチャネルのうちｉ番目のブロードキャストチャネルにおけるシステム情報を用いることによって、システムフレーム番号（ＳＦＮ）の第１の部分情報を取得するよう構成されており、および／または、ＵＥが受信するスクランブル化コードブロックの数を用いてＳＦＮの第２の部分情報を取得するよう構成されており、および／または、ＵＥのアンテナポートまたはアンテナポートグループの位置情報を用いてＳＦＮの第３の部分情報を取得するよう構成されており、ならびに、第１の部分情報および第２の部分情報を用いてＳＦＮを取得するよう構成されているか、もしくは、第１の部分情報および第３の部分情報を用いてＳＦＮを取得するよう構成されているか、もしくは、第１の部分情報、第２の部分情報および第３の部分情報を用いてＳＦＮを取得するよう構成されている第２の取得モジュール７０４を備える。
【手続補正５７】
【補正対象書類名】明細書
【補正対象項目名】０２３１
【補正方法】変更
【補正の内容】
【０２３１】
本発明の一部の実施形態において、送受信モジュール７０１は具体的に、第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートのうちｉ番目のアンテナポートを用いて基地局が伝送したｉ番目の第１のスクランブル化コードブロックを受信するよう構成されており、および／または、第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートのうちｉ番目のアンテナポートを用いて基地局が伝送したｉ番目の第２のスクランブル化コードブロックを受信するよう構成されており、第２のデータ伝送期間は、第１のデータ伝送期間に対して時間的に隣接するデータ伝送期間である。
【手続補正５８】
【補正対象書類名】明細書
【補正対象項目名】０２３３
【補正方法】変更
【補正の内容】
【０２３３】
本発明の一部の実施形態において、送受信モジュール７０１は具体的に、第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートグループのうちｉ番目のアンテナポートグループを用いて基地局が伝送したｉ番目の第１のスクランブル化コードブロックを受信するよう構成されており、および／または、第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートグループのうちｉ番目のアンテナポートグループを用いて基地局が伝送したｉ番目の第２のスクランブル化コードブロックを受信するよう構成されており、第２のデータ伝送期間は、第１のデータ伝送期間に対して時間的に隣接するデータ伝送期間である。
【手続補正５９】
【補正対象書類名】明細書
【補正対象項目名】０２３５
【補正方法】変更
【補正の内容】
【０２３５】
本発明の一部の実施形態において、図７Ｄに示すように、ユーザ機器７００はさらに、送受信モジュール７０１が、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットで、受信する前、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する前に、ｉ番目のブロードキャストチャネルで搬送されている値情報からＮの値を取得するよう構成されているか、または、ｉ番目のブロードキャストチャネルの巡回冗長検査（ＣＲＣ）のマスクに基づきＮの値を取得するよう構成されている第３の取得モジュール７０５を備える。
【手続補正６０】
【補正対象書類名】明細書
【補正対象項目名】０２４３
【補正方法】変更
【補正の内容】
【０２４３】
プロセッサ８０３は、Ｎ個のブロードキャストチャネルで搬送される複数のデータブロックを取得する段階であって、Ｎ個のブロードキャストチャネルのうちｉ番目のブロードキャストチャネルはＮ個のアンテナポートのうちｉ番目のアンテナポートに対応するか、または、Ｎ個のブロードキャストチャネルのうちｉ番目のブロードキャストチャネルはＮ個のアンテナポートグループのうちｉ番目のアンテナポートグループに対応し、Ｎは正の整数であり、ｉは０より大きくＮ以下の正の整数である、段階と、
Ｎ個のブロードキャストチャネルで搬送される複数のデータブロックをスクランブルしてＮ個のブロードキャストチャネルで搬送されるスクランブル化コードブロックを取得する段階と、
Ｎ個のブロードキャストチャネルで搬送される対応するスクランブル化コードブロックを、Ｎ個のアンテナポートをそれぞれ用いて複数の異なる時間リソースユニットで伝送する段階か、または、Ｎ個のブロードキャストチャネルで搬送される対応するスクランブル化コードブロックを、Ｎ個のアンテナポートグループをそれぞれ用いて複数の異なる時間リソースユニットで伝送する段階と
を実行するよう構成されている。
【手続補正６１】
【補正対象書類名】明細書
【補正対象項目名】０２４７
【補正方法】変更
【補正の内容】
【０２４７】
本発明の一部の実施形態において、プロセッサ８０３は具体的に以下の構成内容を実行するよう構成されている。Ｎ個のブロードキャストチャネルのうちｉ番目のブロードキャストチャネルはｉ番目のブロードキャストチャネルに対応するユーザ機器（ＵＥ）のアンテナポートまたはアンテナポートグループの指定情報を搬送し、または、
Ｎ個のブロードキャストチャネルのうちｉ番目のブロードキャストチャネルで搬送されるパイロット信号はｉ番目のブロードキャストチャネルに対応するＵＥのアンテナポートまたはアンテナポートグループの指定情報に対応し、または
Ｎ個のブロードキャストチャネルのうちｉ番目のブロードキャストチャネルに対応するＵＥのアンテナポートにおける同期シーケンスの値は、ｉ番目のブロードキャストチャネルに対応するＵＥのアンテナポートの指定情報に対応するか、もしくは、Ｎ個のブロードキャストチャネルのうちｉ番目のブロードキャストチャネルに対応するＵＥのアンテナポートグループにおける同期シーケンスの値は、ｉ番目のブロードキャストチャネルに対応するＵＥのアンテナポートグループの指定情報に対応し、または、
Ｎ個のブロードキャストチャネルのうちｉ番目のブロードキャストチャネルで搬送されるデータブロックがスクランブルされる場合に用いられるスクランブルコードは、ｉ番目のブロードキャストチャネルに対応するＵＥのアンテナポートまたはアンテナポートグループの指定情報に対応する。
【手続補正６２】
【補正対象書類名】明細書
【補正対象項目名】０２４９
【補正方法】変更
【補正の内容】
【０２４９】
本発明の一部の実施形態において、プロセッサ８０３はさらに、Ｎ個のブロードキャストチャネルで搬送される複数のデータブロックをスクランブルして、Ｎ個のブロードキャストチャネルで搬送されるスクランブル化コードブロックを取得する段階の後、
Ｎ個のブロードキャストチャネルのうちｉ番目のブロードキャストチャネルにおけるシステム情報を用いて、ｉ番目のブロードキャストチャネルに対応するＵＥのシステムフレーム番号（ＳＦＮ）の第１の部分情報を指定する段階、および／または、
ｉ番目のブロードキャストチャネルに対応するＵＥに伝送されるスクランブル化コードブロックの数を用いてＳＦＮの第２の部分情報を指定する段階、および／または、
ｉ番目のブロードキャストチャネルに対応するＵＥのアンテナポートまたはアンテナポートグループの位置情報を用いて、ＳＦＮの第３の部分情報を指定する段階
を実行するよう構成されている。
【手続補正６３】
【補正対象書類名】明細書
【補正対象項目名】０２５６
【補正方法】変更
【補正の内容】
【０２５６】
本発明の一部の実施形態において、プロセッサ８０３は具体的に、以下の構成内容を実行するよう構成されている。Ｎという値情報をＮ個のブロードキャストチャネルに追加するか、または、Ｎ個のブロードキャストチャネルの巡回冗長検査（ＣＲＣ）のマスクとしてＮという値情報を用いる。
【手続補正６４】
【補正対象書類名】明細書
【補正対象項目名】０２６７
【補正方法】変更
【補正の内容】
【０２６７】
本発明の一部の実施形態において、プロセッサ９０３は具体的に、Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットで、受信する段階の前、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する段階の前に、
Ｎ個のブロードキャストチャネルのうちｉ番目のブロードキャストチャネルにおけるシステム情報を用いることによって、システムフレーム番号（ＳＦＮ）の第１の部分情報を取得する段階、および／または、ＵＥが受信するスクランブル化コードブロックの数を用いてＳＦＮの第２の部分情報を取得する段階、および／または、ＵＥのアンテナポートまたはアンテナポートグループの位置情報を用いてＳＦＮの第３の部分情報を取得する段階、ならびに、
第１の部分情報および第２の部分情報を用いてＳＦＮを取得する段階、もしくは、第１の部分情報および第３の部分情報を用いてＳＦＮを取得する段階、もしくは、第１の部分情報、第２の部分情報および第３の部分情報を用いてＳＦＮを取得する段階
を実行するよう構成されている。
【手続補正６５】
【補正対象書類名】明細書
【補正対象項目名】０２６９
【補正方法】変更
【補正の内容】
【０２６９】
本発明の一部の実施形態において、プロセッサ９０３は具体的に、
第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートのうちｉ番目のアンテナポートを用いて基地局が伝送したｉ番目の第１のスクランブル化コードブロックを受信する段階、および／または、
第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートのうちｉ番目のアンテナポートを用いて基地局が伝送したｉ番目の第２のスクランブル化コードブロックを受信する段階
を実行するよう構成されており、第２のデータ伝送期間は、第１のデータ伝送期間に対して時間的に隣接するデータ伝送期間である。
【手続補正６６】
【補正対象書類名】明細書
【補正対象項目名】０２７１
【補正方法】変更
【補正の内容】
【０２７１】
本発明の一部の実施形態において、プロセッサ９０３は具体的に、
第１のデータ伝送期間におけるｉ番目の時間リソースユニットにおいて、ｉ番目のブロードキャストチャネルで搬送されているｉ番目の第１のスクランブル化コードブロックであって、Ｎ個のアンテナポートグループのうちｉ番目のアンテナポートグループを用いて基地局が伝送したｉ番目の第１のスクランブル化コードブロックを受信する段階、および／または
第２のデータ伝送期間におけるｉ番目の時間リソースユニットにおいて、ｉ番目のブロードキャストチャネルで搬送されているｉ番目の第２のスクランブル化コードブロックであって、Ｎ個のアンテナポートグループのうちｉ番目のアンテナポートグループを用いて基地局が伝送したｉ番目の第２のスクランブル化コードブロックを受信する段階
を実行するよう構成されており、第２のデータ伝送期間は、第１のデータ伝送期間に時間的に隣接するデータ伝送期間である。
【手続補正６７】
【補正対象書類名】明細書
【補正対象項目名】０２７３
【補正方法】変更
【補正の内容】
【０２７３】
本発明の一部の実施形態において、プロセッサ９０３は具体的に、
Ｎ個のブロードキャストチャネルのうちｉ番目のブロードキャストチャネルで搬送されるスクランブル化コードブロックであって、Ｎ個のアンテナポートのうちｉ番目のアンテナポートを用いて基地局が伝送するスクランブル化コードブロックを、ＵＥに対応する時間リソースユニットで、受信する段階の前、または、Ｎ個のブロードキャストチャネルのうちｉ番目のブロードキャストチャネルで搬送されるスクランブル化コードブロックであって、Ｎ個のアンテナポートグループのうちｉ番目のアンテナポートグループを用いて基地局が伝送するスクランブル化コードブロックを、ＵＥに対応する時間リソースユニットで、受信する段階の前に、
ｉ番目のブロードキャストチャネルで搬送されている値情報からＮの値を取得する段階、または、
ｉ番目のブロードキャストチャネルの巡回冗長検査（ＣＲＣ）のマスクに基づきＮの値を取得する段階
を実行するよう構成されている。
【手続補正６８】
【補正対象書類名】明細書
【補正対象項目名】０２７９
【補正方法】変更
【補正の内容】
【０２７９】
結論を述べると、前述の実施形態は本発明の技術的解決手段を説明することを意図しているに過ぎず、本発明を限定するためのものではない。前述した実施形態を参照しつつ本発明を詳細に説明したが、当業者であれば、本発明の実施形態の技術的解決手段の範囲から逸脱することなく、前述した実施形態で説明した技術的解決手段にさらに修正を加え得るか、または、一部の技術的特徴を均等物で置換し得ることを理解すべきである。
【国際調査報告】
2019504541.tif 000033
2019504541.tif 000034
2019504541.tif 000035
2019504541.tif 000036